(57)【特許請求の範囲】
【請求項１】
外側ヒンジ及び少なくとも１つの内側接続フラップの両方を中心にして互いに対して付着されている、第１のパウチ及び第２のパウチを備える、パッケージであって、前記第１のパウチ及び前記第２のパウチのそれぞれは、製品を含むように構成されており、
前記第１のパウチ及び前記第２のパウチは、閉鎖位置から前記ヒンジを中心にして移動可能であり、前記閉鎖位置にあるときに、前記第１のパウチ及び前記第２のパウチへのアクセスは、前記少なくとも１つの内側接続フラップによって遮断されており、開放位置にあるときに、前記少なくとも１つの内側接続フラップは、前記第１のパウチ及び前記第２のパウチのうちの少なくとも１つへのアクセスを提供するために、前記第１のパウチ及び前記第２のパウチのうちの１つに対して少なくとも部分的に取り外すように断裂可能であり、
前記少なくとも１つの内側接続フラップは、一対の内側接続フラップであり、前記第１のパウチ及び前記第２のパウチは、前記一対の内側接続フラップを中心にして互いに対して付着され、
前記内側接続フラップのうちの一方は、第１の脆弱線に沿って前記第１のパウチに付着され、前記内側接続フラップのうちの他方は、第２の脆弱線に沿って前記第２のパウチに付着され、前記第１の内側接続フラップ及び前記第２の内側接続フラップは、互いに付着され、
前記内側接続フラップのうちの一方は、前記第１の脆弱線に沿って前記内側接続フラップのうちの一方から取り外し可能であり、かつ前記第２のパウチの一部分に取り外し可能に付着されたプルタブを含み、前記プルタブは、前記第１のパウチへのアクセスを提供するために、前記閉鎖位置から前記開放位置に向かう前記第１のパウチ及び前記第２のパウチの移動中に前記第１の脆弱線に沿って前記第１のパウチから優先的に取り外し可能である一方で、前記第２のパウチへのアクセスが制限されるように前記第２のパウチの一部分に付着されたままである、パッケージ。
【請求項２】
前記プルタブは、前記第２のパウチへのアクセスを提供するために、前記内側接続フラップの他方を前記第２の脆弱線に沿って前記第２のパウチから取り外すことを可能にするように、前記第２のパウチの一部分から取り外し可能であるように構成されている、請求項１に記載のパッケージ。
【請求項３】
製品を含むように構成されている内部を画定するように一緒に封着された第１の内側パネル及び第１の外側パネルと、第１の脆弱線とを有する第１のパウチであって、前記第１の脆弱線は、前記第１の脆弱線に沿って前記第１の内側パネルから分離可能な第１の内側閉鎖フラップを画定するように前記第１の内側パネル内に形成されている、第１のパウチと、
製品を含むように構成されている内部を画定するように一緒に封着された第２の内側パネル及び第２の外側パネルと、第２の脆弱線とを有する第２のパウチであって、前記第２の脆弱線は、前記第２のパウチの内部にアクセスするための開口部を形成するために、前記第２の脆弱線に沿って前記第２の内側パネルから分離可能な第２の内側閉鎖フラップを画定するように前記第２の内側パネル内に形成され、前記第２の内側閉鎖フラップは、前記第１の内側閉鎖フラップと比較して、前記第２の脆弱線に沿って前記第２の内側パネルから優先的に取り外すように構成されている、第２のパウチと
を備える、パッケージであって、
前記第１のパウチ及び前記第２のパウチは、ヒンジと前記第１の内側閉鎖フラップ及び前記第２の内側閉鎖フラップとの両方を中心にして互いに対して付着され、かつ前記第１のパウチ及び前記第２のパウチへのアクセスが、それらのそれぞれの第１の内側パネル及び第２の内側パネルに付着されている前記第１の内側閉鎖フラップ及び前記第２の内側閉鎖フラップによって制限される、閉鎖位置を有し、前記第１のパウチ及び前記第２のパウチは、初期開放位置を有し、前記初期開放位置において、前記第１のパウチ及び前記第２のパウチは、互いから離間し、前記第２の内側閉鎖フラップは、前記第１の内側閉鎖フラップと比較して、前記第２のパウチへのアクセスを提供するために、前記第２の内側パネルから前記第２の脆弱線に沿って優先的に分離される一方で、前記第１の内側閉鎖フラップは、前記第１の内側パネルに付着されたままであり、前記第１のパウチへのアクセスが制限される、パッケージ。
【請求項４】
前記第２の内側閉鎖フラップは、前記第２の脆弱線に沿って前記第２の内側パネルから取り外し可能であり、かつ前記第１のパウチの内側パネルの一部分に取り外し可能に付着されたプルタブを含み、前記プルタブは、前記第２のパウチへのアクセスを提供するために、前記閉鎖位置から前記初期開放位置に向かう前記第１のパウチ及び前記第２のパウチの移動中に、前記第１の内側閉鎖フラップと比較して、前記第２の脆弱線に沿って前記第２のパウチの内側パネルから優先的に取り外し可能である一方で、前記第１のパウチへのアクセスが制限されるように前記第１のパウチの内側パネルの一部分に付着されたままであり、前記プルタブは、前記第１のパウチへのアクセスを提供するために、前記第１の内側閉鎖フラップを前記第１の脆弱線に沿って前記第１のパウチの内側パネルから取り外すことを可能にするように、最終開放位置への前記第１のパウチ及び前記第２のパウチの移動中に前記第１のパウチの内側パネルの一部分から取り外し可能であるように構成されている、請求項３に記載のパッケージ。
【請求項５】
前記第１の脆弱線及び前記第２の脆弱線のそれぞれは、その端部と比較して、前記ヒンジから更に離間した中間区分を有する、請求項３に記載のパッケージ。
【請求項６】
前記第２の脆弱線の中間区分の一部分は、前記プルタブを少なくとも部分的に包囲し、前記プルタブに隣接した前記第２の脆弱線の部分と前記第２の脆弱線の端部との両方と比較して、前記ヒンジから更に離間している、請求項４及び５のいずれか一項に記載のパッケージ。
【請求項７】
前記プルタブの外周に沿って延在する前記第２の脆弱線の一部分は、弓状であり、第１の曲率半径を有し、前記第２の脆弱線は、弓状であり、第１の曲率半径を有し、前記プルタブに隣接した前記第２の脆弱線の部分は、前記第１の曲率半径とは異なる第２の曲率半径を伴い、弓状である、請求項５及び６のいずれか一項に記載のパッケージ。
【請求項８】
前記第１のパウチの外側パネル及び前記第２のパウチの外側パネルは、前記ヒンジにおいて接合されている、請求項５〜７のいずれか一項に記載のパッケージ。
【請求項９】
前記第１の脆弱線及び前記第２の脆弱線を破断するために必要とされる力は、前記第１の内側閉鎖フラップ及び前記第２の内側閉鎖フラップを分離するために必要とされる力よりも小さい、請求項５〜８のいずれか一項に記載のパッケージ。
【請求項１０】
前記第２の脆弱線を破断するために必要とされる力は、前記第１の内側パネルから前記プルタブを分離するために必要とされる力よりも小さい、請求項５〜９のいずれか一項に記載のパッケージ。
【請求項１１】
前記第１の脆弱線の中間部分は、前記第１の脆弱線の中間部分に隣接した前記第１の脆弱線の部分と比較して、前記ヒンジに向かって内側方向に少なくとも部分的に延在し、前記第２の脆弱線の中間部分は、前記プルタブを少なくとも部分的に包囲し、かつ前記プルタブに隣接した前記第２の脆弱線の部分と比較して、前記ヒンジから離れて外側方向に延在する、請求項３に記載のパッケージ。
【請求項１２】
ヒンジによって接合された第１のパウチ及び第２のパウチであって、
前記第１のパウチ及び前記第２のパウチが互いに面し、閉鎖される、閉鎖位置と、
前記第１のパウチ及び前記第２のパウチが前記ヒンジによって離間した、初期開放位置であって、前記第２のパウチは、その中の内容物へのアクセスを提供するために開放され、前記第１のパウチは、その中の内容物へのアクセスを制限するために閉鎖される、初期開放位置と、
前記第１のパウチ及び前記第２のパウチが前記ヒンジによって離間し、前記第１のパウチ及び前記第２のパウチがそれらの中の前記内容物へのアクセスを提供するために開放される、後続開放位置と
を有する、第１のパウチ及び第２のパウチと、
前記閉鎖位置から前記初期開放位置への前記第１のパウチ及び前記第２のパウチの移動中に前記第１のパウチと比較して前記第２のパウチを優先的に開放するための手段と
を備える、パッケージ。
【請求項１３】
前記第１のパウチは、第１の脆弱線を更に含み、前記第１の脆弱線は、前記第１のパウチが前記第１の脆弱線に沿った前記第１のパウチの一部分の分離によって開放することを可能にし、前記第２のパウチは、第２の脆弱線を含み、前記第２の脆弱線は、前記第２のパウチが前記第２の脆弱線に沿った前記第２のパウチの一部分の分離によって開放することを可能にする、請求項１２に記載のパッケージ。
【請求項１４】
前記第２の脆弱線の中間部分は、前記第１のパウチと比較して前記第２のパウチを優先的に開放するための前記手段を少なくとも部分的に包囲し、かつ前記第１のパウチと比較して前記第２のパウチを優先的に開放するための前記手段に隣接した前記第２の脆弱線の部分と比較して、前記ヒンジから離れて外側方向に延在し、前記第１の脆弱線の中間部分は、前記第１の脆弱線の中間部分に隣接した前記第１の脆弱線の部分と比較して、前記ヒンジに向かって内側方向に少なくとも部分的に延在する、請求項１３に記載のパッケージ。
【請求項１５】
前記第２のパウチは、第３の脆弱線を更に含み、前記第３の脆弱線は、前記第３の脆弱線に沿った前記第１のパウチからの前記第２のパウチの取り外しを可能にする、請求項１３に記載のパッケージ。
【請求項１６】
前記第２のパウチは、第１の側縁部と、前記第１の側縁部と反対側の第２の側縁部とを含み、前記第３の脆弱線は、前記第２のパウチの前記第１の側縁部及び前記第２の側縁部と交差し、かつ前記ヒンジに平行な方向で、前記第１の側縁部と前記第２の側縁部との間に延在する、請求項１５に記載のパッケージ。
【請求項１７】
前記第２のパウチ内に形成された第４の脆弱線及び第５の脆弱線を更に備え、前記第４の脆弱線及び前記第５の脆弱線は、前記パッケージが閉鎖されるときに、前記第３の脆弱線に部分的に重なり、前記第２のパウチは、第１の端部シールと、前記第１の端部シールと反対側の第２の端部シールとを含み、前記第４の脆弱線は、前記第１の端部シールにわたって延在し、前記第５の脆弱線は、前記第２の端部シールにわたって延在し、前記第３の脆弱線は、前記第１の端部シール及び前記第２の端部シールの両方にわたって延在する、請求項１５に記載のパッケージ。
【請求項１８】
第３の脆弱線を更に備え、前記第３の脆弱線は、前記第３の脆弱線に沿った前記第１のパウチからの前記第２のパウチの取り外しを容易にするために、前記第２のパウチ内に形成されている、請求項３に記載のパッケージ。
【請求項１９】
前記第３の脆弱線は、前記第２のパウチの前記第２の外側パネル内に形成されている、請求項１８に記載のパッケージ。
【請求項２０】
前記第２のパウチは、第１の側縁部と、前記第１の側縁部と反対側の第２の側縁部とを含み、前記第３の脆弱線は、前記第２のパウチの前記第１の側縁部及び前記第２の側縁部と交差し、かつ前記ヒンジに平行な方向で、前記第１の側縁部と前記第２の側縁部との間に延在する、請求項１８に記載のパッケージ。
【請求項２１】
前記第２のパウチの前記第２の内側パネル内に形成された第４の脆弱線及び第５の脆弱線を更に備え、前記第４の脆弱線及び前記第５の脆弱線は、前記パッケージが閉鎖されるときに、前記第３の脆弱線に部分的に重なり、前記第２のパウチは、第１の端部シールと、前記第１の端部シールと反対側の第２の端部シールとを含み、前記第４の脆弱線は、前記第１の端部シールにわたって延在し、前記第５の脆弱線は、前記第２の端部シールにわたって延在し、前記第３の脆弱線は、前記第１の端部シール及び前記第２の端部シールの両方にわたって延在する、請求項１８に記載のパッケージ。
【請求項２２】
前記パウチのうちの少なくとも１つは、第１のコンパートメントと、前記第１のコンパートメントから分離された第２のコンパートメントとを備え、前記第１のコンパートメント及び前記第２のコンパートメントは、コンパートメント脆弱線で接合され、前記第１のコンパートメント及び前記第２のコンパートメントのそれぞれは、前記コンパートメント脆弱線に沿って、互い及び前記パッケージから分離可能である、請求項３に記載のパッケージ。
【請求項２３】
前記第１の内側閉鎖フラップ及び前記第２の内側閉鎖フラップのうちの１つは、前記第１のコンパートメント及び前記第２のコンパートメントのうちのそれぞれの１つを開放するために、前記第１のパウチ及び前記第２のパウチの第１の内側パネル及び第２の内側パネルのうちのそれぞれの１つから取り外し可能な少なくとも２つのプルタブを含み、前記少なくとも２つのプルタブを含む、前記第１の内側閉鎖フラップ及び前記第２の内側閉鎖フラップのうちの１つは、閉鎖フラップ脆弱線を含み、前記閉鎖フラップ脆弱線は、前記少なくとも２つのプルタブが前記閉鎖フラップ脆弱線に沿って互いから分離されることを可能にする、請求項２２に記載のパッケージ。
【請求項２４】
第２、第３、及び第４のパウチを更に備え、前記第１、第２、第３、第４、及び第５のパウチはそれぞれ、それぞれの脆弱線に沿って互いから分離可能であり、前記第１、第２、第３、第４、及び第５のパウチは、互いに対して折り畳まれ、かつ付着されて、蛇腹構成を形成する、請求項３に記載のパッケージ。
【請求項２５】
前記第１のパウチ及び前記第２のパウチのうちの少なくとも１つは、第１のコンパートメントと、前記第１のコンパートメントから分離された第２のコンパートメントとを備え、前記第１のコンパートメント及び前記第２のコンパートメントは、コンパートメント脆弱線で接合され、前記第１のコンパートメント及び前記第２のコンパートメントのそれぞれは、前記コンパートメント脆弱線に沿って、互い及び前記パッケージから分離可能である、請求項１２に記載のパッケージ。
【請求項２６】
前記第１のパウチ及び前記第２のパウチのうちの１つは、前記第１のコンパートメント及び前記第２のコンパートメントのうちのそれぞれの１つを開放するために、前記第１のパウチ及び前記第２のパウチのうちの１つから取り外し可能な少なくとも２つのプルタブを含み、前記少なくとも２つのプルタブを含む、前記第１のパウチ及び前記第２のパウチのうちの１つは、脆弱線を含み、前記脆弱線は、前記少なくとも２つのプルタブが前記脆弱線に沿って互いから分離されることを可能にする、請求項２５に記載のパッケージ。
【請求項２７】
第３、第４、及び第５のパウチを更に備え、前記第１、第２、第３、第４、及び第５のパウチはそれぞれ、それぞれの脆弱線に沿って互いから分離可能であり、前記第１、第２、第３、第４、及び第５のパウチは、互いに対して折り畳まれ、かつ付着されて、蛇腹構成を形成する、請求項１２に記載のパッケージ。
【請求項２８】
第１の製品を含むように構成されている内部を画定するように一緒に封着された、第１の内側パネル及び第１の外側パネルと、第１の脆弱線とを有する第１のパウチであって、前記第１の脆弱線は、前記第１の脆弱線に沿って前記第１の内側パネルから分離可能な第１の内側閉鎖フラップを画定するように前記第１の内側パネル内に形成されている、第１のパウチと、
前記第１の製品とは異なる第２の製品を含むように構成されている内部を画定するように一緒に封着された、第２の内側パネル及び第２の外側パネルと、第２の脆弱線とを有する第２のパウチであって、前記第２の脆弱線は、前記第２のパウチの内部にアクセスするための開口部を形成するために、前記第２の脆弱線に沿って前記第２の内側パネル及び前記第２の外側パネルから分離可能な除去可能部分を画定するように前記第２の内側パネル及び前記第２の外側パネル内に形成されている、第２のパウチと
を備える、パッケージであって、
前記第１のパウチ及び前記第２のパウチは、ヒンジ及び前記第１の内側閉鎖フラップの両方を中心にして互いに対して付着され、前記分離可能部分は、前記第１のパウチ及び前記第２のパウチへのアクセスが、それぞれ、前記第１のパウチの前記第１の内側閉鎖フラップ及び前記第２のパウチの前記除去可能部分によって制限される、閉鎖位置を有し、
前記パッケージは、第１の開放位置を有し、前記第１の開放位置において、前記第１のパウチ及び前記第２のパウチは、互いから離間し、前記第１の内側閉鎖フラップは、前記第１のパウチへのアクセスを提供するために、前記第１の内側パネルから前記第１の脆弱線に沿って分離される一方で、前記分離可能部分は、前記第２のパウチへのアクセスが制限されるように前記第２のパウチの前記第２の内側パネルに付着されたままであり、
前記パッケージは、第２の開放位置を有し、前記第２の開放位置において、前記第１のパウチ及び前記第２のパウチは、互いから離間し、前記分離可能部分は、前記第２のパウチへのアクセスを提供するために、前記第２の内側パネル及び前記第２の外側パネルから前記第２の脆弱線に沿って分離される、パッケージ。
【請求項２９】
前記第１のパウチ及び前記第２のパウチはそれぞれ、製品を含むように構成されている内部を画定するように一緒に封着された内側パネル及び外側パネルと、脆弱線とを有し、前記脆弱線は、前記第１のパウチの前記内部にアクセスするための開口部を形成するために第１の脆弱線に沿って前記第１のパウチの前記内側パネルから分離可能な第１の内側閉鎖フラップ及び前記第２のパウチの前記内部にアクセスするための開口部を形成するために第２の脆弱線に沿って前記第２のパウチの前記内側パネルから分離可能な第２の内側閉鎖フラップを画定するように、前記内側パネル内に形成され、前記第１のパウチ及び前記第２のパウチは、前記ヒンジ及び前記内側閉鎖フラップの両方を中心にして互いに対して付着されている、請求項１２に記載のパッケージ。
【請求項３０】
前記第１の内側閉鎖フラップは、前記第２の脆弱線に沿って前記第２の内側閉鎖フラップから取り外し可能であり、かつ前記第１のパウチの一部分に取り外し可能に付着されたプルタブを含み、前記プルタブは、前記第２のパウチへのアクセスを提供するために、前記閉鎖位置から前記開放位置に向かう前記第１のパウチ及び前記第２のパウチの移動中に前記第２の脆弱線に沿って前記第２のパウチから優先的に取り外し可能である一方で、前記第１のパウチへのアクセスが制限されるように前記第１のパウチの一部分に付着されたままであり、前記プルタブは、前記第１のパウチへのアクセスを提供するために、前記第１の内側閉鎖フラップを前記第１の脆弱線に沿って前記第１のパウチから取り外すことを可能にするように、前記第１のパウチの一部分から取り外し可能であるように構成されている、請求項２９に記載のパッケージ。
【発明の詳細な説明】
【技術分野】
【０００１】
（関連出願の相互参照）
本願は、２０１４年８月１４日出願の米国仮出願第６２／０３７，５３７号の利益を主張し、それは、参照することによりその全体が本明細書に組み込まれる。
【０００２】
加えて、２０１３年２月１５日出願の米国仮出願第６１／７６５，６３３号、２０１３年３月１５日出願の仮出願第６１／７９１，７１９号、２０１３年９月１９日出願の仮出願第６１／８８０，０９７号、２０１３年１２月１３日出願の仮出願第６１／９１５，９６６号、及び２０１４年２月１４日出願の国際出願第ＰＣＴ／ＵＳ１４／１６３６６号は、それぞれ、参照することによりそれらの全体が本明細書に組み込まれる。
【０００３】
（発明の分野）
パッケージ及びそれらの製造方法、具体的には、分離可能な封着特徴を有するパッケージが本明細書に記載される。
【背景技術】
【０００４】
パッケージ、及び具体的には、可撓性フィルムパッケージは、様々な食品（例えば、チューイングガムスティック、チョコレート、キャンディなど）のために使用される。そのようなパッケージは、消費者製品の保存のための１つ以上のコンパートメントと、コンパートメントを被覆する複数のフラップ及び／又はパネルとを含んでもよい。複数のフラップを含むパッケージの製造は、複数のフィルムシート及び複数の切断線又は折り線を必要とし得、パッケージの製造の複雑性及び費用を増加させる。
【０００５】
パッケージは、インターロッキングファスナストリップ又は対向接着ストリップを介して封着され得る。インターロッキングファスナ及び複数の接着ストリップの製造は、追加の材料及び製造ステップを必要とし得、製造プロセスの複雑性及び費用を不必要に増加させる。加えて、パッケージは、不正開封防止特徴を提供するために、フィルムオーバーラップで一般的に包まれる。オーバーラップの包含は、製造ステップ及び費用を増加させ得る。
【発明の概要】
【課題を解決するための手段】
【０００６】
本明細書に記載されるパッケージは、有利に、可撓性フィルムのウェブ又は板紙のシートなど、材料の単一部分から製造され得る。材料は、１つ以上の閉鎖フラップを画定するように１つ以上の脆弱線で折られ得る。次いで、材料の両側縁部は、折り畳まれ、かつ材料の下層部分に部分的に封着されて、対向開口部を有するパッケージの第１及び第２のパウチ又はコンパートメントを形成することができる。第１のパウチに付着される閉鎖フラップは、２つのパウチが、パウチの開口部間で、ヒンジを中心にして互いに当接又は対向するために折り畳まれるとき、パッケージ内に食品を密閉するために、ヒンジから離れて脆弱線を中心にして折り畳まれ、かつ接着剤又は他の手段を介して、第２のパウチに付着され得る。いったん閉鎖フラップが付着されると、パッケージは、閉鎖フラップを取り外すことなく開放されることはできない。したがって、閉鎖フラップは、パッケージのための不正開封防止特徴を提供する。パウチのうちの一方が、パウチのうちの他方への繰り返される付着を可能にし、初期の開放後のパッケージの再閉鎖を提供する、１つ以上の接着範囲を有することができる。本明細書に記載されるパッケージは、オーバーラップ、フィルム若しくは板紙の複数のシート、及び／又は複数の接着ストリップを必要とするパッケージよりも、製造する費用効率が高くなり得る。
【０００７】
一形態では、食品パッケージは、ヒンジを中心にして互いに付着される第１のパウチと第２のパウチとを含み、第１及び第２のパウチのそれぞれは、食品を含むように構成されている。パッケージは、第１の閉鎖フラップの少なくとも一部がヒンジから離間するように、ヒンジから離間した位置において、第１のパウチに対して、かつ第２のパウチに対して付着された第１の閉鎖フラップを更に含む。第１及び第２のパウチは、閉鎖位置からヒンジを中心にして移動可能であり、第１及び第２のパウチへのアクセスは、閉鎖位置にあるときに第１の閉鎖フラップによって遮断され、第１の閉鎖フラップは、開放位置にあるときに第１及び第２のパウチのうちの少なくとも１つへのアクセスを提供するために、第１及び第２のパウチのうちの１つに対して取り外される。
【０００８】
第１及び第２のパウチのそれぞれは、内側表面と外側表面とを有する外壁を備えることができ、外壁は、パッケージが開放位置と閉鎖位置との間で移動可能であることを可能にするために、ヒンジを中心にして互いに付着される。第１及び第２のパウチのそれぞれは、内側表面と外側表面とを有する内部パネルを備えることができ、内部パネルは、外壁に付着され、隣接した外壁の内側表面の少なくとも一部分に重なる。第１及び第２のパウチのそれぞれはまた、第１及び第２のパウチのそれぞれの内部パネルと外壁との間に、パッケージの端部シールを備えることができる。
【０００９】
第１のパウチの底端部は、第１のパウチの外壁及び内部パネルの交点にあってもよく、第２のパウチの底端部は、第２のパウチの外壁及び内部パネルの交点にあってもよい。第１及び第２のパウチはそれぞれ、閉鎖した底端部を有することができ、第１の脆弱線は、第１のパウチの底端部よりもヒンジに近くてもよい。
【００１０】
パッケージは、パッケージが閉鎖位置から開放位置に移動した後、パッケージを再閉鎖するための手段を更に含むことができる。例えば、パッケージはまた、パッケージが閉鎖位置から開放位置に移動した後、パッケージを再閉鎖するために、パウチのうちの少なくとも１つ上に少なくとも１つの接着範囲を含むことができる。
【００１１】
パッケージは、任意に、第２の脆弱線に沿って第２のパウチに付着され、第２のパウチに重なるように第２の脆弱線を中心にして折り畳まれる、第２の閉鎖フラップを含んでもよい。第２の脆弱線は、ヒンジから離間し得、第２の閉鎖フラップは、第１の閉鎖フラップに付着され得る。閉鎖位置から開放位置へのパッケージの移動後、第１及び第２の閉鎖フラップのうちの１つは、パッケージが開放位置にあるときに第１及び第２の閉鎖フラップが互いに付着され、第１及び第２の閉鎖フラップのうちの１つが、パウチのうちの隣接した１つから取り外されるように、第１及び第２の脆弱線のうちのそれぞれの１つに沿って分離する。
【００１２】
第１及び第２の閉鎖フラップのうちの少なくとも１つは、閉鎖フラップを互いに付着させるための手段を含むことができる。
【００１３】
パッケージは、有利に、可撓性フィルムのウェブ、若しくは板紙の長さ、又は他のそのような材料など、材料の単一シート又は部分から形成され得る。しかしながら、材料の複数の部分もまた、パッケージを形成するために使用され得る。パッケージは、各パウチ内でガムスティックの１つ以上の配列と組み合わされ得る。食品の周囲に気密シールがあってもよい。
【００１４】
上記のパッケージを製造する方法は、第１及び第２の長手方向縁部、長手方向に延在する中央折畳み領域、及び第１の長手方向縁部に隣接した長手方向に延在する第１の脆弱線を有する、可撓性フィルムのウェブ、若しくは板紙の長さ、又は他のそのような材料などの材料を提供することと、中央折畳み領域の両側側面上のフィルム上に、食品の第１及び第２の部分を配置することと、食品の第１の部分の少なくとも一部に重なるように可撓性フィルムの第１の長手方向縁部を折り畳むことと、食品の第２の部分の少なくとも一部に重なるように可撓性フィルムの第２の長手方向縁部を折り畳むことと、第１及び第２のパウチを形成するために、フィルムの重複部分間に端部シールを形成することと、第１のパウチに重なるように第１の脆弱線を中心にして可撓性フィルムの第１の長手方向縁部を折り畳むことと、第１の閉鎖フラップを第２のパウチに付着させるために、ヒンジを中心にして第１及び第２のパウチを互いに向かって折り畳むことと、必要に応じて、パッケージを単体化することと、を含む。
【００１５】
本方法は、第２の長手方向縁部に隣接して、材料内に長手方向に延在する第２の脆弱線を提供することを含んでもよい。本方法は、第１の閉鎖フラップを、第２の脆弱線と第２の長手方向縁部との間の材料の一部分に付着させることを含むことができる。本方法は、パッケージ内に食品を気密封止することを含んでもよい。
【００１６】
上記のパッケージを開放する方法は、脆弱線に沿って閉鎖フラップを取り外すために、閉鎖位置から開放位置に向かって第１及び第２のパウチを移動させることを含むことができる。
【００１７】
別の形態では、食品パッケージは、食品を含むように構成されているパウチを備える。パッケージは、ヒンジを介してパウチに付着され、かつパウチへのアクセスが閉鎖フラップによって遮断される閉鎖位置から、第１の閉鎖フラップが、パウチの内部へのアクセスを提供するために、第１のパウチの一部分から取り外される開放位置に向かって、ヒンジを中心にして移動可能である、閉鎖フラップを含む。
【００１８】
更に別の形態では、少なくとも２つの側面と、頂端部と、底端部とを有するパッケージが提供される。底端部は、側面が互いに概して平行である閉鎖位置から、側面が互いに対して概して平行ではない開放位置まで、側面が枢動することができ、かつ任意に概して同一平面上にあってもよい、一部分を有することができる。パッケージは、最初に内容物へのアクセスを防止するが、内容物へのアクセスを可能にするために、閉鎖位置から開放位置への移動後に断裂されるように構成されている、側面間の上述のフラップなどの分離可能な部材を含むことができる。分離可能な部材は、頂端部と比較して底端部により近くてもよい。
【００１９】
更に別の形態では、パッケージは、背面パネルと、背面パネルに接続されて、パッケージの底端部を形成する前面パネルと、背面パネルに接続される外壁と、前面パネルに取り外し可能に付着され、かつ外壁に隣接して折り畳まれる閉鎖フラップとを含む。製品を含むように構成されている内部を有するパウチを画定する、背面パネル、前面パネル、及び外壁。閉鎖フラップは、前面パネルから離れる外壁及び閉鎖フラップの移動に応じて、パウチの内部へのアクセスを提供するために、前面パネルから取り外し可能である。
【００２０】
一形態では、閉鎖フラップは、前面パネルの隣接した表面に接着剤によって選択的に付着される。
【００２１】
別の形態では、閉鎖フラップは、閉鎖フラップと前面パネルとの間の交点において、脆弱線に沿って前面パネルから取り外し可能である。
【００２２】
更に別の形態では、閉鎖フラップは、前面パネルと第１のＵ字形折り畳み部、及び外壁と第２のＵ字形折り畳み部を形成し、第１及び第２のＵ字形折り畳み部は、反対方向に配向される。
【００２３】
一形態では、パッケージは、背面パネルと、背面パネルに接続されて、パッケージの底端部を形成する前面パネルと、背面パネルにヒンジにより接続される外壁と、前面パネルに取り外し可能に付着され、かつ外壁に封着される閉鎖フラップとを含む。背面パネル、前面パネル、及び外壁は、製品を含むように構成されている内部を有するパウチを画定する。閉鎖フラップは、前面パネルから離れる外壁及び閉鎖フラップの移動に応じて、パウチの内部へのアクセスを提供するために、前面パネルから取り外し可能である。
【００２４】
一形態では、脆弱線は、一対の端部を有し、端部のうちの一方は、端部のうちの他方よりもヒンジから遠い。
【００２５】
パッケージを開放する方法は、脆弱線に沿って閉鎖フラップを取り外すために、閉鎖位置から開放位置に向かって第１及び第２のパウチを移動させることを含み、取り外しは、ヒンジから更に遠い端部のうちの１つにおいて開始する。
【００２６】
一形態では、閉鎖フラップは、閉鎖フラップと前面パネルとの間の交点において、脆弱線に沿って前面パネルから取り外し可能であり、脆弱線は、一対の端部を有し、端部のうちの一方は、端部のうちの他方よりもパッケージの底端部から遠い。
【００２７】
上記のパッケージは、各パウチ内のガムスティックの積層と組み合わされてもよい。
【００２８】
更に別の形態では、パッケージは、外側ヒンジ及び少なくとも１つの内側接続フラップの両方を中心にして互いに対して付着された第１のパウチと第２のパウチとを含み、第１及び第２のパウチのそれぞれは、製品を含むように構成されている。第１及び第２のパウチは、第１及び第２のパウチへのアクセスが内側接続フラップによって遮断される閉鎖位置から、内側接続フラップが、第１及び第２のパウチのうちの少なくとも１つへのアクセスを提供するために、第１及び第２のパウチのうちの１つに対して少なくとも部分的に取り外すように断裂可能である開放位置に向かって、ヒンジを中心にして移動可能である。
【００２９】
１つのアプローチでは、内側接続フラップは、第１及び第２のパウチのうちの１つを覆うように折り畳まれる。内側接続フラップは、接着剤を使用して、脆弱線に沿って第１及び第２のパウチのうちの一方に、かつ第１及び第２のパウチのうちの他方に付着されてもよい。
【００３０】
一形態では、脆弱線は、一対の端部を有し、端部のうちの一方は、端部のうちの他方よりもヒンジから遠い。
【００３１】
第１及び第２のパウチは、一対の内側接続フラップを中心にして互いに対して付着されてもよい。内側接続フラップのうちの一方は、第１のパウチに付着されてもよく、内側接続フラップのうちの他方は、第２のパウチに付着されてもよく、第１及び第２の内側接続フラップは、互いに付着されてもよい。
【００３２】
一形態では、内側接続フラップのうちの一方は、第１の脆弱線に沿って第１のパウチに付着され、内側接続フラップのうちの他方は、第２の脆弱線に沿って第２のパウチに付着される。一対の内側接続フラップは、接着剤を使用して、互いに付着されてもよい。
【００３３】
一形態では、パッケージは、第１及び第２のパウチのそれぞれが、内側表面と外側表面とを有する外壁を備え、外壁が、パッケージが開放位置と閉鎖位置との間で移動可能であることを可能にするために、ヒンジを中心にして互いに付着され、第１及び第２のパウチのそれぞれが、内側表面と外側表面とを有する内部パネルを備え、内部パネルが、外壁に付着され、隣接した外壁の内側表面の少なくとも一部分に重なり、かつパッケージの端部シールが、第１及び第２のパウチのそれぞれの内部パネルと外壁との間に位置付けられるように構成されている。
【００３４】
パウチのそれぞれは、製品へのアクセスを提供するために、ヒンジに対向する開口部を有してもよい。パウチのうちの少なくとも１つは、開口部にアクセスするための手段を含んでもよい。
【００３５】
１つのアプローチでは、パッケージは、可撓性フィルムの単一シートから形成される。パッケージは、各パウチ内でガムスティックの配列又は積層と組み合わせて使用されてもよい。一形態では、パッケージは、製品の周囲の気密シールによって封着されてもよい。
【００３６】
一形態では、パッケージは、パッケージが閉鎖位置から開放位置に最初に移動した後、パッケージを再閉鎖するための手段を含んでもよい。
【００３７】
一形態では、パッケージは、第１のパウチ及び第２のパウチであって、パウチのそれぞれは、製品を含むように構成されている内部を画定するように一緒に封着された内側パネル及び外側パネルを有する、第１のパウチ及び第２のパウチと、内部にアクセスするための開口部を形成するために脆弱線に沿って内側パネルから分離可能な内側閉鎖フラップを画定するように、内側パネル内に形成された脆弱線とを備える。第１及び第２のパウチは、外側ヒンジ及び内側閉鎖フラップの両方を中心にして互いに対して付着され、かつ第１及び第２のパウチへのアクセスが、それらのそれぞれの内側パネルに付着されている内側閉鎖フラップによって遮断される閉鎖位置から、内側閉鎖フラップのうちの少なくとも１つが、第１及び第２のパウチのうちのそれぞれの１つへのアクセスを提供するために、そのそれぞれの脆弱線に沿って分離可能である開放位置に向かって、ヒンジを中心にして移動可能である。
【００３８】
一形態では、脆弱線のそれぞれは、その端部と比較して、ヒンジから更に遠く離間した中間区分を有する。
【００３９】
脆弱線のそれぞれは、弓状であってもよい。第１及び第２のパウチの外側パネルは、ヒンジで接合されてもよい。第１及び第２のパウチの外側パネルは、ヒンジを画定する共通の外側カバーにそれぞれ接合されてもよい。
【００４０】
１つのアプローチでは、脆弱線のうちの１つを破断するために必要とされる力は、内側閉鎖フラップを分離するために必要とされる力よりも小さい。
【００４１】
１つのアプローチでは、パッケージは、製品を含むように構成されている内部を画定するように一緒に封着された内側パネル及び外側パネルと、第３のパウチの内部にアクセスするための開口部を形成するために脆弱線に沿って内側パネルから分離可能な内側閉鎖フラップを画定するように、内側パネル内に形成された脆弱線とを有する、第３のパウチを更に含む。第３のパウチは、第２の外側ヒンジを中心にして第２のパウチに対して付着されて、かつ第３のパウチの内側閉鎖フラップによって、第１のパウチに対して付着されてもよい。
【００４２】
第３のパウチは、第３のパウチの内部へのアクセスが、第１のパウチの外側パネルに付着されている第３のパウチの内側閉鎖フラップによって遮断される閉鎖位置から、第３のパウチの内側閉鎖フラップが脆弱線に沿って分離される開放位置に向かって、第２の外側ヒンジを中心にして移動可能であってもよい。
【００４３】
１つのアプローチでは、第３のパウチは、第２の外側ヒンジに近接して位置する脆弱線に沿って、第２のパウチから分離可能である。
【００４４】
パッケージを開放する方法は、第１のパウチの内部へのアクセスを提供するために、第１のパウチの内側パネルの残りの部分から、第１のパウチの閉鎖フラップを分離するために、閉鎖位置から開放位置に第１及び第２のパウチを移動させることを含む。本方法は、第２のパウチの内部へのアクセスを提供するために、第２のパウチの内側パネルの残りの部分から第２のパウチの閉鎖フラップを分離するために、パッケージを操作することを含んでもよい。
【００４５】
一形態では、上記のパッケージを開放する方法は、閉鎖位置から開放位置に向かって、外側ヒンジを中心にして第１及び第２のパウチを移動させることと、第１のパウチが、第１のパウチ内の製品へのアクセスを提供するために開放している一方で、第２のパウチが、第２のパウチ内の製品へのアクセスを制限するために封着されたままであるように、第２のパウチの脆弱線に沿って、第２のパウチの内側パネルに付着される第２のパウチの内側閉鎖フラップを分離することなく、第１のパウチの脆弱線に沿って、第１のパウチの内側パネルから第１のパウチの内側閉鎖フラップを分離することと、を含む。
【００４６】
本方法は、閉鎖位置から開放位置に向かう第１のパウチの移動中に第１のパウチの外側パネル内に第２のヒンジを形成することを更に含んでもよく、第２のヒンジが形成されるとき、第１のパウチが、第１のパウチ内の製品へのアクセスを提供するために開放している一方で、第２のパウチは、第２のパウチ内の製品へのアクセスを制限するために封着されたままである。
【００４７】
本方法は、第２のヒンジが外側ヒンジよりも第２のパウチの底端部に近くなるように、第１のパウチの外側パネルを位置付けることを更に含んでもよい。
【００４８】
本方法は、第２のパウチを開放して、第２のパウチ内の製品へのアクセスを提供するために、第２のパウチの脆弱線に沿って、第２のパウチの内側パネルから第２のパウチの内側閉鎖フラップを分離するために、外側ヒンジから離れた方向に第１のパウチの底端部を移動させることによって、第１のパウチを移動させることを更に含んでもよい。
【００４９】
１つのアプローチでは、第１のパウチを移動させることは、パッケージの長さを増加させるために、第２のパウチの底端部から離れた方向に第１のパウチの底端部を移動させることを更に含み、パッケージの長さは、外側ヒンジに垂直な線に沿った、第１のパウチの底端部と第２のパウチの底端部との間の距離として画定される。
【００５０】
１つのアプローチでは、第１のパウチの底端部を移動させることは、第２のパウチの底端部から離れた方向に第２のヒンジを移動させることを含む。
【００５１】
１つのアプローチでは、第２のパウチの底端部から離れた方向への第２のヒンジの移動は、第２のパウチの底端部から離れた方向に、第２のヒンジが外側ヒンジよりも第２のパウチの底端部から更に離れている位置まで、第２のヒンジを移動させることを含む。
【００５２】
本方法は、閉鎖位置から開放位置に向かう外側ヒンジを中心にしての第１及び第２のパウチの移動中に互いに付着された第１及び第２のパウチの内側閉鎖フラップを維持することを更に含んでもよい。本方法は、第１及び第２のパウチのうちの少なくとも１つから外への製品の移動を制限するために、第１及び第２のパウチのうちの少なくとも１つの開口部を少なくとも部分的に遮断するために、第１及び第２のパウチの内側閉鎖フラップを位置付けることを更に含んでもよい。
【００５３】
１つのアプローチでは、パッケージを開放する方法は、閉鎖位置から開放位置に向かって、外側ヒンジを中心にして第１及び第２のパウチを移動させることと、第１のパウチ及び第２のパウチが、第１のパウチ内の製品及び第２のパウチ内の製品へのアクセスを提供するために、実質的に同時に開放するように、第１のパウチの脆弱線に沿って、第１のパウチの内側パネルから第１のパウチの内側閉鎖フラップを、かつ第２のパウチの脆弱線に沿って、第２のパウチの内側パネルに付着される第２のパウチの内側閉鎖フラップを実質的に同時に分離することと、を含んでもよい。
【００５４】
一実施形態では、パッケージは、第１のパウチ及び第２のパウチであって、パウチのそれぞれは、製品を含むように構成されている内部を画定するように一緒に封着された内側パネル及び外側パネルを有する、第１のパウチ及び第２のパウチと、隣接した外側パネルに対して付着され、かつ内部にアクセスするための開口部を形成するために脆弱線に沿って内側パネルから分離可能な内側閉鎖フラップを画定するように、内側パネル内に形成された脆弱線とを含み、第１及び第２のパウチは、外側ヒンジ及び内側閉鎖フラップの両方を中心にして互いに対して付着される。第１及び第２のパウチは、第１及び第２のパウチへのアクセスが、それらのそれぞれの内側パネルに付着されている内側閉鎖フラップによって遮断される閉鎖位置から、内側閉鎖フラップのうちの少なくとも１つが、第１及び第２のパウチのうちのそれぞれの１つへのアクセスを提供するために、そのそれぞれの脆弱線に沿って分離される開放位置に向かって、ヒンジを中心にして移動可能である。第１のパウチの内側パネルは、第２のヒンジを含み、閉鎖位置から開放位置に向かう第１及び第２のパウチの移動中に第１のパウチの内側パネルの一部分が第２のヒンジを中心にして折り畳むことを可能にする。第２のパウチの内側パネルは、第３のヒンジを含み、閉鎖位置から開放位置に向かう第１及び第２のパウチの移動中に第２のパウチの内側パネルの一部分が第３のヒンジを中心にして折り畳むことを可能にする。第２のヒンジと外側ヒンジとの間の第１のパウチの一部分、第３のヒンジと外側ヒンジとの間の第２のパウチの一部分、及び内側閉鎖フラップの部分は、パッケージの少なくとも一部分にわたって延在する間隙を画定する。
【００５５】
一実施形態では、パッケージは、それぞれが製品を含むように構成されている内部を画定するように内側パネル及び外側パネルを有する、第１のパウチ及び第２のパウチと、内部への開口部を形成するために、脆弱線に沿って内側パネルから分離可能な閉鎖フラップを画定するように内側パネル内に形成された脆弱線とを含む。第１及び第２のパウチは、ヒンジを中心にして互いに対して付着され、かつ第１及び第２のパウチへのアクセスが、それらのそれぞれの内側パネルに付着されている閉鎖フラップによって遮断される閉鎖位置から、閉鎖フラップのうちの少なくとも１つが、開口部を通る第１及び第２のパウチのうちのそれぞれの１つへのアクセスを提供するために、そのそれぞれの脆弱線に沿って分離される開放位置に向かって、ヒンジを中心にして移動可能である。第１及び第２のパウチの開口部は、閉鎖位置から開放位置への第１及び第２のパウチの移動中にヒンジ及び互いに対向する。閉鎖フラップのうちの第１は、ヒンジに対して移動可能であり、閉鎖位置から開放位置への、少なくとも１８０度の回転度での互いから離れた第１及び第２のパウチの移動中に第１のパウチからの除去から製品を制限するために、第１のパウチの開口部の少なくとも一部分を遮断する。
【００５６】
一実施形態では、マルチコンパートメント可撓性パッケージは、一体化閉鎖フラップを有する第１の密閉コンパートメントと、第１のヒンジによって第１の密閉コンパートメントに接続され、かつ一体化閉鎖フラップを有する、第２の密閉コンパートメントと、第２のヒンジによって第２の密閉コンパートメントに接続され、かつ一体化閉鎖フラップを有する、第３の密閉コンパートメントとを含む。第１の密閉コンパートメントは、第２の密閉コンパートメントと第３の密閉コンパートメントとの間に配置される。第３の密閉コンパートメントの閉鎖フラップは、第２のヒンジを中心にした第３の密閉コンパートメントの移動によって、第３の密閉コンパートメントの一体化閉鎖フラップが、第３の密閉コンパートメントの内部へのアクセスを可能にするために開放するように、第１の密閉コンパートメントに付着される。第１及び第２の密閉コンパートメントの一体化閉鎖フラップは、第１又は第２のコンパートメントのうちの他方から離れた、第１のヒンジを中心にした第１又は第２の密閉コンパートメントの移動によって、第１及び第２の密閉コンパートメントの閉鎖フラップのうちの少なくとも１つが、第１及び第２の密閉コンパートメントのうちの少なくとも１つの内部へのアクセスを可能にするために開放するように、互いに付着される。
【００５７】
１つのアプローチでは、第３のパウチは、第２のヒンジに近接して位置する脆弱線に沿って、第２のパウチから分離可能である。第１及び第２のパウチは、第１のヒンジに近接して位置する脆弱線に沿って、互いから分離可能であってもよい。
【００５８】
１つのアプローチでは、第１、第２、及び第３の密閉コンパートメントの一体化閉鎖フラップのそれぞれは、そのそれぞれの密閉コンパートメントから、脆弱線に沿って少なくとも部分的に分離することによって開放してもよい。
【００５９】
１つのアプローチでは、パッケージは、製品を含むように構成されている内部を画定するように一緒に封着された第１の内側パネル及び第１の外側パネルと、第１の脆弱線に沿って第１の内側パネルから分離可能な第１の内側閉鎖フラップを画定するように第１の内側パネル内に形成された第１の脆弱線とを有する、第１のパウチを含む。パッケージはまた、製品を含むように構成されている内部を画定するように一緒に封着された第２の内側パネル及び第２の外側パネルと、第２のパウチの内部にアクセスするための開口部を形成するために、第２の脆弱線に沿って第２の内側パネルから分離可能な第２の内側閉鎖フラップを画定するように第２の内側パネル内に形成された第２の脆弱線とを有する、第２のパウチを含み、第２の内側閉鎖フラップは、第１の内側閉鎖フラップと比較して、第２の脆弱線に沿って第２の内側パネルから優先的に取り外すように構成されている。第１及び第２のパウチは、ヒンジ並びに第１及び第２の内側閉鎖フラップの両方を中心にして互いに対して付着され、かつ第１及び第２のパウチへのアクセスが、それらのそれぞれの第１及び第２の内側パネルに付着されている第１及び第２の内側閉鎖フラップによって制限される閉鎖位置を有する。第１及び第２のパウチは、初期開放位置を有し、第１及び第２のパウチは、互いから離間し、第２の内側閉鎖フラップが、第１の内側閉鎖フラップと比較して、第２のパウチへのアクセスを提供するために、第２の内側パネルから第２の脆弱線に沿って優先的に分離される一方で、第１の内側閉鎖フラップは、第１の内側パネルに付着されたままであり、第１のパウチへのアクセスは制限される。
【００６０】
パッケージを開放する方法は、第２のパウチの内部へのアクセスを提供するために、第２の脆弱線に沿って、第２のパウチの第２の内側パネルから第２のパウチの第２の内側閉鎖フラップを優先的に分離するために、閉鎖位置から初期開放位置に向かって、互いから離れた方向にヒンジを中心にして第１及び第２のパウチを移動させることを含んでもよい。
【００６１】
パッケージを開放する方法は、閉鎖位置から開放位置に向かって、互いから離れた方向にヒンジを中心にして第１及び第２のパウチを移動させることと、第２のパウチが、第２のパウチ内の製品へのアクセスを提供するために開放している一方で、第１のパウチが、第１のパウチ内の製品へのアクセスを制限するために封着されたままであるように、第１のパウチの第１の脆弱線に沿って、第１のパウチの第１の内側パネルに付着される第１のパウチの第１の内側閉鎖フラップを分離することなく、第２のパウチの第２の脆弱線に沿って、第２のパウチの第２の内側パネルから第２の内側閉鎖フラップを優先的に分離することと、を含んでもよい。
【００６２】
一形態では、パッケージは、ヒンジによって接合され、かつ第１及び第２のパウチが互いに対向し、閉鎖される閉鎖位置と、第１及び第２のパウチがヒンジによって離間し、第１のパウチがその中の内容物へのアクセスを提供するために開放され、第２のパウチがその中の内容物へのアクセスを制限するために閉鎖される初期開放位置と、第１及び第２のパウチがヒンジによって離間し、第１及び第２のパウチがその中の内容物へのアクセスを提供するために開放される後続開放位置とを有する、第１及び第２のパウチを含む。パッケージはまた、閉鎖位置から初期開放位置への第１及び第２のパウチの移動中に、第２のパウチと比較して、第１のパウチの優先的な開放のための手段を含んでもよい。
【００６３】
１つのアプローチでは、第１のパウチは、第１のパウチが第１の脆弱線に沿った第１のパウチの一部分の分離によって開放することを可能にする、第１の脆弱線を含み、第２のパウチは、第２のパウチが第２の脆弱線に沿った第２のパウチの一部分の分離によって開放することを可能にする、第２の脆弱線を含む。第１の脆弱線の中間部分は、第１のパウチの優先的な開放のための手段を少なくとも部分的に包囲してもよく、第１のパウチの優先的な開放のための手段に隣接した第１の脆弱線の部分と比較して、ヒンジから離れて外側方向に延在する。第２の脆弱線の中間部分は、第２の脆弱線の中間部分に隣接した第２の脆弱線の部分と比較して、ヒンジに向かって内側方向に少なくとも部分的に延在してもよい。
【００６４】
一形態では、第２のパウチは、第３の脆弱線に沿った第１のパウチからの第２のパウチの取り外しを可能にする、第３の脆弱線を更に含む。
【００６５】
一形態では、第２のパウチは、第１の側縁部と、第１の側縁部と反対側の第２の側縁部とを含み、第３の脆弱線は、第２のパウチの第１及び第２の側縁部と交差し、かつヒンジに平行な方向で、第１の側縁部と第２の側縁部との間に延在する。
【００６６】
一形態では、パッケージは、パッケージが閉鎖したとき、第４及び第５の脆弱線が第３の脆弱線を部分的に覆い得るように、第２のパウチ内に形成される第４及び第５の脆弱線を更に含む。
【００６７】
第２のパウチは、第１の端部シールと、第１の端部シールと反対側の第２の端部シールとを含んでもよく、第４の脆弱線は、第１の端部シールにわたって延在してもよく、第５の脆弱線は、第２の端部シールにわたって延在してもよく、第３の脆弱線は、第１及び第２の端部シールの両方にわたって延在してもよい。
【００６８】
パッケージを開放する方法は、第３の脆弱線に沿って第２のパウチ内の引裂を開始することと、第１のパウチから第２のパウチを取り外すために、第３の脆弱線に沿って第２のパウチ内の引裂を伝搬することと、を含んでもよい。
【００６９】
パッケージは、第１のパウチの第１の外側パネル及び第２のパウチの第２の外側パネルの一部分に付着されたテープを備える、パッケージ完全性特徴を含んでもよい。テープは、テープの部分が、初期開放位置に向かう第１及び第２のパウチの移動に応じて、少なくとも１つの完全性脆弱線に沿って互いから分離することを可能にするように構成されている、少なくとも１つの完全性脆弱線を含んでもよい。
【００７０】
一形態では、パッケージは、第１及び第２のパウチの第１及び第２の内側パネルのうちの少なくとも１つの一部分のそれぞれに付着された接着剤を備える、パッケージ完全性特徴を含んでもよい。接着剤は、初期開放位置に向かう第１及び第２のパウチの移動に応じて、目に見えて変形するように構成されてもよい。
【００７１】
一形態では、パウチのうちの少なくとも１つは、第１のコンパートメントと、第１のコンパートメントから分離した第２のコンパートメントとを備え、第１及び第２のコンパートメントは、コンパートメント脆弱線において接合されてもよい。第１及び第２のコンパートメントのそれぞれは、コンパートメント脆弱線に沿って、互い及びパッケージから分離可能であってもよい。
【００７２】
第１及び第２の内側閉鎖フラップのうちの一方は、第１及び第２のコンパートメントのうちのそれぞれの１つを開放するために、第１及び第２のパウチの第１及び第２の内側パネルのうちのそれぞれの１つから取り外し可能な少なくとも２つのプルタブを含んでもよい。
【００７３】
第１及び第２の内側閉鎖フラップのうちの一方は、少なくとも２つのプルタブが閉鎖フラップ脆弱線に沿って互いから分離されることを可能にする閉鎖フラップ脆弱線を含む、少なくとも２つのプルタブを含んでもよい。
【００７４】
パッケージは、第２、第３、及び第４のパウチを更に含んでもよく、第１、第２、第３、第４、及び第５のパウチはそれぞれ、それぞれの脆弱線に沿って互いから分離可能である。第１、第２、第３、第４、及び第５のパウチは、互いに対して折り畳まれ、かつ付着されて、蛇腹構成を形成してもよい。
【００７５】
パッケージは、フィンシールを含んでもよい。フィンシールは、第１のパウチの第１の外側パネル及び第２のパウチの第２の外側パネルを接合してもよい。フィンシールは、第１のパウチの第１の内側パネル及び第２のパウチの第２の内側パネルを接合してもよい。
【００７６】
一形態では、パッケージは、第１の製品を含むように構成されている内部を画定するように一緒に封着された第１の内側パネル及び第１の外側パネルと、第１の脆弱線に沿って第１の内側パネルから分離可能な第１の内側閉鎖フラップを画定するように第１の内側パネル内に形成された第１の脆弱線とを有する、第１のパウチを含む。パッケージは、第１の製品とは異なる第２の製品を含むように構成されている内部を画定するように一緒に封着された第２の内側パネル及び第２の外側パネルと、第２のパウチの内部にアクセスするための開口部を形成するために、第２の脆弱線に沿って第２の内側パネル及び第２の外側パネルから分離可能な除去可能部分を画定するように第２の内側パネル及び第２の外側パネル内に形成された第２の脆弱線とを有する、第２のパウチを更に含む。第１及び第２のパウチは、ヒンジ及び第１の内側閉鎖フラップの両方を中心にして互いに対して付着され、分離可能部分は、第１及び第２のパウチへのアクセスが、第１のパウチの第１の内側閉鎖フラップ及び第２のパウチの除去可能部分のそれぞれによって制限される、閉鎖位置を有する。パッケージは、第１の開放位置を有し、第１及び第２のパウチは、互いから離間し、第１の内側閉鎖フラップが、第１のパウチへのアクセスを提供するために、第１の内側パネルから第１の脆弱線に沿って分離される一方で、分離可能部分が、第２のパウチへのアクセスが制限されるように第２のパウチの第２の内側パネル及び第２の内側パネルに付着されたままである、第１の開放位置を有する。パッケージは、第１及び第２のパウチが、互いから離間し、分離可能部分が、第２のパウチへのアクセスを提供するために、第２の内側パネル及び第２の外側パネルから第２の脆弱線に沿って分離される、第２の開放位置を有する。
本明細書は、例えば、以下の項目も提供する。
（項目１）
外側ヒンジ及び少なくとも１つの内側接続フラップの両方を中心にして互いに対して付着されている、第１のパウチ及び第２のパウチを備える、パッケージであって、前記第１のパウチ及び前記第２のパウチのそれぞれは、製品を含むように構成されており、
前記第１のパウチ及び前記第２のパウチは、閉鎖位置から前記ヒンジを中心にして移動可能であり、前記閉鎖位置にあるときに、前記第１のパウチ及び前記第２のパウチへのアクセスは、前記少なくとも１つの内側接続フラップによって遮断されており、開放位置にあるときに、前記少なくとも１つの内側接続フラップは、前記第１のパウチ及び前記第２のパウチのうちの少なくとも１つへのアクセスを提供するために、前記第１のパウチ及び前記第２のパウチのうちの１つに対して少なくとも部分的に取り外すように断裂可能であり、
前記少なくとも１つの内側接続フラップは、一対の内側接続フラップであり、前記第１のパウチ及び前記第２のパウチは、前記一対の内側接続フラップを中心にして互いに対して付着され、
前記内側接続フラップのうちの一方は、第１の脆弱線に沿って前記第１のパウチに付着され、前記内側接続フラップのうちの他方は、第２の脆弱線に沿って前記第２のパウチに付着され、前記第１の内側接続フラップ及び前記第２の内側接続フラップは、互いに付着され、
前記内側接続フラップのうちの一方は、前記第１の脆弱線に沿って前記内側接続フラップのうちの一方から取り外し可能であり、かつ前記第２のパウチの一部分に取り外し可能に付着されたプルタブを含み、前記プルタブは、前記第１のパウチへのアクセスを提供するために、前記閉鎖位置から前記開放位置に向かう前記第１のパウチ及び前記第２のパウチの移動中に前記第１の脆弱線に沿って前記第１のパウチから優先的に取り外し可能である一方で、前記第２のパウチへのアクセスが制限されるように前記第２のパウチの一部分に付着されたままである、パッケージ。
（項目２）
前記プルタブは、前記第２のパウチへのアクセスを提供するために、前記内側接続フラップの他方を前記第２の脆弱線に沿って前記第２のパウチから取り外すことを可能にするように、前記第２のパウチの一部分から取り外し可能であるように構成されている、項目１に記載のパッケージ。
（項目３）
製品を含むように構成されている内部を画定するように一緒に封着された第１の内側パネル及び第１の外側パネルと、第１の脆弱線とを有する第１のパウチであって、前記第１の脆弱線は、前記第１の脆弱線に沿って前記第１の内側パネルから分離可能な第１の内側閉鎖フラップを画定するように前記第１の内側パネル内に形成されている、第１のパウチと、
製品を含むように構成されている内部を画定するように一緒に封着された第２の内側パネル及び第２の外側パネルと、第２の脆弱線とを有する第２のパウチであって、前記第２の脆弱線は、前記第２のパウチの内部にアクセスするための開口部を形成するために、第２の脆弱線に沿って前記第２の内側パネルから分離可能な第２の内側閉鎖フラップを画定するように前記第２の内側パネル内に形成され、前記第２の内側閉鎖フラップは、前記第１の内側閉鎖フラップと比較して、前記第２の脆弱線に沿って前記第２の内側パネルから優先的に取り外すように構成されている、第２のパウチと
を備える、パッケージであって、
前記第１のパウチ及び前記第２のパウチは、ヒンジと前記第１の内側閉鎖フラップ及び前記第２の内側閉鎖フラップとの両方を中心にして互いに対して付着され、かつ前記第１のパウチ及び前記第２のパウチへのアクセスは、それらのそれぞれの第１の内側パネル及び第２の内側パネルに付着されている前記第１の内側閉鎖フラップ及び前記第２の内側閉鎖フラップによって制限される、閉鎖位置を有し、前記第１のパウチ及び前記第２のパウチは、初期開放位置を有し、前記初期開放位置において、前記第１のパウチ及び前記第２のパウチは、互いから離間し、前記第２の内側閉鎖フラップは、前記第１の内側閉鎖フラップと比較して、前記第２のパウチへのアクセスを提供するために、前記第２の内側パネルから前記第２の脆弱線に沿って優先的に分離される一方で、前記第１の内側閉鎖フラップは、前記第１の内側パネルに付着されたままであり、前記第１のパウチへのアクセスが制限される、パッケージ。
（項目４）
前記第２の内側閉鎖フラップは、前記第２の脆弱線に沿って前記第２の内側パネルから取り外し可能であり、かつ前記第１のパウチの内側パネルの一部分に取り外し可能に付着されたプルタブを含み、前記プルタブは、前記第２のパウチへのアクセスを提供するために、前記閉鎖位置から前記初期開放位置に向かう前記第１のパウチ及び前記第２のパウチの移動中に、前記第１の内側閉鎖フラップと比較して、前記第２の脆弱線に沿って前記第２のパウチの内側パネルから優先的に取り外し可能である一方で、前記第１のパウチへのアクセスが制限されるように前記第１のパウチの内側パネルの一部分に付着されたままであり、前記プルタブは、前記第１のパウチへのアクセスを提供するために、前記第１の内側閉鎖フラップを前記第１の脆弱線に沿って前記第１のパウチの内側パネルから取り外すことを可能にするように、最終開放位置への前記第１のパウチ及び前記第２のパウチの移動中に前記第１のパウチの内側パネルの一部分から取り外し可能であるように構成されている、項目３に記載のパッケージ。
（項目５）
前記第１の脆弱線及び前記第２の脆弱線のそれぞれは、その端部と比較して、前記ヒンジから更に離間した中間区分を有する、項目３に記載のパッケージ。
（項目６）
前記第２の脆弱線の中間区分の一部分は、前記プルタブを少なくとも部分的に包囲し、前記プルタブに隣接した前記第２の脆弱線の部分と前記第２の脆弱線の端部との両方と比較して、前記ヒンジから更に離間している、項目４及び５のいずれか一項に記載のパッケージ。
（項目７）
前記プルタブの外周に沿って延在する前記第２の脆弱線の一部分は、弓状であり、第１の曲率半径を有し、前記第２の脆弱線は、弓状であり、第１の曲率半径を有し、前記プルタブに隣接した前記第２の脆弱線の部分は、前記第１の曲率半径とは異なる第２の曲率半径を伴い、弓状である、項目５及び６のいずれか一項に記載のパッケージ。
（項目８）
前記第１のパウチの外側パネル及び前記第２のパウチの外側パネルは、前記ヒンジにおいて接合されている、項目５〜７のいずれか一項に記載のパッケージ。
（項目９）
前記第１の脆弱線及び前記第２の脆弱線を破断するために必要とされる力は、前記第１の内側閉鎖フラップ及び前記第２の内側閉鎖フラップを分離するために必要とされる力よりも小さい、項目５〜８のいずれか一項に記載のパッケージ。
（項目１０）
前記第２の脆弱線を破断するために必要とされる力は、前記第１の内側パネルから前記プルタブを分離するために必要とされる力よりも小さい、項目５〜９のいずれか一項に記載のパッケージ。
（項目１１）
前記第１の脆弱線の中間部分は、前記第１の脆弱線の中間部分に隣接した前記第１の脆弱線の部分と比較して、前記ヒンジに向かって内側方向に少なくとも部分的に延在し、前記第２の脆弱線の中間部分は、前記プルタブを少なくとも部分的に包囲し、かつ前記プルタブに隣接した前記第２の脆弱線の部分と比較して、前記ヒンジから離れて外側方向に延在する、項目３に記載のパッケージ。
（項目１２）
ヒンジによって接合された第１のパウチ及び第２のパウチであって、
前記第１のパウチ及び前記第２のパウチが互いに面し、閉鎖される、閉鎖位置と、
前記第１のパウチ及び前記第２のパウチが前記ヒンジによって離間した、初期開放位置であって、前記第１のパウチは、その中の内容物へのアクセスを提供するために開放され、前記第２のパウチは、その中の内容物へのアクセスを制限するために閉鎖される、初期開放位置と、
前記第１のパウチ及び前記第２のパウチが前記ヒンジによって離間し、前記第１のパウチ及び前記第２のパウチがそれらの中の前記内容物へのアクセスを提供するために開放される、後続開放位置と
を有する、第１のパウチ及び第２のパウチと、
前記閉鎖位置から前記初期開放位置への前記第１のパウチ及び前記第２のパウチの移動中の、前記第２のパウチと比較した、前記第１のパウチの優先的な開放のための手段と
を備える、パッケージ。
（項目１３）
前記第１のパウチは、第１の脆弱線を含み、前記第１の脆弱線は、前記第１のパウチが前記第１の脆弱線に沿った前記第１のパウチの一部分の分離によって開放することを可能にし、前記第２のパウチは、第２の脆弱線を含み、前記第２の脆弱線は、前記第２のパウチが前記第２の脆弱線に沿った前記第２のパウチの一部分の分離によって開放することを可能にする、項目１２に記載のパッケージ。
（項目１４）
前記第１の脆弱線の中間部分は、前記第１のパウチの優先的な開放のための前記手段を少なくとも部分的に包囲し、かつ前記第１のパウチの優先的な開放のための前記手段に隣接した前記第１の脆弱線の部分と比較して、前記ヒンジから離れて外側方向に延在し、前記第２の脆弱線の中間部分は、前記第２の脆弱線の中間部分に隣接した前記第２の脆弱線の部分と比較して、前記ヒンジに向かって内側方向に少なくとも部分的に延在する、項目１３に記載のパッケージ。
（項目１５）
前記第２のパウチは、第３の脆弱線を含み、前記第３の脆弱線は、第３の脆弱線に沿った前記第１のパウチからの前記第２のパウチの取り外しを可能にする、項目１３に記載のパッケージ。
（項目１６）
前記第２のパウチは、第１の側縁部と、前記第１の側縁部と反対側の第２の側縁部とを含み、前記第３の脆弱線は、前記第２のパウチの前記第１の側縁部及び前記第２の側縁部と交差し、かつ前記ヒンジに平行な方向で、前記第１の側縁部と前記第２の側縁部との間に延在する、項目１５に記載のパッケージ。
（項目１７）
前記第２のパウチ内に形成された第４の脆弱線及び第５の脆弱線を更に備え、前記第４の脆弱線及び前記第５の脆弱線は、前記パッケージが閉鎖されるときに、前記第３の脆弱線に部分的に重なり、前記第２のパウチは、第１の端部シールと、前記第１の端部シールと反対側の第２の端部シールとを含み、前記第４の脆弱線は、前記第１の端部シールにわたって延在し、前記第５の脆弱線は、前記第２の端部シールにわたって延在し、前記第３の脆弱線は、前記第１の端部シール及び前記第２の端部シールの両方にわたって延在する、項目１５に記載のパッケージ。
（項目１８）
第３の脆弱線を更に備え、前記第３の脆弱線は、前記第３の脆弱線に沿った前記第１のパウチからの前記第２のパウチの取り外しを容易にするために、前記第２のパウチ内に形成されている、項目３に記載のパッケージ。
（項目１９）
前記第３の脆弱線は、前記第２のパウチの前記第２の外側パネル内に形成されている、項目１８に記載のパッケージ。
（項目２０）
前記第２のパウチは、第１の側縁部と、前記第１の側縁部と反対側の第２の側縁部とを含み、前記第３の脆弱線は、前記第２のパウチの前記第１の側縁部及び前記第２の側縁部と交差し、かつ前記ヒンジに平行な方向で、前記第１の側縁部と前記第２の側縁部との間に延在する、項目１８に記載のパッケージ。
（項目２１）
前記第２のパウチの前記第２の内側パネル内に形成された第４の脆弱線及び第５の脆弱線を更に備え、前記第４の脆弱線及び前記第５の脆弱線は、前記パッケージが閉鎖されるときに、前記第３の脆弱線に部分的に重なり、前記第２のパウチは、第１の端部シールと、前記第１の端部シールと反対側の第２の端部シールとを含み、前記第４の脆弱線は、前記第１の端部シールにわたって延在し、前記第５の脆弱線は、前記第２の端部シールにわたって延在し、前記第３の脆弱線は、前記第１の端部シール及び前記第２の端部シールの両方にわたって延在する、項目１８に記載のパッケージ。
（項目２２）
前記パウチのうちの少なくとも１つは、第１のコンパートメントと、前記第１のコンパートメントから分離された第２のコンパートメントとを備え、前記第１のコンパートメント及び前記第２のコンパートメントは、コンパートメント脆弱線で接合され、前記第１のコンパートメント及び前記第２のコンパートメントのそれぞれは、前記コンパートメント脆弱線に沿って、互い及び前記パッケージから分離可能である、項目３に記載のパッケージ。
（項目２３）
前記第１の内側閉鎖フラップ及び前記第２の内側閉鎖フラップのうちの１つは、前記第１のコンパートメント及び前記第２のコンパートメントのうちのそれぞれの１つを開放するために、前記第１のパウチ及び前記第２のパウチの第１の内側パネル及び第２の内側パネルのうちのそれぞれの１つから取り外し可能な少なくとも２つのプルタブを含み、前記少なくとも２つのプルタブを含む、前記第１の内側閉鎖フラップ及び前記第２の内側閉鎖フラップのうちの１つは、閉鎖フラップ脆弱線を含み、前記閉鎖フラップ脆弱線は、前記少なくとも２つのプルタブが前記閉鎖フラップ脆弱線に沿って互いから分離されることを可能にする、項目２２に記載のパッケージ。
（項目２４）
第２、第３、及び第４のパウチを更に備え、前記第１、第２、第３、第４、及び第５のパウチはそれぞれ、それぞれの脆弱線に沿って互いから分離可能であり、前記第１、第２、第３、第４、及び第５のパウチは、互いに対して折り畳まれ、かつ付着されて、蛇腹構成を形成する、項目３に記載のパッケージ。
（項目２５）
第１のパウチ及び第２のパウチのうちの少なくとも１つは、第１のコンパートメントと、前記第１のコンパートメントから分離された第２のコンパートメントとを備え、前記第１のコンパートメント及び前記第２のコンパートメントは、コンパートメント脆弱線で接合され、前記第１のコンパートメント及び前記第２のコンパートメントのそれぞれは、前記コンパートメント脆弱線に沿って、互い及び前記パッケージから分離可能である、項目１２に記載のパッケージ。
（項目２６）
前記第１のパウチ及び前記第２のパウチのうちの１つは、前記第１のコンパートメント及び前記第２のコンパートメントのうちのそれぞれの１つを開放するために、第１のパウチ及び第２のパウチのうちの１つから取り外し可能な少なくとも２つのプルタブを含み、前記少なくとも２つのプルタブを含む、前記第１のパウチ及び前記第２のパウチのうちの１つは、脆弱線を含み、前記脆弱線は、前記少なくとも２つのプルタブが前記脆弱線に沿って互いから分離されることを可能にする、項目２５に記載のパッケージ。
（項目２７）
第３、第４、及び第５のパウチを更に備え、前記第１、第２、第３、第４、及び第５のパウチはそれぞれ、それぞれの脆弱線に沿って互いから分離可能であり、前記第１、第２、第３、第４、及び第５のパウチは、互いに対して折り畳まれ、かつ付着されて、蛇腹構成を形成する、項目１２に記載のパッケージ。
（項目２８）
第１の製品を含むように構成されている内部を画定するように一緒に封着された、第１の内側パネル及び第１の外側パネルと、第１の脆弱線とを有する第１のパウチであって、前記第１の脆弱線は、前記第１の脆弱線に沿って前記第１の内側パネルから分離可能な第１の内側閉鎖フラップを画定するように前記第１の内側パネル内に形成されている、第１のパウチと、
前記第１の製品とは異なる第２の製品を含むように構成されている内部を画定するように一緒に封着された、第２の内側パネル及び第２の外側パネルと、第２の脆弱線とを有する第２のパウチであって、前記第２の脆弱線は、前記第２のパウチの内部にアクセスするための開口部を形成するために、前記第２の脆弱線に沿って前記第２の内側パネル及び前記第２の外側パネルから分離可能な除去可能部分を画定するように前記第２の内側パネル及び前記第２の外側パネル内に形成されている、第２のパウチと
を備える、パッケージであって、
前記第１のパウチ及び前記第２のパウチは、ヒンジ及び前記第１の内側閉鎖フラップの両方を中心にして互いに対して付着され、前記分離可能部分は、前記第１のパウチ及び前記第２のパウチへのアクセスが、それぞれに、前記第１のパウチの前記第１の内側閉鎖フラップ及び前記第２のパウチの前記除去可能部分によって制限される、閉鎖位置を有し、
前記パッケージは、第１の開放位置を有し、前記第１の開放位置において、前記第１のパウチ及び前記第２のパウチは、互いから離間し、前記第１の内側閉鎖フラップは、前記第１のパウチへのアクセスを提供するために、前記第１の内側パネルから前記第１の脆弱線に沿って分離される一方で、前記分離可能部分は、前記第２のパウチへのアクセスが制限されるように前記第２のパウチの前記第２の内側パネル及び前記第２の内側パネルに付着されたままであり、
前記パッケージは、第２の開放位置を有し、前記第２の開放位置において、前記第１のパウチ及び前記第２のパウチは、互いから離間し、前記分離可能部分は、前記第２のパウチへのアクセスを提供するために、前記第２の内側パネル及び前記第２の外側パネルから前記第２の脆弱線に沿って分離される、パッケージ。
（項目２９）
前記第１のパウチ及び前記第２のパウチはそれぞれ、製品を含むように構成されている内部を画定するように一緒に封着された内側パネル及び外側パネルと、脆弱線とを有し、前記脆弱線は、前記内部にアクセスするための開口部を形成するために前記脆弱線に沿って前記内側パネルから分離可能な内側閉鎖フラップを画定するように、前記内側パネル内に形成され、前記第１のパウチ及び前記第２のパウチは、前記ヒンジ及び前記内側閉鎖フラップの両方を中心にして互いに対して付着されている、項目１２に記載のパッケージ。
（項目３０）
前記第１の内側閉鎖フラップは、前記第１の脆弱線に沿って前記第１の内側閉鎖フラップから取り外し可能であり、かつ前記第２のパウチの一部分に取り外し可能に付着されたプルタブを含み、前記プルタブは、前記第１のパウチへのアクセスを提供するために、前記閉鎖位置から前記開放位置に向かう前記第１のパウチ及び前記第２のパウチの移動中に前記第１の脆弱線に沿って前記第１のパウチから優先的に取り外し可能である一方で、前記第２のパウチへのアクセスが制限されるように前記第２のパウチの一部分に付着されたままであり、前記プルタブは、前記第２のパウチへのアクセスを提供するために、前記第２の内側閉鎖フラップを前記第２の脆弱線に沿って前記第２のパウチから取り外すことを可能にするように、前記第２のパウチの一部分から取り外し可能であるように構成されている、項目２９に記載のパッケージ。
【図面の簡単な説明】
【００７７】
【図１】閉鎖位置でヒンジを中心にして折り畳まれた２つのパウチを有する、第１の例示的なパッケージの正面斜視図を示す。
【図２】脆弱線に沿って隣接したパウチに完全に付着された内部閉鎖フラップを備える、部分的開放位置へとヒンジを中心にして折り畳まれた、図１のパッケージの正面斜視図を示す。
【図３】脆弱線に沿って部分的に取り外されている閉鎖フラップを備える、更なる部分的開放位置での図１のパッケージの正面斜視図を示す。
【図４】脆弱線に沿って完全に取り外されているフラップを備える、開放位置での図１のパッケージの斜視図を示す。
【図５】その線５−５に沿った図１のパッケージの断面図を示す。
【図６】例示的な材料のシートの平面図を示し、それは、図１のパッケージを形成するために使用され得る材料のより大きいウェブの一部であり得る。
【図７】上に配置された食品を有し、かつ食品を被覆する封着位置に向かって移動している内部パネルを備える、図６の材料のシートの平面図である。
【図８】上に配置された食品を有し、かつ食品を被覆する封着位置へと折り畳まれている内部パネルを備える、図７の材料のウェブの平面図である。
【図９】上に配置された食品を有し、かつ食品のためのパウチを形成するために封着されている内部パネルと、パッケージの封着前に折り畳まれている閉鎖フラップとを備える、図８の材料のシートの平面図である。
【図１０】フィルムのウェブの図１のパッケージを製造するための例示的なプロセスの概略図を示す。
【図１１】それらのそれぞれの脆弱線に沿って互い及びそれらの隣接したパウチに完全に付着されている、２つの内部閉鎖フラップ（先行の図面にあるような１つの閉鎖フラップの代わりに）を備える、部分的開放位置でヒンジを中心にして折り畳まれる第２の例示的なパッケージの正面斜視図を示す。
【図１２】そのそれぞれの脆弱線に沿って部分的に取り外されている２つの閉鎖フラップのうちの１つを備える、更なる部分的開放位置での図１１のパッケージの正面斜視図を示す。
【図１３】そのそれぞれの脆弱線に沿って完全に取り外されている２つの閉鎖フラップのうちの１つを備える、開放位置での図１１のパッケージの斜視図を示す。
【図１４】その線１４−１４に沿った図１１のパッケージの断面図を示す。
【図１５】例示的な材料のシートの平面図を示し、それは、図１１のパッケージを形成するために使用され得る材料のより大きいウェブの一部であり得る。
【図１６】脆弱線に沿って隣接したパウチに完全に付着された内部閉鎖フラップを備える、閉鎖位置でヒンジを中心にして折り畳まれた、図１に示されるパウチよりも小さい２つのパウチを有する、第３の例示的なパッケージの正面斜視図を示す。
【図１７】脆弱線に沿って完全に取り外されているフラップを備える、開放位置での図１６のパッケージの斜視図を示す。
【図１８】プルタブを形成する端部シールと、脆弱線に沿って隣接したパウチに完全に付着された内部閉鎖フラップを備える、閉鎖位置でヒンジを中心にして折り畳まれた２つのパウチを有する、第４の例示的なパッケージの正面斜視図を示す。
【図１９】脆弱線に沿って完全に取り外されているフラップを備える、開放位置での図１８のパッケージの斜視図を示す。
【図２０】先行の図面のパッケージと同様であるが、脆弱線がなく、かつ脆弱線に沿う代わりに開放中に断裂するように構成されているシールを介して、隣接したパウチに付着された単一の閉鎖フラップを有する、第３の例示的なパッケージの断面図を示す。
【図２１】先行の図面のパッケージと同様であるが、それぞれが脆弱線なしでそれらのそれぞれのパウチに付着され、それらのそれぞれのパウチに対して折り畳まれ、かつ脆弱線に沿う代わりに開放中に断裂するように構成されているシールによって接合された一対の閉鎖フラップを有する、第４の例示的なパッケージの断面図を示す。
【図２２】先行の図面のパッケージと同様であるが、それぞれが脆弱線を介してそれらのそれぞれのパウチに付着され、互いに付着され、かつそれらのそれぞれのパウチに対して折り畳まれない一対の閉鎖フラップを有する、第５の例示的なパッケージの断面図を示す。
【図２３】図１〜５のパッケージと同様であるが、ヒンジ領域に向かって延在し、かつパッケージの開放及び閉鎖フラップの分離後にパウチのうちの一方の開口部へのアクセスを選択的に遮断するために、パウチのうちの一方の外側パネルの内部に取り外し可能に付着されたパウチのうちの一方の内部パネルを有する、第６の例示的なパッケージの断面図を示す。
【図２４】図１〜５のパッケージといくつかの態様で同様であるが、ヒンジ付きカバーと、折り畳まれず、かつ脆弱線に沿う代わりに開放中に断裂するように構成されているシールによって、カバーに付着された閉鎖フラップとを備える、１つのみのパウチを有する、第７の例示的なパッケージの断面図を示す。
【図２５】図２４のパッケージと同様であるが、カバーに付着された補強部材を有する、第８の例示的なパッケージの断面図を示す。
【図２６】図１〜５のパッケージと同様であるが、第２のパウチの代わりにヒンジ付きカバーを有する、第９の例示的なパッケージの断面図を示す。
【図２７】図１〜５のパッケージと同様であるが、２つのパウチのぞれぞれの外部に付着された硬質外側カバーを有する、第１０の例示的なパッケージの断面図を示す。
【図２８】上に配置された食品と、食品の各配列に重なる補強部材とを含む、例示的な材料のシートの平面図を示し、材料のシートは、別の例示的なパッケージを形成するために使用され得る、材料のより大きいウェブの一部であり得る。
【図２９】補強部材を有し、かつ上に配置された食品を含む、別の例示的な材料のシートの平面図を示し、材料のシートは、別の例示的なパッケージを形成するために使用され得る、材料のより大きいウェブの一部であり得る。
【図３０】図１１〜１４に示されるパッケージと同様の代替のパッケージを製造する例示的なプロセスのいくつかの構成要素の断面端面図を示す。
【図３１】ヒンジによって離間した一対のパウチの一部分を形成する硬質外側カバーと、パウチのうちのそれぞれの１つのフランジへの付着のための一対のフィルムシートと、食品とを有する、第１１の例示的なパッケージの分解組立図を示す。
【図３２】閉鎖構成での図３１のパッケージの斜視図を示す。
【図３３】フィルムシートのうちの一方に閉鎖フラップを接合する脆弱線に沿って断裂することによって、図３２の閉鎖構成から開放構成に向かって移動している図３１のパッケージの斜視図を示す。
【図３４】閉鎖フラップが脆弱線に沿って断裂された後の閉鎖部を備える、開放構成での図３１のパッケージの斜視図を示す。
【図３５】図３２の線３５−３５に沿った図３１のパッケージの断面図を示す。
【図３６】閉鎖位置での１つのパウチとプリーツ付き閉鎖フラップとを有する、第１２の例示的なパッケージの正面斜視図を示す。
【図３７】脆弱線に沿って前面パネルに完全に付着された閉鎖部を備える、部分的開放位置へとヒンジを中心にして移動している図３６のパッケージの正面斜視図を示す。
【図３８】脆弱線に沿って部分的に取り外されている閉鎖フラップを備える、更なる部分的開放位置での図３６のパッケージの正面斜視図を示す。
【図３９】脆弱線に沿って完全に取り外されているフラップを備える、開放位置での図３６のパッケージの斜視図を示す。
【図４０】その線４０−４０に沿った図３６のパッケージの断面図を示す。
【図４１】例示的な材料のシートの平面図を示し、それは、図３６のパッケージを形成するために使用され得る材料のより大きいウェブの一部であり得る。
【図４２】図３６〜４１のパッケージと同様であるが、図４０に示されるものとは異なって付着される閉鎖フラップと外部フラップとを有する、第１３の例示的なパッケージの断面図を示す。
【図４３】例示的な材料のシートの平面図を示し、それは、図４７及び４８に示される傾斜した脆弱線を含む第１５の例示的なパッケージを形成するために使用され得る、材料のより大きいウェブの一部であり得る。
【図４４】脆弱線に沿って部分的に取り外されている閉鎖フラップを備える、部分的開放位置での第１５の例示的なパッケージの正面斜視図を示す。
【図４５】脆弱線に沿って完全に取り外されているフラップを備える、開放位置での図４４のパッケージの斜視図を示す。
【図４６】脆弱線に沿ってパウチのうちの一方に完全に付着された内部閉鎖フラップを備える、図１６に示されるパウチに対して細長く、より狭く、かつ閉鎖位置でヒンジを中心にして折り畳まれているパウチを有する、第１６の例示的なパッケージの正面斜視図を示す。
【図４７】脆弱線に沿ってパウチのうちの一方から完全に取り外されている閉鎖フラップを備える、開放位置での図４６のパッケージの斜視図を示す。
【図４８】図５１の線４８−４８に沿った、閉鎖位置でヒンジを中心にして折り畳まれた２つのパウチを有する、第１７の例示的なパッケージの断面図を示す。
【図４９】例示的な材料のシートの平面図を示し、それは、図４８のパッケージを形成するために使用され得る材料のより大きいウェブの一部であり得る。
【図５０】上に配置された食品を有し、かつ食品を被覆する封着位置へと折り畳まれている内部パネルを備える、図４９の材料のウェブの平面図である。
【図５１】閉鎖位置にあり、かつ任意のストラップを含む、図４８のパッケージの正面斜視図を示す。
【図５２】脆弱線に沿ってなおも完全に付着されている閉鎖フラップを備える、部分的開放位置での図５１のパッケージの正面斜視図を示す。
【図５３】脆弱線に沿って完全に取り外されており、かつ互いに部分的に付着されている両方の閉鎖フラップと、ユーザに完全にアクセス可能である両方のパウチ内の食品とを備える、開放位置での図５２のパッケージの正面斜視図を示す。
【図５４】脆弱線に沿って完全に取り外されており、かつ互いに部分的に付着されている閉鎖フラップを備える、開放位置での図５３のパッケージの側面斜視図を示す。
【図５５】開放位置で、接着剤を備える中央領域を含むカバーに付着された２つのパウチを有する、第１８の例示的なパッケージの上面図を示す。
【図５６】カバーの中央領域の接着剤に付着されているパウチの閉鎖フラップの部分を備える、閉鎖位置での図５５のパッケージの正面斜視図を示す。
【図５７】脆弱線に沿って部分的に取り外されており、かつ互いに部分的に付着されている閉鎖フラップを備える、部分的開放位置での図５６のパッケージの正面斜視図を示す。
【図５８】脆弱線に沿って完全に取り外されており、かつ互いに部分的に付着されている閉鎖フラップを備える、開放位置での図５７のパッケージの側面斜視図を示す。
【図５９】そのそれぞれの脆弱線に沿って完全に取り外されている閉鎖フラップのうちの一方と、開放されているがまだ完全にアクセス可能ではないパウチ内の製品とを備える、部分的開放位置での、図５１のパッケージと同様の、第１９の例示的なパッケージの正面斜視図を示す。
【図６０】そのそれぞれの脆弱線に沿って完全に取り外されている閉鎖フラップのうちの一方と、開放され、完全にアクセス可能であるパウチ内の製品とを備える、部分的開放位置であり、かつ図５９のパッケージよりも更に開放された、図５９のパッケージの斜視図を示す。
【図６１】他方のパウチから引き離されているパッケージのパウチのうちの一方を備え、パッケージは、閉鎖フラップの両方がそれらのそれぞれの脆弱線に沿って完全に取り外されている部分的開放位置で示され、パウチのうちの一方の中の製品が完全にアクセス可能である一方で、パウチのうちの他方の中の製品は、まだ完全にアクセス可能ではない、図６０と同じ図を示す。
【図６２】図５１の線４８−４８と同様の線に沿った、閉鎖位置でヒンジを中心にして折り畳まれた２つのパウチを有する、第２０の例示的なパッケージの断面図を示す。
【図６３】脆弱線に沿って互いから取り外されているパウチの内部パネルと、完全にアクセス可能である各パネル内の製品とを備える、開放位置での図６２のパッケージの斜視図を示す。
【図６４】閉鎖位置で、第１のヒンジを中心にして折り畳まれた２つのパウチと、第２のヒンジを中心にして折り畳まれた第３のパウチとを有する、第２１の例示的なパッケージの正面斜視図を示す。
【図６５】上に配置された食品を有する、例示的な材料のシートの平面図を示し、それは、図６４のパッケージを形成するために使用され得る材料のより大きいウェブの一部であり得る。
【図６６】食品を被覆するように折り畳まれた図６５の材料のシートの平面図である。
【図６７】第２のパウチの材料上に折り畳まれている第１のパウチの材料を備え、第３のパウチが第１のパウチに重なるように折り畳まれる前の、図６５の材料のシートの平面図である。
【図６８】図６４の線６８−６８に沿った図６４のパッケージの断面図を示す。
【図６９】第２及び第３のパウチがまだ閉鎖されている一方で、その内部パネルから完全に取り外されている第３のパウチの閉鎖フラップと、ユーザに露出されている第３のパウチ内の食品とを備える、部分的開放位置での図６８のパッケージの正面斜視図を示す。
【図７０】それらのそれぞれの内部パネルから完全に取り外されている第１及び第２のパウチの閉鎖フラップと、ユーザに完全にアクセス可能である３つ全てのパウチ内の食品とを備える、完全開放位置での図６８のパッケージの正面斜視図を示す。
【図７１】閉鎖位置で第１のヒンジを中心にして折り畳まれた２つのパウチを有する、第２２の例示的なパッケージの正面斜視図を示す。
【図７２】線７２−７２に沿った閉鎖位置での図７１のパッケージの断面図を示す。
【図７３】例示的な材料のシートの平面図を示し、それは、図７１のパッケージを形成するために使用され得る材料のより大きいウェブの一部であり得る。
【図７４】食品を被覆する封着位置へと折り畳まれている内部パネルを備える、図７３の材料のウェブの平面図である。
【図７５】脆弱線に沿って取り外されているプルタブと、脆弱線に沿って完全に付着されている閉鎖フラップとを備える、部分的開放位置での図７１のパッケージの正面斜視図を示す。
【図７６】脆弱線に沿ってパウチのうちの一方から完全に取り外され、かつ接着剤を介してパウチのうちの一方の他方の閉鎖フラップに付着されているプルタブを含む閉鎖フラップと、開放されているがまだ完全にアクセス可能ではないパウチのうちの一方の中の製品とを備える、部分的開放位置での図７５のパッケージの正面斜視図を示す。
【図７７】脆弱線に沿ってパウチのうちの一方から完全に取り外され、かつ接着剤を介してパウチのうちの他方に付着されているプルタブを含む閉鎖フラップと、開放され、かつ完全にアクセス可能であるパウチのうちの一方の中の製品とを備える、更なる部分的開放位置での図７６のパッケージの斜視図を示す。
【図７８】パウチのうちの他方の閉鎖フラップを開放するためにプルタブを移動させるために、プルタブを把持するユーザの親指及び人さし指を示す。
【図７９】食品を被覆する封着位置へと折り畳まれている内部パネルを備える、図８０に示されるような第２３の例示的なパッケージを形成するために使用され得る、材料のより大きいウェブの一部であり得る、材料のウェブの平面図である。
【図８０】取り外された閉鎖フラップの両方と、各パウチ内の食品へのアクセスを可能にするように開放したパウチの両方とを備える、完全開放位置での、図７９に示されるフィルムから形成されたパッケージを示す。
【図８１】例示的な材料のシートの平面図を示し、それは、図８３〜８４に示される第２４の例示的なパッケージを形成するために使用され得る、材料のより大きいウェブの一部であり得る。
【図８２】食品を被覆する封着位置へと折り畳まれている内部パネルを備えるパッケージを形成する、図８１の材料のウェブの平面図である。
【図８３】パウチのうちの一方が空であり、パウチのうちの他方がまだ充填されており、かつプルタブを含む閉鎖フラップによって閉鎖され、ユーザが両方のパウチを把持し、脆弱線に沿って閉鎖したパウチから空のパウチを分離する、部分的開放位置での図８２のパッケージの斜視図を示す。
【図８４】食品を含む閉鎖したパウチのプルタブを把持し、パウチ内の食品へのアクセスを得るためにパウチの閉鎖フラップを開放するために、プルタブを部分的に移動させる、ユーザの親指及び人さし指を示す。
【図８５】任意のパッケージ完全性特徴を含む、図１のパッケージの正面斜視図を示す。
【図８６】脆弱線に沿って取り外されているプルタブと、変形している任意のパッケージ完全性特徴とを備える、部分的開放位置での図７５のパッケージの正面斜視図を示す。
【図８７】例示的な材料のシートの平面図を示し、それは、図８８〜８９に示される第２５の例示的なパッケージを形成するために使用され得る、材料のより大きいウェブの一部であり得る。
【図８８】パウチのうちの一方が開放しており、パウチのうちの他方がプルタブを含む閉鎖フラップによってまだ閉鎖されている、部分的開放位置での図８７のパッケージの斜視図を示す。
【図８９】食品を含む閉鎖したパウチのプルタブを把持し、パウチ内の食品へのアクセスを得るためにパウチの閉鎖フラップを開放するために、プルタブを部分的に移動させる、ユーザの親指及び人さし指を示す。
【図９０】図９１〜９２に示される第２６の例示的なパッケージを形成するように折り畳まれた材料のウェブの平面図である。
【図９１】パウチのうちの一方が開放しており、パウチのうちの他方が閉鎖フラップによってまだ閉鎖されている、部分的開放位置での図９１のパッケージの斜視図を示す。
【図９２】食品を含む閉鎖したパウチの除去可能部分を把持し、パウチ内の食品へのアクセスを得るためにパウチの閉鎖フラップを開放するために、閉鎖したパウチから除去可能部分を分離するように、除去可能部分を部分的に移動させる、ユーザの親指及び人さし指を示す。
【図９３】図８２に従った一連の５つの例示的なパッケージが機械方向に組立ラインを流れるときの、それらを含む材料のウェブの平面図である。
【図９４】図９５に示される第２７の例示的なパッケージを形成する、材料のウェブの平面図である。
【図９５】図９４に示され、かつ蛇腹形状の構成に折り畳まれた、可撓性材料のシートから形成されたパッケージの側面立面図を示す。
【図９６】図９７に示される第２８の例示的なパッケージを形成する、材料のウェブの平面図である。
【図９７】図９６の材料のウェブから組み立てられ、かつ閉鎖位置で示される、パッケージの断面図を示す。
【図９８】図９９に示される第２９の例示的なパッケージを形成する、材料のウェブの平面図である。
【図９９】図９８の材料のウェブから組み立てられ、かつ閉鎖位置で示される、パッケージの断面図を示す。
【発明を実施するための形態】
【００７８】
本明細書に記載されるパッケージは、ヒンジを中心にして互いに付着された少なくとも第１のパウチ、及び多くの実施例では、第１及び第２のパウチの両方を含む。パウチは、食品のような製品を含むように構成されている。パウチは、任意に、消費者製品へのアクセスを提供するために、ヒンジに対向する開口部を有することができる。パッケージは、パッケージのための不正開封防止特徴を提供するために、脆弱線に沿って分離可能である１つ以上の閉鎖フラップ、及び／又はヒンジから離間した断裂可能若しくは剥離可能なシール若しくは接着範囲を更に含む。第１及び第２のパウチ、又はいくつかの実施例では、カバーは、第１及び第２のパウチ又は第１のパウチ及びカバーが互いを少なくとも部分的に覆う閉鎖位置から、第１の、及び存在する場合、第２のパウチの開口部を介して、消費者製品へのアクセスを提供するために、第１及び第２のパウチ又は第１のパウチ及びカバーが互いから離間し、閉鎖フラップが取り外されるか、又は別様に分離される開放位置に向かって、互いから離れた方向に移動可能である。パウチのうちの一方又は両方は、シールの初期破断及びパッケージの開放後に、パッケージの複数回の開放及び閉鎖を可能にするために、パウチのうちの他方への繰り返される付着のための接着範囲を有してもよい。本明細書に記載されるパッケージは、有利に、オーバーラップ、フィルム若しくは板紙の複数のシート、複雑な切断線若しくは折り線、複数の接着ストリップを必要とし、かつ複雑な不正開封防止特徴を有するパッケージよりも、製造する費用効率が高くなり得る。
【００７９】
第１の例示的なパッケージ１０は、図１〜５に示される。パッケージ１０は、図４に示されるように、ヒンジ１６で互いに付着された第１のパウチ１２と第２のパウチ１４とを含む。パッケージ１０が閉鎖位置にあるとき、第１及び第２のパウチ１２、１４は、図１に示されるように、互いに当接している。ヒンジ１６は、パッケージ１０の第１及び第２のパウチ１２、１４が、閉鎖位置から、互いから離れた方向に（図２及び３の方向矢印によって示される）、第１及び第２のパウチ１２、１４が図４に示されるように互いから離間した開放位置に向かって、ヒンジ１６を中心にして移動することを可能にする。同様に、パッケージ１０が図４に示される開放位置にあるとき、第１及び第２のパウチ１２、１４は、第１及び第２のパウチ１２、１４が、図１に示されるように互いに当接する閉鎖位置に向かって、ヒンジ１６を中心にして移動することが可能である。パッケージ１０が閉鎖位置（図１）と開放位置（図４）との間で移動するとき、パッケージ１０のパウチ１２及び１４の移動は、本の開閉に似ており、消費者にとって視覚的に魅力であり得る。
【００８０】
パッケージ１０の第１及び第２のパウチ１２、１４は、図４に示されるように、食品９０、例えば、ガムスティックを含むように構成されている中空内部を有する。パウチ１２、１４のそれぞれの中のガムスティックの数（すなわち、７枚）が、ほんの一例として示されており、パウチ１２、１４のそれぞれが、７枚未満の、又は７枚を超えるガムスティックを含んでもよく、それらは、個々に包装されるか、又は個々の包み紙を有さないかのいずれかであってもよいことが理解されるものとする。また、ガムスティックが例示的な消費者製品として示されており、他の消費者製品、例えば、チョコレート、キャンディ、又は非食品がパウチ１２、１４内に含まれてもよいことも理解されるものとする。本明細書に記載される例示的なパッケージ内で、第１及び第２のパウチがそれぞれ食品９０を含むものとして示される一方で、食品９０を含むパウチの両方の代わりに、本明細書に記載されるパッケージのうちのいずれか１つが、１つ以上の食品（例えば、ガムスティック）を含む第１のパウチと、１つ以上の非食品、例えば、宝くじ記入及びスクラッチ券、ステッカー、タトゥーシール、又は様々な他の景品を含む第２のパウチとを含んでもよいことが理解される。あるいは、２つのパウチのうちの一方は空であってもよい。
【００８１】
図４及び５に示されるように、消費者製品へのアクセスを提供するために、第１のパウチ１２は開口部１８を有し、第２のパウチ１４は開口部２０を有する。パウチ１２、１４の開口部１８、２０は、図４に示されるように、ヒンジ１６に対向する。開口部１８、２０が露出されているものとして示され、例えば、製品が開口部を通じて取り出され得るが、開口部１８、２０の片方又は両方が、任意に、図２３の代替のパッケージに関して以下で詳細に考察されるように、選択的に遮断され得る。
【００８２】
第１のパウチ１２は、外壁２２と内部パネル２４とを含む。同様に、第２のパウチ１４は、外壁２６と内部パネル２８とを含む。パウチ１２の外壁２２は、ヒンジ１６においてパウチ１４の外壁２６に付着され、第１及び第２のパウチ１２、１４の外壁２２、２６が、開放位置と閉鎖位置との間でヒンジ１６を中心にして互いに対して移動することを可能にする。
【００８３】
図５に示されるように、パウチ１２の外壁２２は、外側表面３４と内側表面３６とを有し、パウチ１４の外壁２６は、外側表面３８と内側表面４０とを有する。同様に、図５に示されるように、パウチ１２の内部パネル２４は、外側表面４２と内側表面４４とを有し、パウチ１４の内部パネル２８は、外側表面４６と内側表面４８とを有する。パウチ１２、１４は、内部パネル２４、２８の内側表面４４、４８が外壁２２、２６の内側表面３６、４０にそれぞれ対向するように構成されている。パッケージ１０が図５に示される閉鎖位置にあるとき、食品９０は、内部パネル２４、２８の内側表面４４、４８と、外壁２２、２６の内側表面３６、４０との間で、パウチ１２、１４内に含まれる。
【００８４】
図４を参照すると、パウチ１２が頂縁部５０と、底縁部５２と、側縁部５４とを有する一方で、パウチ１４は、頂縁部５６と、底縁部５８と、側縁部６０とを有する。パウチ１２の外壁２２及び内部パネル２４は、パウチ１２の閉鎖した底端部を形成するために、交差し、かつ側縁部５４において接合される。パウチ１４の外壁２６及び内部パネル２８は、パウチ１４の閉鎖した底端部を形成するために、交差し、かつ側縁部６０において接合される。パウチ１２の内部パネル２４は、第１及び第２の端部シール６２、６４のそれぞれにおいて、頂縁部及び底縁部５０及び５２に近接して、パウチ１２の外壁２２に封着して付着される。同様に、パウチ１４の内部パネル２８は、第１及び第２の端部シール６６、６８のそれぞれにおいて、頂縁部及び底縁部５６、５８に近接して、外壁２６に封着して付着される。端部シール６２、６４、６６、及び６８は、端部シール６２、６４、６６、及び６８の形成を促進するために、金属化層を含んでもよい。
【００８５】
第１のパウチ１２の内部パネル２４は、図５に示されるように、パッケージ１０が封着され、好ましくは気密封止されることを可能にする、第１の内側接続又は閉鎖フラップ７０を含む。第１の閉鎖フラップ７０は、図２及び６に示されるように、第１の脆弱線７２に沿ってパウチ１２の内部パネル２４に付着される。脆弱線７２は、折り線であってもよく、レーザアブレーション、打抜き、マイクロアブレーションなどによって形成され得る。脆弱線７２が直線であり、パウチ１２、１４の側縁部５４、６０に平行であるものとして示されているが、脆弱線７２は、図４３〜４５に関してより詳細に考察されるように、側縁部５４、６０に非平行であってもよく、かつ図４９〜５４に関してより詳細に考察されるように、非線形（例えば、波状若しくは弓状）、又は不連続線であってもよい。脆弱線７２及び閉鎖フラップ７０が、パッケージ１０の第１のパウチ１２の頂縁部５０から底縁部５２に延在するものとして図２に示されるが、閉鎖フラップ７０及び脆弱線７２は、頂縁部５０から底縁部５２への距離未満にわたって延在してもよい。
【００８６】
このパッケージ実施形態では、第１の閉鎖フラップ７０は、脆弱線７２によって線引きされる、パウチ１２の内部パネル２４の延長部である。しかしながら、代替のパッケージ実施形態に関して本明細書で考察されるように、閉鎖フラップは、それが一部であってもよいパネルから区別可能でなくても、又は線引きされなくてもよい。したがって、広くは、閉鎖フラップは、本明細書でより詳細に考察されるように、単純に、パッケージの別の部分へのその付着によって識別可能なパッケージの別の部分の一部分であってもよい。
【００８７】
パッケージ１０が閉鎖位置にあるとき、ガムスティック９０が互いに当接していないものとして図５に示されるが、パッケージ１０が正確な縮尺率で描かれておらず、ガムスティック９０が、当接してもよく、又は図５に示されるものよりも互いに近くてもよいことが理解されるものとする。加えて、ガムスティック９０は、明確にするために、断面で図５に示されない。更に、パッケージ１０が、パウチ１２の内部パネル２４に取り外し可能に付着された１つの閉鎖フラップ７０のみを備えて、図１〜５に示されているが、パッケージ１０は、図１１〜１５を参照して以下でより詳細に考察されるように、パウチ１４の内部パネル２８に取り外し可能に付着された第２の閉鎖フラップを含んでもよい。
【００８８】
パッケージ１０が閉鎖位置にあるとき、パウチ１２及び１４は、図１に示されるように、互いに当接し、閉鎖フラップ７０は、図５に示されるように、パウチ１２の内部パネル２４の外側表面４２を覆うように、脆弱線７２を中心にして折り畳まれる。パッケージ１０が閉鎖位置にあるとき、パウチ１２、１４の開口部１８、２０へのアクセスは、閉鎖フラップ７０によって遮断される。閉鎖フラップ７０が、明確にするために、パウチ１２の内部パネル２４の外側表面４２から離間したものとして図５に示されているが、閉鎖フラップ７０は、パッケージ１０が閉鎖位置にあるとき、内部パネル２４の外側表面４２に当接してもよい。同様に、内部パネル２４、２８の外側表面４２、４６が、明確にするために、図５中で互いから離間して示されるが、パウチ１２、１４の内部パネル２４、２８の外側表面４２、４６は、パッケージ１０が閉鎖位置にあるとき、互いに当接する。
【００８９】
パッケージ１０が図５に示される閉鎖位置にある状態で、閉鎖フラップ７０は、パウチ１４の内部パネル２８の外側表面４６に、接着剤７４を介して付着される。接着剤７４は、パウチ１４の内部パネル２８への閉鎖フラップ７０の取り外し不可能な付着をもたらすように選択される。本開示の目的で、「取り外し不可能な」は、取り外されることを意図しない付着を意味する。閉鎖フラップ７０が接着剤７４を介して内部パネル２８に付着されているものとして示されているが、閉鎖フラップ７０は、他の好適な手段、例えば、ヒートシーリング、溶接、紫外線硬化、ラミネート加工などを介して、内部パネル２８の外側表面４６に付着されてもよい。
【００９０】
パッケージ１０が図１の閉鎖位置から図４の開放位置に向かって、図２及び３中の方向矢印によって示される方向に移動するとき、パウチ１２及び１４は、本のような様式でパッケージ１０を開放するように、互いから離れてヒンジ１６を中心にして移動し、それは、消費者にとって視覚的に魅力であり得る。パッケージ１０の開放中、パウチ１２、１４は、図３に示されるように、互いから離れて、消費者によって適用されている開放力及び張力が脆弱線７２における引裂を開始し、かつ閉鎖フラップ７０を脆弱線７２に沿ってパウチ１２の内部パネル２４から引き裂くことによって分離させる位置まで移動する。したがって、閉鎖フラップ７０は、消費者にパッケージ１０の開放の程度の視覚的指示を提供する。加えて、消費者が脆弱線７２に沿った閉鎖フラップ７０の取り外し中、ある程度の抵抗を感じるため、閉鎖フラップ７０は、パッケージ１０の初期の開放中に消費者に触覚的かつ潜在的に聴覚的な応答を提供することができる。
【００９１】
閉鎖フラップ７０が脆弱線７２に沿って第１のパウチ１２の内部パネル２４から取り外された後、閉鎖フラップ７０はもはやパウチ１２及び１４を一緒に保持せず、パウチ１２及び１４が互いから更に離れて、図４に示される開放位置へと移動することを可能にする。パッケージ１０が図４に示される開放位置にあるとき、閉鎖フラップ７０は、パウチ１４の内部パネル２８に付着されたままであるが、もはやパッケージ１０を封着、又はパウチ１２、１４の開口部１８、２０へのアクセスを遮断しない。代わりに、図４に示されるように、消費者は、開口部１８及び２０を通じてパウチ１２及び１４から食品９０の部分を取り出すことができる。したがって、閉鎖フラップ７０は、閉鎖フラップ７０の非存在又は部分的取り外しが、パッケージ１０がすでに開放又は不正開放されていることを消費者に視覚的に指示するように、パッケージ１０のための新鮮さシール及び／又は不正開封防止特徴を提供する。
【００９２】
図８５は、パッケージ１０又は本明細書に記載される任意の他のパッケージで使用されてもよい一形態に従った、任意の追加の不正開封防止又はパッケージ完全性特徴を示す。図８５に示されるように、パッケージ完全性特徴は、ミシン目９７ａ及び９７ｂを含むテープ９７の形態である。パッケージ完全性テープ９７は、それ自体が接着剤であってもよく、又は接着剤を介してパッケージ１０の第１及び第２のパウチ１２、１４に付着されてもよい。ミシン目９７ａ、９７ｂは、レーザアブレーション、マイクロアブレーションなどによって形成され得る折り線などの脆弱線の形態であってもよい。パッケージ完全性テープ９７は、図８５に示されるように、第１及び第２のパウチ１２及び１４の一部分に付着されてもよい。
【００９３】
テープ９７及びミシン目９７ａ、９７ｂが図８５に示されるように元の状態のままであるとき、消費者は、パッケージ１０がすでに開放されていないことを視覚的に理解し得る。パッケージ１０が消費者によって最初に開放されるとき、消費者によって適用される力に応じた、図２に示されるような互いから離れた第１及び第２のパウチ１２、１４の移動は、パッケージ完全性テープ９７の部分が互いから分離し、かつパッケージが図３及び４の開放位置に向かって移動することを可能にするように、パッケージ完全性テープの脆弱線９７ａ及び／又は９７ｂにおける１つ以上の引裂を開始及び伝播する。したがって、パッケージ完全性テープ９７は、パッケージ完全性テープ９７の非存在又は部分的取り外しが、パッケージ１０がすでに開放又は不正開放されていることを消費者に視覚的に指示するように、パッケージ１０のための不正開封防止特徴を提供する。
【００９４】
図８６は、パッケージ３０００又は本明細書に記載される任意の他のパッケージで使用されてもよい一形態に従った、別の任意の追加の不正開封防止又はパッケージ完全性特徴を示す。図８６に示されるように、パッケージ完全性特徴は、パッケージ３０００の開放後に変形可能及び／又は破壊可能であるヒートシール材料３０９７の形態である。より具体的には、パッケージ完全性特徴は、パッケージ３０００の端部シール３０６２、３０６４、３０６６、及び３０６８に沿って位置付けられる、接着材料３０９７（例えば、ヒートシーリングによって形成される）を含んでもよい。
【００９５】
接着材料３０９７がパッケージ３０００の端部シール３０６２、３０６４、３０６６、及び３０６８の全面積に沿って位置付けられているものとして図８６に示されるが、接着材料３０９７がパッケージ３０００の端部シール３０６２、３０６４、３０６６、及び３０６８のうちの２つ以上の一部分のみを被覆し、それに沿って延在し得ることが理解されるであろう。図８６に示されるように、パッケージが消費者によって開放されているとき、第１及び第２のパウチ３０１２及び３０１４は、矢印によって示される方向に互いから離れて移動し、反対側の部分３０９７ａ及び３０９７ｂ並びに３０９７ｃ及び３０９７ｄを互いから分離させ、かつ変形させ、パッケージ３０００がすでに開放又は不正開放されていることを消費者に視覚的に指示する。
【００９６】
パッケージ１０が最初に開放された後に再閉鎖されることを可能にするために、パウチ１２の内部パネル２４の外側表面４２は、図４及び５に示されるように、任意の接着範囲７６を含む。図４の開放位置から図１の閉鎖位置にパッケージ１０を再閉鎖したいと思う消費者は、接着範囲７６が内部パネル２８の外側表面４６と接触し、かつ付着するように、パウチ１２、１４、をヒンジ１６を中心にして互いに向かって引き寄せる。消費者は、例えば、外壁２２及び２６をつまむことによって、ある程度の力を適用して、内部パネル２８の外側表面４６への接着範囲７６のしっかりした付着を確実にしてもよい。パッケージ１０が再閉鎖されるとき、食品９０は、パウチ１２、１４内に含まれ、パッケージ１０から落ちることから制限される。接着範囲７６が図４中で単一の円形範囲として示されているが、接着範囲７６は、任意の他の形状又はサイズであってもよく、かつパウチ１２、１４の内部パネル２４、２８の互いに対する繰り返される取り外し可能な付着を可能にする、複数の接着範囲を含んでもよい。接着範囲７６は、パッケージ１０の複数回の開放及び再閉鎖を可能にする、１つ以上のグルードット、感圧接着剤、粘着テープ又はストリップ、ベルクロ（登録商標）、ジッパーなどの形態であってもよい。任意に、パッケージ１０は、接着範囲７６又は任意の他の形態の再閉鎖部を含まなくてもよい。
【００９７】
パッケージ１０を製造する例示的な方法が、図６〜１０を参照して記載される。製造方法は概して、付随する組み立てライン機械を示すことなく、パッケージ１０が作製される可撓性材料１００の配向及び操作を示すことによって、図１０に示される。可撓性材料１００は、フィードロール１０１からほどかれ、図１０に示されるように、方向矢印によって示される機械方向にウェブとして供給され得る。フィルム及びガムが固定板、移動コンベヤなどの頂部で供給され得ることが理解されるであろう。
【００９８】
パッケージ１０は、可撓性材料１００の単一のシート又はウェブから製造され得る。可撓性材料１００は、１つ以上のポリマー、ラミネート、金属化ポリマー、紙などから作製されるフィルムであってもよい。方法の例示を明確にするために、単一のパッケージ１０が製造され得る図１０の可撓性フィルム１００の一部分が、図６〜９に示される。図６に示される可撓性フィルム１００の例示的な単一のシートは、前縁部１０８と、後縁部１０６と、第１の長手方向の側縁部１０４と、第２の長手方向の側縁部１０２と、上向き表面１１０とを有する。材料の単一の機能性シートが複数の構成要素を連結するために作製され得ることが理解されるであろう。
【００９９】
可撓性フィルムが図１０中の方向矢印によって示される機械方向に移動すると、フィルムは、クリース線又は折り目線が可撓性フィルム１００内に形成され得る、中央折畳み領域１１２を有する。図６に示されるように、次いで、第２のクリース線又は折り目線１１４が、中央折畳み領域１１２の一側面上に形成され得、次いで、第３のクリース線又は折り目線１１６が、中央折畳み領域１１２の反対側面上に形成され得る。中央折畳み領域１１２、並びに第２及び第３のクリース線１１４及び１１８が、直線として図６に示されているが、中央折畳み領域１１２、第２のクリース線１１４、及び第３のクリース線１１６のうちの１つ以上が、非線形、又は単一の線の代わりに、可撓性フィルム１００の一範囲の形態であってもよいことが理解されるであろう。
【０１００】
クリース線１１２、１１４、及び１１６は、可撓性フィルム１００が機械方向にフィードロール１０１からほどかれる前又は後に、可撓性フィルム１００において作製され得る。クリース線１１２、１１４、及び１１６が、可撓性フィルム１００の折り畳み前に可撓性フィルム１００において作られるアプローチにおいて、そのようなクリース線は、例えば、好適なローラ、レーザなどによって作製され得る。例えば、任意に、クリース線１１２、１１４、及び１１６は、可撓性フィルム１００において作製されなくてもよく、可撓性フィルム１００は、クリース線１１２、１１４、及び１１６なしで折り畳まれてもよい。例えば、図４及び６からわかるように、第１のクリース線又は中央折畳み領域１１２は、パッケージ１０のヒンジ１６に対応し、第２のクリース線１１４は、パッケージ１０の側縁部５４に対応し、第３のクリース線１１６は、パッケージ１０の側縁部６０に対応する。
【０１０１】
可撓性フィルム１００内に第１、第２、及び第３のクリース線１１２、１１４、１１６を作製する前又は後に、図６に示されるように、脆弱線１１８が、可撓性フィルム１００の第２のクリース線１１４と第１の長手方向縁部１０４との間で、可撓性フィルム１００内に形成される。脆弱線１１８は、例えば、レーザアブレーション、打抜き、マイクロアブレーション、又は他の好適な手段を使用して、可撓性フィルム１００内に形成され得る。可撓性フィルム１００内の脆弱線１１８は、パッケージ１０の脆弱線７２に対応する。
【０１０２】
後縁部１０６に近接して、可撓性フィルム１００は、パッケージ１０の端部シール６２及び６６が形成される封着縁１１９を含み、前縁部１０８に近接して、可撓性フィルム１００は、パッケージ１０の端部シール６４及び６８が形成される封着縁１２０を含む。上向き表面１１０と反対側の可撓性フィルム１００の下側、かつ封着縁１１９、１２０の下に、可撓性フィルム１００は、図８に示される金属化範囲１２２、１２４を含む。金属化範囲１２２、１２４は、パッケージ１０の端部シール６２、６４、６６、及び６８を形成するために、封着縁１１９、１２０のヒートシーリングを促進することができる。金属化範囲１２２及び１２４の縁部１２３、１２５は、金属化範囲１２２及び１２４が上向き表面１１０と反対側の可撓性フィルム１００の下側にあるため、封着縁１１９、１２０の縁部と一致し、図６中に点線で示される。金属化範囲１２２、１２４は、例えば、ホイル又は別の反射材料を含むことができる。任意に、可撓性フィルム１００は、金属化範囲１２２、１２４がなくてもよく、その場合、そのような範囲は、封着領域に対応し得る。
【０１０３】
図８を参照すると、第１の脆弱線１１８と第１の長手方向縁部１０４との間の可撓性フィルム１００の範囲１２６は、パッケージ１０の閉鎖フラップ７０に対応する。可撓性フィルム１００の第１の脆弱線１１８と第２のクリース線１１４との間の範囲１２８は、パッケージ１０の第１のパウチ１２の内部パネル２４に対応する。可撓性フィルム１００の第２のクリース線１１４と中央折畳み領域又は第１のクリース線１１２との間の範囲１３０は、パッケージ１０の第１のパウチ１２の外壁２２に対応する。可撓性フィルム１００の中央折畳み領域又は第１のクリース線１１２と第３のクリース線１１６との間の範囲１３２は、パッケージ１０の第２のパウチ１４の外壁２６に対応する。最後に、可撓性フィルム１００の第３のクリース線１１６と第２の長手方向縁部１０２との間の範囲１３４は、パッケージ１０の第２のパウチ１４の内部パネル２８に対応する。
【０１０４】
可撓性フィルム１００が機械方向に移動すると、食品９０は、図７及び１０に示されるように、可撓性フィルム１００の上向き表面１１０上に配置される。図７及び１０に示されるクリース線１１２、１１４、１１６、及び脆弱線１１８は、食品９０が可撓性フィルム１００上に配置される前又は後に、可撓性フィルム１００において作製されてもよい。
【０１０５】
食品９０がガムスティックの形態で図７に示されているが、ガムスティック以外の食品、例えば、キャンディ、チョコレートなどが、ガムスティックの代わりに可撓性フィルム１００と組み合わせて使用されてもよい。１つのアプローチでは、パッケージ１０内に包装される非食品は、可撓性フィルム１００と組み合わせて使用されてもよい。任意に、食品９０は、例えば、接着材料、粘着テープなどを介して、可撓性フィルム１００の上向き表面１１０に取り外し可能に付着されてもよい。可撓性フィルム１００の上向き表面１１０への食品９０の除去可能な付着は、食品９０が望ましくなくパッケージ１０から落ちるか、又はその内側で移動することを防止し得る。包装され得る食料品の他の例としては、粉末飲料、クッキー（ミニクッキーを含む）、チョコレートバー又はチョコレートタブレット、ウェハース、包装されていない、又は束ねられていないガム、ドロップ、スティック型食品などが挙げられる。チーズ製品とは異なるコンパートメント内に包装されるハム若しくは他の肉製品、又はヨーグルト及びグラノーラなど、異なるが補完する品物は、同じパッケージの異なる側又は異なるコンパートメント上にあってもよく、それらの品物は、それらが消費前に分離されることから利益を得るように、異なる水分活性を有することができる。内容物としてはまた、一方のコンパートメント内に食料品、及び他方のコンパートメント内に非食料品（景品、おもちゃ、又はゲームピースなど）が挙げられる。内容物の更に別の例としては、薬剤又はビタミン剤などの薬学的用途のためのものである。他の品物としては、コーヒー（コーヒーポッドを含む）及び粉末クリーム、砂糖、又は他の甘味料などのコーヒー添加物が挙げられ得る。
【０１０６】
食品９０が図７に示されるように可撓性フィルム１００の上向き表面１１０上に位置付けられる場合、可撓性フィルム１００の反対側の長手方向縁部１０２、１０４は、図８及び１０に示されるように、食品９０の部分及び可撓性フィルム１００の部分に重なるように内向きに折り畳まれ、かつ互い及び中央折畳み領域１１２に向かって引き寄せられる。図８及び１０に示されるように、可撓性フィルム１００の第１及び第２の長手方向縁部１０２、１０４は、第１の長手方向縁部１０４が中央折畳み領域１１２に重なり、可撓性フィルム１００の部分が食品９０を被覆する一方で、第２の長手方向縁部１０２が、食品９０の一部分が図８及び１０に示されるように露出されるように、第１の長手方向縁部１０４及び中央折畳み領域１１２から離間するように位置付けられる。
【０１０７】
本方法の１つの代替の形態では、図８〜１０に示される可撓性フィルム１００の折り畳み前に、図２８に示される補強部材８０、８２は、間もなく形成されるパッケージに対する追加の構造的支持を提供するために追加されてもよい。具体的に、食品９０が図７に示されるように可撓性フィルム１００上に配置される場合、補強部材８０及び８２は、可撓性フィルム１００の上向き表面１１０に付着されていないか、又は補強部材８０及び８２の端部８３、８５及び８７、８９がそれぞれ、好適な接着剤を介して可撓性フィルム１００の上向き表面１１０に付着されているかのいずれかで、食品９０の頂部に配置されてもよい。
【０１０８】
補強部材８０及び８２を含む可撓性フィルム１００が、実質的に図８〜１０に示されるように折り畳まれて、最終パッケージを形成すると、最終パッケージは、パッケージ１０と同様であるが、それが補強部材８０及び８２を含むという点で異なり、それらは、最終パッケージに増加した構造的完全性を提供し得、かつパッケージ内で移動することから食品９０を制限し得る。補強部材８０及び８２は、様々な材料、例えば、板紙、プラスチックなどから形成されてもよい。
【０１０９】
本方法の別の代替の形態では、図８〜１０に示される可撓性フィルム１００の折り畳み前に、図２９に示される代替の補強部材８４は、間もなく形成されるパッケージに対する追加の構造的支持を提供するために追加されてもよい。具体的に、図７に示されるように、範囲１３０及び１３２上に食品９０を配置する代わりに、食品９０は、可撓性フィルム１００の範囲１３２内に配置され、補強部材８４は、可撓性フィルム１００の範囲１３０内での上向き表面１１０への付着なしで、単純に配置されるか、又は好適な接着剤を介して、可撓性フィルム１００の上向き表面１１０に付着されるかのいずれかである。
【０１１０】
補強部材８４を含む可撓性フィルム１００が、実質的に図８〜１０に示されるように折り畳まれて、最終パッケージを形成すると、最終パッケージは、パッケージ１０と同様であるが、パウチのうちの一方が補強部材８４を含むという点で異なり、それは、最終パッケージに増加した構造的完全性を提供し得る。補強部材８０及び８２と同様に、補強部材８４は、様々な材料、例えば、板紙、プラスチックなどから形成されてもよい。
【０１１１】
可撓性フィルム１００が図８に示されるように折り畳まれるとき、可撓性フィルム１００の第１の長手方向縁部１０４が、第１のクリース線１１２を覆う必要はないことが理解されるものとする。加えて、図６〜９中の寸法が単に例示的であり、必ずしも正確な縮尺率で描かれてはいないこと、並びに可撓性フィルム１００が様々な形状及びサイズの可撓性パッケージを製造するために使用され得ることが理解されるものとする。そのようなパッケージの実施例は、図１６〜１９に示され、以下に考察される。
【０１１２】
可撓性フィルム１００の第１及び第２の長手方向縁部１０２及び１０４が、図８及び１０に示されるように内向きに折り畳まれた後、金属化層１２２、１２４の下にある可撓性フィルム１００の封着縁１１９、１２０（図６及び７を参照されたい）は、例えば、ヒートシーリングによって一緒に封着されて、第１及び第２のパウチ１２及び１４を形成する。接着材料、ラミネート加工、接合、溶接、紫外線硬化、又は融合が、ヒートシーリングの代わりに使用されてもよい。次いで、第１の長手方向縁部１０４を含む可撓性フィルム１００の範囲１２６は、図９及び１０に示されるように、第２のクリース線１１４に向かって脆弱線１１８を中心にして折り畳まれて、可撓性フィルム１００の範囲１２８の一部分に重なり、かつ範囲１２６の上向き表面１２７を露出し、食品９０のより多くを露出する。
【０１１３】
パッケージ１０に再閉鎖可能な特徴を提供するために、接着材料が、可撓性フィルム１００の範囲１２８に適用されて、接着範囲１３６を形成することができる。接着範囲１３６が、パッケージ１０の第１のパウチ１２の一部を形成する可撓性フィルム１００の範囲１２８上に適用されるものとして図９に示されているが、接着範囲１３６は加えて、又はあるいは、パッケージ１０の第２のパウチ１４の一部を形成する範囲１３４に適用されてもよい。接着範囲１３６が図９及び１０中で１つの円形の範囲として示されているが、接着範囲１３６が、正方形若しくは矩形のストリップの形態であってもよく、又は可撓性フィルム１００の範囲１２８及び範囲１３４が互いに当接させられるとき、範囲１２８を範囲１３４に取り外し可能に付着させる、いくつかの離間した接着範囲の形態であってもよいことが理解されるであろう。
【０１１４】
可撓性フィルム１００の範囲１２６が図９及び１０に示されるように折り畳まれた後、１つ以上の接着材料が、可撓性フィルム１００の範囲１２６の上向き表面１２７の全部又は一部に適用される。接着材料は、可撓性フィルム１００の範囲１２６の上向き表面１２７が、可撓性フィルム１００の対向部分、例えば、範囲１３４の一部分に付着されるとき、取り外し不可能な付着がもたらされるように選択される。接着材料を上向き表面１２７に適用する代わりに、接着材料は、可撓性フィルム１００が図１０に示されるその最終構成に折り畳まれるとき、上向き表面１２７に対向する範囲１３４の部分に適用されてもよい。
【０１１５】
接着材料が可撓性フィルム１００の範囲１２６の上向き表面１２７に適用された後、可撓性フィルム１００は、第２及び第３のクリース線１１４、１１６が第１のクリース線１１２及び互いに向かって引き寄せられ、範囲１２６の上向き表面１２７上の接着材料が可撓性フィルム１００の範囲１３４の対向部分に付着して、可撓性フィルム１００内に食品９０を密閉するように折り畳まれる。接着剤を範囲１２６の上向き表面１２７に適用し、次いで、上向き表面１２７を可撓性フィルム１００の範囲１３４に付着させて、接着剤ベースのシールを形成するか、又はその逆の代わりに、上向き表面１２７が可撓性フィルム１００の範囲１３４の対向部分と接触させられ、熱封着、溶接、接合、融合、紫外線硬化、又はラミネート加工されて、可撓性フィルム１００内に食品９０を密閉し得ることが理解されるものとする。
【０１１６】
最後に、パッケージ１０は、図１０に示されるように可撓性フィルム１００の残りの部分から単体化される。例えば、カッティングジョーなどの切断装置は、図１０に示されるように、可撓性フィルム１００を通じて１つ以上の切り目を入れて、個々のパッケージ１０を単体化することができる。上記の方法は、有利に、上記のパッケージ１０が可撓性フィルム１００の単一のシートから容易に形成されることを可能にする。
【０１１７】
別の形態に従ったパッケージ２００は、図１１〜１４に示される。１つの閉鎖フラップ７０を含むパッケージ１０とは異なり、パッケージ２００は、２つの閉鎖フラップ２７０及び２７１を含む。図１１及び１４に示されるように、パッケージ２００の第１の閉鎖フラップ２７０は、第１の脆弱線２７２に沿って第１のパウチ２１２の内部パネル２２４に付着され、パッケージ２００の第２の閉鎖フラップ２７０は、第２の脆弱線２７３に沿って第２のパウチ２１４の内部パネル２２８に付着される。図１４に示されるように、パッケージ２００が閉鎖位置にあるとき、パウチ２１２及び２１４は互いに当接し、閉鎖フラップ２７０及び２７１は、パウチ２１２及び２１４の内部パネル２２４及び２２８の外側表面２４２及び２４６をそれぞれ覆うように、それらのそれぞれの脆弱線２７２及び２７３を中心にして折り畳まれる。
【０１１８】
パッケージ２００が図１４に示される閉鎖位置にある場合、閉鎖フラップ２７０及び２７１は、閉鎖フラップ２７０及び２７１の互いへの取り外し不可能な付着をもたらすように選択される接着剤２７４を介して、互いに付着される。閉鎖フラップ２７０及び２７１が、他の好適な手段、例えば、ヒートシーリング、溶接、紫外線硬化、ラミネート加工などを介して互いに付着されてもよいことが理解されるであろう。パッケージ２００が閉鎖位置にあるときに閉鎖フラップ２７０及び２７１が互いに付着されている場合、パウチ２１２、２１４の開口部２１８、２２０へのアクセスは、閉鎖フラップ２７０及び２７１によって遮断される。
【０１１９】
パッケージ１０と同様に、パッケージ２００が図１４の閉鎖位置から図１３の開放位置に向かって、図１１及び１２中の方向矢印によって示される方向に移動するとき、パウチ２１２及び２１４は、本のような様式でパッケージ１０を開放するように、互いから離れてヒンジ２１６を中心にして移動し、それは、消費者にとって視覚的に魅力であり得る。パッケージ２００の開放中、パウチ２１２、２１４は、消費者によって適用されている開放力が脆弱線２７２及び２７３のうちの一方又は両方において引裂を開始する位置まで、互いから離れて移動する。図１２に示される形態では、パッケージ２００は、脆弱線２７２に沿って第１のパウチ２１２の内部パネル２２４から分離している閉鎖フラップ２７０を有して示されている。
【０１２０】
パッケージ２００の配向及び消費者によって適用される開放力に応じて、閉鎖フラップ２７０が内部パネル２２４に付着されたままであってもよい一方で、閉鎖フラップ２７１が、脆弱線２７３に沿って第２のパウチ２１４の内部パネル２２８から分離してもよいことが理解されるであろう。あるいは、閉鎖フラップ２７０及び２７１の両方は、それらのそれぞれの脆弱線２７２及び２７３に沿って、第１及び第２のパウチ２１２及び２１４のそれらのそれぞれの内部パネル２２４及び２２８から分離してもよい。閉鎖フラップ２７０が脆弱線２７２に沿って第１のパウチ２１２の内部パネル２２４から完全に取り外された後、閉鎖フラップ２７０はもはやパウチ２１２、２１４を一緒に保持せず、パウチ２１２、２１４が互いから更に離れて、図１３に示される開放位置へと移動することを可能にする。
【０１２１】
パッケージ２００が図１３に示される開放位置にあるとき、第１の閉鎖フラップ２７０は、第２の閉鎖フラップ２７１に付着されたままであるが、もはやパッケージ２００を封着、又はパウチ２１２、２１４の開口部２１８、２２０へのアクセスを遮断しない。代わりに、図１３に示されるように、消費者は、開口部２１８及び２２０を通じてパウチ２１２及び２１４から食品９０の部分を取り出すことができる。パッケージ１０の閉鎖フラップ７０と同様に、パッケージ２００の閉鎖フラップ２７０及び２７１は、閉鎖フラップ２７０、２７１のうちの一方又は両方の非存在又は部分的取り外しが、パッケージ２００がすでに開放又は不正開放されていることを消費者に視覚的に指示するように、パッケージ２００のための新鮮さシール及び／又は不正開封防止特徴を提供する。
【０１２２】
パッケージ２００は、それが閉鎖した底端部２５４及び２６０を有する２つのパウチ２１２及び２１４から形成されるという点で、図１〜９のパッケージ１０と他の部分は同様である。パッケージ２００のパウチ２１２、２１４は、図１３に示されるように、パッケージ１０の端部シール６２、６４、６６、及び６８と同様の端部シール２６２、２６４、２６６、及び２６８を有する。参照しやすくするために、図１１〜１５において、パッケージ１０の態様と同様であるパッケージ２００の態様は、同様の参照番号で示されているが、「２」が前置きされている。
【０１２３】
パッケージ２００は、図６〜１０に示される方法と実質的に同様である方法を介して形成され得る。パッケージ２００は、パッケージ１０にあるような１つの閉鎖フラップ７０の代わりに２つの閉鎖フラップ２７０、２７１を含むため、パッケージ２００の製造方法は、少なくとも第２の閉鎖フラップが、パッケージ２００が作製される可撓性フィルム３００中に形成されるという点で、パッケージ１０の製造方法とは異なる。
【０１２４】
具体的に、図１５に示されるように、可撓性フィルム３００の第２のクリース線３１４と第１の長手方向縁部３０４との間で、可撓性フィルム３００中に第１の脆弱線３１８を形成することに加えて、第２の脆弱線３１９が、可撓性フィルム３００の第３のクリース線３１６と第２の長手方向縁部３０２との間で、可撓性フィルム３００中に形成される。脆弱線３１８、３１９は、脆弱線１１８が可撓性フィルム１００中に形成されるのと実質的に同じ方法で形成される。可撓性フィルム３００中の脆弱線３１８がパッケージ２００の脆弱線２７２に対応する一方で、脆弱線３１９は、パッケージ２００の脆弱線２７３に対応する。第１の脆弱線３１８と第１の長手方向縁部３０４との間の可撓性フィルム３００の範囲３２６が、パッケージ２００の閉鎖フラップ２７０に対応する一方で、第２の脆弱線３１９と第２の長手方向縁部３０２との間の可撓性フィルム３００の範囲３２９は、パッケージ２００の閉鎖フラップ２７１に対応する。
【０１２５】
可撓性フィルム３００が機械方向に移動すると、食品９０は、図７及び１０に示される様式と同様の様式で、可撓性フィルム３００の上向き表面３１０上に配置される。次いで、可撓性フィルム３００の反対側の長手方向縁部３０２、３０４は、図８及び１０に実質的に示されるように、食品９０の部分及び可撓性フィルム３００の部分に重なるように内向きに折り畳まれ、かつ互い及び中央折畳み領域３１２に向かって引き寄せられる。後に、可撓性フィルム３００の封着縁３１９、３２０は、パッケージ１０を参照して記載される様式と同様の様式で一緒に封着される。続いて、概して図９に示され、かつ可撓性フィルム１００の範囲１２６の折り畳みを参照して記載されるように、第１の長手方向縁部３０４を含む可撓性フィルム３００の範囲３２６は、第２のクリース線３１４に向かって第１の脆弱線３１８を中心にして折り畳まれて、可撓性フィルム３００の範囲３２８の一部分に重なり、かつ範囲３２６の上向き表面を露出する。同様に、長手方向縁部３０２を含む可撓性フィルム３００の範囲３２９は、第３のクリース線３１６に向かって第２の脆弱線３１９を中心にして折り畳まれて、可撓性フィルム３００の範囲３３２の一部分に重なり、かつ範囲３２９の上向き表面を露出する。
【０１２６】
範囲３２６及び３２９が上記のようにそれらのそれぞれの脆弱線３１８及び３１９を中心にして折り畳まれた後、１つ以上の接着材料が、範囲３２６及び３２９の上向き表面のうちの一方又は両方の全部又は一部に適用される。次いで、可撓性フィルム３００は、第２及び第３のクリース線３１４、３１６が第１のクリース線３１２及び互いに向かって引き寄せられ、範囲１２６及び１２９の上向き表面が可撓性フィルム３００内に食品９０を密閉するように互いに付着するように、折り畳まれる。最後に、パッケージ２００は、図１０に示される様式と同様の様式で、可撓性フィルム３００の残りの部分から単体化される。
【０１２７】
図３０は、パッケージ２００を製造するために使用され得るいくつかの例示的な機械装置を示す。そのような機械装置は、食品９０が配置され得るコンベヤ表面９１及び９３を含んでもよい。コンベヤ表面は、図３０に示されるように、可撓性フィルム３００が食品９０を包囲し、概して三角形の配向をとるように、角度が付けられ、かつ互いに対して分岐する。可撓性フィルム３００が駆動輪９３及び９５上で供給されると、パッケージ２００の閉鎖フラップ２７０及び２７１にそれぞれ対応する可撓性フィルム３００の部分３２６及び３２９は、図３０に示されるように、折り畳まれ、かつ一形態では、ヒートシール２７４を介して取り外し不可能に、互いに付着される。
【０１２８】
別の形態に従ったパッケージ４００は、図１６及び１７に示される。パッケージ４００は、パッケージ１０とは異なる形状を有する。具体的には、パッケージ１０が概して矩形である一方で、パッケージ４００は概して正方形である。加えて、パッケージ４００は、パッケージ１０と比較して、食品９０に対してより小さいサイズ及び容量を有する。具体的には、縁部４５０から縁部４５２までの距離によって測定されるパッケージ４００の長さは、縁部５０から縁部５２までの距離によって測定されるパッケージ１０の長さの約半分、又は半分よりも小さい。少なくともその理由で、パッケージ４００は、例示的なパッケージ１０がパウチ１２、１４のそれぞれの中に７枚のガムスティックを含む一方で、例示的なパッケージ４００がパウチ４１２、４１４のそれぞれの中に２枚のガムスティックを含むという事実によって証明されるように、食品９０に対してより小さい容量を有する。
【０１２９】
パッケージ４００は、それが閉鎖した底端部４５４及び４６０を有する２つのパウチ４１２及び４１４から形成されるという点で、図１〜９のパッケージ１０と他の部分は同様である。参照しやすくするために、図１６及び１７において、パッケージ１０の態様と同様であるパッケージ４００の態様は、同様の参照番号で示されているが、「４」が前置きされている。パッケージ４００のパウチ４１２、４１４は、図１７に示されるように、端部シール６２、６４、６６、及び６８と同様の端部シール４６２、４６４、４６６、及び４６８を有する。パッケージ４００は、閉鎖フラップ４７０が、パッケージ４００が閉鎖位置にあるときに両方のパウチ４１２及び４１４に付着されるという点で、図１〜９のパッケージ１０と同様に封着される。
【０１３０】
パッケージ４００は、図１７に示されるように、閉鎖フラップ４７０が脆弱線に沿ってパウチ４１２から取り外され、パウチ４１４に付着されたままであるという点で、図１〜９のパッケージ１０と同様に開放される。パッケージ４００はまた、パウチ４１２がパッケージ１０の接着範囲７６と同様の接着範囲４７６を含むという点で、再閉鎖特徴が提供される。パッケージ４００は、図６〜１０に示される方法と実質的に同様である方法を介して形成され得る。パッケージ４００は、図１６及び１７に示される寸法及び／又は特徴とは異なる寸法及び／又は特徴を有して形成され得る。例えば、パッケージ４００は、任意に、パッケージ１０よりも大きい又は小さい長さを有してもよく、かつ任意に、図１１〜１４のパッケージ２００と同様の２つの閉鎖フラップを有してもよい。
【０１３１】
別の形態に従ったパッケージ５００は、図１８及び１９に示される。パッケージ５００は、パッケージ１０の端部シール６２、６４、６６、及び６８とは異なる形状を有する端部シール５６２、５６４、５６６、及び５６８を有する。具体的に、パッケージ１０の端部シール６２、６４、６６、及び６８が概して直線である一方で、パッケージ５００の端部シール５６２、５６４、５６６、及び５６８は、図１８及び１９に示されるように、起伏のある形状を形成する１つ以上の波の形態である。加えて、対向端部シール５６２及び５６６並びに対向端部シール５６４及び５６８は、図１８及び１９に示されるように、パッケージが閉鎖したときに、端部シール５６６及び５６８の部分が端部シール５６２及び５６４の下からそれぞれ突出して、プルタブ５６３及び５６５を形成するように、異なる形状を有する。プルタブ５６３及び５６５は、消費者のパッケージ５００の開放を促進し得る。
【０１３２】
パッケージ５００は、それが閉鎖した底端部５５４及び５６０を有する２つのパウチ５１２及び５１４から形成されるという点で、図１〜５のパッケージ１０と他の部分は同様である。参照しやすくするために、図１８及び１９において、パッケージ１０の態様と同様であるパッケージ５００の態様は、同様の参照番号で示されているが、「５」が前置きされている。パッケージ５００のパウチ５１２、５１４は、図１９に示されるように、端部シール６２、６４、６６、及び６８と同様の端部シール５６２、５６４、５６６、及び５６８を有する。パッケージ５００は、閉鎖フラップ５７０が、パッケージ５００が閉鎖位置にあるときに両方のパウチ５１２及び５１４に付着されるという点で、図１〜５のパッケージ１０と同様に封着される。パッケージ５００は、図１９に示されるように、閉鎖フラップ５７０が脆弱線に沿ってパウチ５１２から取り外され、パウチ５１４に付着されたままであるという点で、図１〜５のパッケージ１０と同様に開放される。パッケージ５００はまた、パウチ５１２がパッケージ１０の接着範囲７６と同様の接着範囲５７６を含むという点で、再閉鎖特徴が提供される。
【０１３３】
パッケージ５００は、図６〜１０に示される方法と実質的に同様である方法を介して形成され得る。図１８及び１９のパッケージ５００が、各パウチ５１２、５１４が１、２、３、４、５、６、７、若しくは８枚のガムスティック、又はそれ以上を含み得るように、より大きいか、又はより小さいサイズで製造され得ることが理解されるであろう。パッケージ５００は、任意に、図１１〜１４のパッケージ２００の閉鎖フラップ２７０、２７１と同様の２つの閉鎖フラップを有してもよい。
【０１３４】
別の形態に従ったパッケージ６００は、図２０に示される。パッケージ６００は、図１〜９のパッケージ１０と同様であり、ある特定の違いが以下で強調される。参照しやすくするために、パッケージ１０の態様と同様であるパッケージ６００の態様は、同様の参照番号で示されているが、「６」が前置きされている。断面で示されるが、パッケージ６００が上記のパッケージと同じ一般構造を有し、違いが以下で強調されることが理解されるであろう。
【０１３５】
図２０のパッケージ６００は、パッケージ６００の閉鎖フラップ６７０がパッケージ１０の閉鎖フラップ７０よりも短いという点で、図５のパッケージ１０とは異なるが、閉鎖フラップ６７０の長さは、例示されるもの以外の長さであってもよい。加えて、図５のパッケージ１０の閉鎖フラップ７０が、閉鎖フラップ７０が内部パネル２４から分離可能であることを可能にするために脆弱線７２を含む一方で、図２０のパッケージ６００の閉鎖フラップ６７０は、そのような脆弱線を含まない。更に、図５の閉鎖フラップ７０が、好ましくはヒートシールの形態である接着剤７４を介してパネル２８の外部表面４６に付着される一方で、図２０の閉鎖フラップ６７０は、コールドシール又は感圧接着剤などの剥離可能なシール６７４を介して、パネル６２８の外部表面６４６に付着される。
【０１３６】
パッケージ６００の開放中、パウチ６１２、６１４は、消費者によって適用されている開放力が剥離可能シール６７４を剥離又は破断して、パウチ６１２の内部パネル６２４から閉鎖フラップ６７０を分離して、閉鎖フラップ６７０がもはやパッケージ６００を封着、又はパウチ６１２、６１４の開口部６１８、６２０へのアクセスを遮断しない位置まで、ヒンジを中心にして枢動するときに互いから離れて移動する。これは、消費者が開口部６１８及び６２０を通じてパウチ６１２及び６１４から食品９０の部分を取り出すことを可能にする。
【０１３７】
別の形態に従ったパッケージ７００は、図２１に示される。図２１のパッケージ７００は、図１４のパッケージ２００と同様であり、違いが以下で考察される。参照しやすくするために、パッケージ２００の態様と同様であるパッケージ７００の態様は、同様の参照番号で示されているが、「７」が前置きされている。断面で示されるが、パッケージ７００が上記のパッケージと同じ一般構造を有し、違いが以下で強調されることが理解されるであろう。
【０１３８】
図２１のパッケージ７００は、図２１の閉鎖フラップ７７０及び７７１が図１４の閉鎖フラップ２７０及び２７１よりも短いという点で、図１４のパッケージ２００とは異なるが、他の長さが好適である可能性がある。ほんの一例として、図２１の閉鎖フラップ７７０は、図２０の閉鎖フラップ６７０とサイズが同一である。加えて、図２１のパッケージ７００の閉鎖フラップ７７０及び７７１は、パッケージ２００の閉鎖フラップ２７０及び２７１が内部パネル２２４及び２２８から分離されることを可能にする、図１４の脆弱線２７２及び２７３と類似した脆弱線を含まない。更に、図１４の閉鎖フラップ２７０が、好ましくはヒートシールの形態である接着剤２７４を介してパネル２２８の外部表面２４６に付着される一方で、図２１の閉鎖フラップ７７０は、コールドシール又は感圧接着剤などの剥離可能なシール７７４を介して、パネル７２８の外部表面７４６に付着される。
【０１３９】
パッケージが消費者によって開放されているとき、パウチ７１２及び７１４は、消費者によって適用されている開放力が剥離可能シール７７４を剥離又は破断して、閉鎖フラップ７７０及び７７１を互いから分離して、閉鎖フラップ７７０及び７７１がもはやパッケージ７００を封着、又はパウチ７１２、７１４の開口部７１８、７２０へのアクセスを遮断しない位置まで、互いから離れて移動する。剥離可能シール７７４の破断は、開放中に消費者への聴覚、視覚、及び／又は触覚応答を提供することができる。開放後、消費者は、本明細書の代替の実施形態で考察されるように、開口部が更に遮断されない限り、開口部７１８及び７２０を通じてパウチ７１２及び７１４から食品９０の部分を取り出すことができる。
【０１４０】
別の形態に従ったパッケージ８００は、図２２に示される。パッケージ８００は、図１４のパッケージ２００と同様であり、特定の違いが以下で詳細に考察される。参照しやすくするために、パッケージ２００の態様と同様であるパッケージ８００の態様は、同様の参照番号で示されているが、「８」が前置きされている。断面で示されるが、パッケージ８００が上記のパッケージと同じ一般構造を有し、違いが以下で強調されることが理解されるであろう。
【０１４１】
パッケージ８００は、図２２の内部パネル８２４及び８２８が図１４の閉鎖フラップ２７０及び２７１と類似した閉鎖フラップを含まないという点で、パッケージ２００とは異なる。具体的に、図１４の閉鎖フラップ２７０及び２７１が、内部パネル８２４及び８２８の外側表面８４２及び８４６の部分にそれぞれ重なるように折り畳まれる一方で、図２２の内部パネル８２４及び８２８は、折り畳まれないが、互いに概して平行に延在し、それぞれが脆弱線８７２及び８７３をそれぞれ含む。脆弱線８７２及び８７３の上の内部パネル８２４及び８２８の部分は、取り外し可能閉鎖フラップ８７０及び８７１を構成し、それらは、接着剤８７４、例えば、ヒートシールを介して互いに取り外し不可能に付着されて、パッケージ８００を封着する。
【０１４２】
パッケージ８００の開放中、パウチ８１２、８１４は、消費者によって適用されている開放力が、脆弱線８７２及び８７３のうちの一方又は両方に沿って内部パネル８２４及び８２８のうちの一方又は両方における引裂を開始して、内部パネル８２４及び８２８の残りの部分から閉鎖フラップ８７０及び８７１のうちの一方又は両方を分離する位置まで、互いから離れて移動する。パッケージ８００が開放位置にあるとき、閉鎖フラップ８７０及び８７１は、ヒートシール８７４を介して互いに付着されたままであるが、閉鎖フラップ８７０及び８７１のうちの一方又は両方は、もはやそれらのそれぞれの内部パネル８２４及び８２８に付着されず、かつもはやパッケージ８００を封着、又はパウチ８１２、８１４の開口部８１８、８２０へのアクセスを遮断しない。これは、消費者が開口部８１８、８２０を通じてパウチ８１２、８１４から食品９０の部分を取り出すことを可能にする。
【０１４３】
別の形態に従ったパッケージ９００は、図２３に示される。参照しやすくするために、パッケージ１０、２００、６００、７００、及び８００の態様と同様であるパッケージ９００の態様は、同様の参照番号で示されているが、「９」が前置きされている。断面で示されるが、パッケージ９００が上記のパッケージと同じ一般構造を有し、違いが以下で強調されることが理解されるであろう。
【０１４４】
図２３のパッケージ９００のパウチ９１２は、図２０のパッケージ６００のパウチ６１２と同様であり、唯一の違いは、パウチ９１２が、第１のパウチ９１２の内部パネル９２４から閉鎖フラップ９７０の分離を促進する脆弱線９７２を含むという点である。別の違いは、好ましくはコールドシールである図２０の剥離可能シール６７４とは異なり、閉鎖フラップ９７０とパウチ９１４の内部パネル９２８の外側表面９４６との間のシール９７４が、取り外し不可能な付着を提供するシール、例えば、ヒートシールであるということである。換言すれば、シール９７４は、シール９７４に沿うことと比較して、脆弱線９７２に沿った断裂の傾向がより大きいように選択された強度を有する。
【０１４５】
図２３のパッケージ９００のパウチ９１４は、パッケージ６００の内部パネル６２８が食品９０の高さの一部分に沿って延在する一方で、パッケージ９００の内部パネル９２８が食品９０の高さ全体に沿って延在し、かつ食品９０を包んで、外壁９２６の内側表面９４０に対してコールドシール９７５を形成し、それによりパウチ９１４内に製品９０を密閉するという点で、図２０のパッケージ６００のパウチ６１４とは異なる。
【０１４６】
パッケージ９００がヒンジを中心にして枢動することによって消費者によって開放されているとき、パウチ９１２、９１４は、消費者によって適用されている開放力が、脆弱線９７２に沿って閉鎖フラップ９７０における引裂を開始して、パウチ９１２の内部パネル９２４から閉鎖フラップ９７０を分離し、閉鎖フラップ９７０がヒートシール９７４を介して内部パネル９２８に付着されたままであるが、もはやパウチ９１２を封着、又はパウチ９１２の開口部９１８へのアクセスを遮断せず、消費者がパウチ９１２から食品９０の部分を取り出すことを可能にする位置まで、互いから離れて移動する。特に、パッケージ９００は、パッケージ９００が閉鎖フラップ９７０の分離によって開放された後でさえ、第２のパウチ９１４が完全に封着されたままである（コールドシール９７５において）という点で、本明細書に記載されるパッケージとは異なる。消費者が第２のパウチ９１４を開放することを可能にするために、パウチ９１４の内部パネル９２４は、コールドシール９７５を破断し、パウチ９１４を開放して、食品９０を回収するために使用され得るプルタブ９７７の形態の端部分を含む。
【０１４７】
別の形態に従ったパッケージ１０００は、図２４に示される。パッケージ１０００は、パッケージ１０００が食品９０を含むための１つのパウチのみを含むという点で、上記のパッケージ（ヒンジで接合される２つのパウチを含む）とは異なる。参照しやすくするために、上記のパッケージの態様と同様であるパッケージ１０００の態様は、同様の参照番号で示されているが、「１０」が前置きされている。断面で示されるが、パッケージ１０００が上記のパッケージと同じ一般構造を有し、違いが以下で強調されることが理解されるであろう。
【０１４８】
図２４に示されるように、パッケージ１０００の外壁１０２６は、第２のパウチを形成する代わりに、食品９０の高さに沿って実質的に直線的に延在して、カバーとして機能する。内部パネル１０２４の内側表面１０４２は、コールドシール又は感圧接着剤などの剥離可能シール１０７４を介して、パッケージ１０００の内部パネル１０２４の外側表面１０４２に付着されて、パッケージ１０００を封着する。
【０１４９】
消費者によるパッケージ１０００の開放中、パッケージ１０００の外壁１０２６は、内部パネル１０２４から離れて、消費者によって適用されている開放力が剥離可能シール１０７４を破断して、外壁１０２６が内部パネル１０２４から取り外されることを可能にし、本実施形態では閉鎖フラップを構成する外壁１０２６がもはやパッケージ１０００を封着、又はパウチ１０１２の開口部１０１８へのアクセスを遮断しないが、パウチ１０１２の開口部１０１８へのアクセスを消費者に提供し、食品９０の部分が開口部１０１８を通じてパッケージ１０００から取り出され得る位置まで移動し得る。
【０１５０】
別の形態に従ったパッケージ１１００は、図２５に示される。パッケージ１１００は、図２４のパッケージ１０００と同様である。参照しやすくするために、パッケージ１０００の態様と同様であるパッケージ１１００の態様は、同様の参照番号で示されているが、「１１」が前置きされている。断面で示されるが、パッケージ１１００が上記のパッケージと同じ一般構造を有し、違いが以下で強調されることが理解されるであろう。
【０１５１】
図２５のパッケージ１１００は、パッケージ１０００の外壁１０２６が外壁１１２６の内部表面１１４０に付着される補強部材１１８０を含んで、側側壁１１２６への構造支持を提供するという点で、図２４のパッケージ１０００とは異なる。図２４のパッケージ１０００の外壁１０２６が剥離可能シール１０７４を介して内部パネル１０２４の外側表面１０４２に付着される一方で、外壁１１２６は、その内側表面１１４０において補強部材１１８０に付着され、その内部表面１１８１は、コールドシール又は感圧接着剤などの剥離可能シール１１７４を介して、内部パネル１１２４の外側表面１１４２に付着されて、パッケージ１１００を封着する。補強部材１１８０は、様々な材料、例えば、板紙、プラスチックなどから形成されてもよい。
【０１５２】
パッケージ１１００は、内部パネル１１２４から離れて、開放力が剥離可能シール１１７４を破断し、本実施形態では閉鎖フラップを構成する外側壁１１２６がもはやパッケージ１１００を封着、又はパウチ１１１２の開口部１１１８へのアクセスを遮断しないが、パウチ１１１２の開口部１１１８へのアクセスを消費者に提供し、食品９０の部分が開口部１１１８を通じてパッケージ１１００から取り出され得る位置まで、外側壁１１２６を移動させることによって開放され得る。
【０１５３】
別の形態に従ったパッケージ１２００は、図２６に示される。パッケージ１２００は、図２４のパッケージ１０００と同様であり、ある特定の違いが以下で考察される。参照しやすくするために、パッケージ１０００の態様と同様であるパッケージ１２００の態様は、同様の参照番号で示されているが、「１２」が前置きされている。断面で示されるが、パッケージ１２００が上記のパッケージと同じ一般構造を有し、違いが以下で強調されることが理解されるであろう。
【０１５４】
図２６のパッケージ１２００は、パッケージ１２００の内部パネル１２２４が外壁１２２６の内側表面１２４０に直接付着されないが、閉鎖フラップ１２７０を含み、それが内部パネル１２２４の内側表面１２４２の部分を覆うように脆弱線１２７１を中心にして折り畳まれるという点で、図２４のパッケージ１０００とは異なる。閉鎖フラップ１２７０は、接着剤１２７４、例えば、ヒートシール、コールドシール、ホットメルト、感圧接着剤などを介して、外側壁１１２６の内側表面１１４０に取り外し不可能に付着されて、パッケージ１２００を封着する。
【０１５５】
パッケージ１２００の開放中、パッケージ１２００の外側壁１２２６は、内部パネル１２２４から離れて、消費者によって適用されている開放力が、閉鎖フラップ１２７０における引裂を開始して、脆弱線１２７１に沿って内部パネル１２２４から閉鎖フラップ１２７０を分離し、閉鎖フラップ１２７０がヒートシール１２７４を介して外壁１２２６の内側表面１１４０に付着されたままであるが、もはやパッケージ１２００を封着、又はパウチ１２１２の開口部１２１８へのアクセスを遮断せず、消費者が開口部１２１８を通じてパウチ１２１２から食品９０の部分を取り出すことを可能にする位置まで移動し得る。
【０１５６】
図２７は、外部カバー１３００を更に含む図５のパッケージ１０を示す。カバー１３００は、板紙、ボール紙、プラスチック、又はこれらの組み合わせなどの硬質材料から形成されてもよい。カバー１３００は、例えば、接着剤、コールドシールなどを使用して、パッケージ１０に付着されてもよい。図２７に示される形態では、カバー１３００は、シール１３０１及び１３０２を介して外壁２２の外側表面３４に付着され、シール１３０３及び１３０４を介して外壁２６の外側表面３８に付着される。カバー１３００を取り外して、パッケージ１０へのアクセスを得るために、カバー１３００は、例えば、消費者によって適用されている開放力がシール１３０１、１３０２、１３０３、及び１３０４を破断して、パッケージ１０がカバー１３００から取り外されることを可能にするまで、パッケージ１０の外側壁２２及び２６に沿って摺動することによって移動してもよい。パッケージ１０がカバー１３００から取り外された後、それは、上記のように開放され得る。
【０１５７】
図２０〜２９に示されるパッケージのそれぞれは、図６〜１０に示され、かつ上記に記載される方法と実質的に同様である方法、並びに他の好適な方法を介して形成され得る。
【０１５８】
更に別の実施形態では、図３１〜３５のパッケージ１４００は、２つのポケット１４１２、１４１４を備える硬質の貝殻状の外側部材１４１０と、それらの間のヒンジ１４１６とを含むことができる。第１のポケット１４１２は、食品９０を含むようにサイズ決定及び形状決定される中空内部１４１１と、中空内部１４１１を包囲する外周フランジ１４３１とを有する。同様に、第２のポケット１４１４は、食品９０を含むようにサイズ決定及び形状決定される中空内部１４１３と、中空内部１４１３を包囲する外周フランジ１４３３とを有する。第１のフィルムのシート１４２４は、第１のポケット１４１２の外周フランジ１４３１に付着され得、第２のフィルムのシート１４２８は、第２のポケット１４１４の外周フランジ１４３３に付着され得る。シート１４２４及び１４２８は、それらが第１及び第２のポケット１４１２及び１４１４の中空内部１４１１及び１４１３の一部分をそれぞれ被覆し、それにより、パッケージ１４００が図３４に示されるように開放位置にあるとき、食品９０へのアクセスを消費者に提供し、かつ消費者がポケット１４１２及び１４１４から食品９０を取り出すことを可能にするように寸法決定される。「硬質」によって意味するものは、好ましくはフィルムよりも硬質である材料である。したがって、貝殻状の外側部材１４１０のポケット１４１２、１４１４を形成する材料は、第１及び第２のフィルムのシート１４２４及び１４２８を形成する材料よりも硬質である。１つのアプローチでは、硬質材料は、ポケット１４１２及び１４１４を作製するために熱成形可能であってもよい。
【０１５９】
第１及び第２のフィルムのシート１４２４及び１４２８は、１つ以上の接着剤、ヒートシーリング、溶接などを介して、それらのそれぞれの外周フランジ１４３１及び１４３３に付着され得る。１つのアプローチでは、第１及び第２のフィルムのシート１４２４、１４２８は、図３４に示されるように、各フィルム１４２４、１４２８が、第１及び第２のポケット１４１２、１４１４のそれぞれの頂縁部１４５０、１４５６からそれぞれの底縁部１４５２、１４５８まで延在して、それぞれの外周フランジ１４３１、１４３３の下層部分を被覆するように、外周フランジ１４３１、１４３３に付着される。頂縁部１４５０、１４５６及び底縁部１４５２、１４５８からフィルム１４２４及び１４２８が離間するように、フィルム１４２４及び１４２８が外周フランジ１４３１及び１４３３に付着され得ることが理解されるであろう。
【０１６０】
第１のフィルムのシート１４２４は、脆弱線１４７２を中心にしてフィルム１４２４に対して折り畳まれ、かつ脆弱線１４７２に沿ってフィルム１４２４から分離可能な、閉鎖フラップ１４７０を有する。パッケージ１４００が閉鎖されるとき、閉鎖フラップ１４７０は、脆弱線１４７２に沿って第１のフィルム１４２４に付着され、第２のフィルム１４２８に接着剤１４７４を介して第２のフィルム１４２８に付着され、それによりパッケージ１４００内に食品９０を封着する。接着剤１４７４は、閉鎖フラップ１４７０の第２のフィルム１４２８への取り外し不可能な付着をもたらすように選択される。接着剤の代わりに、閉鎖フラップ１４７０が、他の好適な手段、例えば、ヒートシーリング、溶接、紫外線硬化、ラミネート加工などを介して、第２のフィルム１４２８に付着されてもよいことが理解されるであろう。
【０１６１】
パッケージ１４００が図３２の閉鎖位置から図３４の開放位置に向かって、図３３中の方向矢印によって示される方向に移動するとき、ポケット１４１２及び１４１２は、本のような様式でパッケージ１４００を開放するように、互いから離れてヒンジ１４１６を中心にして移動し、それは、消費者にとって視覚的に魅力であり得る。パッケージ１４００の開放中、ポケット１４１２、１４１４は、図３３に示されるように、互いから離れて、消費者によって適用される開放力が脆弱線１４７２における引裂を開始し、かつ閉鎖フラップ１４７０を脆弱線１４７２に沿って第１のフィルム１４２４から引き裂くことによって分離させる位置まで移動する。したがって、閉鎖フラップ１４７０は、消費者にパッケージ１４００の開放の程度の視覚的指示を提供する。加えて、消費者が脆弱線１４７２に沿った閉鎖フラップ１４７０の取り外し中、ある程度の抵抗を感じるため、閉鎖フラップ１４７０は、パッケージ１４００の初期の開放中に消費者に触覚的かつ潜在的に聴覚的な応答を提供することができる。
【０１６２】
閉鎖フラップ１４７０が脆弱線１４７２に沿って第１のフィルム１４２４から取り外された後、閉鎖フラップ１４７０はもはやポケット１４１２及び１４１４を一緒に保持せず、ポケット１４１２及び１４１４が互いから更に離れて、図３４に示される開放位置へと移動することを可能にする。パッケージ１４００が図３４に示される開放位置にあるとき、閉鎖フラップ１４７０は、第２のポケット１４１４の第２のフィルム１４２８に付着されたままであるが、もはやパッケージ１４００を封着、又はポケット１４１２、１４１４の中空内部１４１１、１４１３へのアクセスを遮断しない。代わりに、図３４に示されるように、消費者は、ポケット１４１２及び１４１４から食品９０の部分を取り出すことができる。したがって、閉鎖フラップ１４７０は、閉鎖フラップ１４７０の非存在又は部分的取り外しが、パッケージ１４００がすでに開放又は不正開放されていることを消費者に視覚的に指示するように、パッケージ１４００のための新鮮さシール及び／又は不正開封防止特徴を提供する。
【０１６３】
パッケージ１４００が最初に開放された後に再封鎖されることを可能にするために、図３４及び３５に示されるように、第２のポケット１４１４の外周フランジ１４３３は、任意のペグ状又はピン状の突起部１４７８を含み、第１のポケット１４１２の外周フランジ１４３１は、摩擦嵌合して突起部１４７８を受容するようにサイズ決定される、任意の開口部１４７９を含む。図３４の開放位置から図３５の閉鎖位置にパッケージ１４００を再閉鎖したいと思う消費者は、突起部１４７８がそれらのそれぞれの開口部１４７９と係合し、それによりパッケージ１４００を再閉鎖するように、ポケット１４１２、１４１４を、ヒンジ１４１６を中心にして互いに向かって引き寄せる。
【０１６４】
パッケージ１４００が再閉鎖されるとき、食品９０は、ポケット１４１２、１４１４内に含まれ、パッケージ１４００から落ちることから制限される。パッケージ１４００が突起部を含み、かつ開口部１４７９を受容するものとして示されているが、パッケージ１４００は、パッケージ１４００の複数回の開放及び再閉鎖を可能にする、１つ以上のグルードット、感圧接着剤、粘着テープ又はストリップ、ベルクロ（登録商標）、ジッパーなどの形態の、接着範囲７６と同様の接着範囲を含んでもよい。
【０１６５】
別の形態に従ったパッケージ１５００は、図３６〜４０に示される。参照しやすくするために、上記のパッケージの態様と同様であるパッケージ１５００の態様は、同様の参照番号で示されており、「１５」が前置きされている。パッケージ１５００は、それが図４１により詳細に示される可撓性フィルム１７００の単一のシートから形成されるという点で、上記のパッケージと同様の一般構造を有し、いくつかの違いは、以下で強調される。
【０１６６】
図４０のパッケージ１５００は、図２６のパッケージ１２００と同様の１つのパウチ１５１２を含み、かつ背面パネル１５２２と、前面パネル１５２４と、実質的にカバー又は外部フラップとして機能する外壁１５２６とを含む。パッケージ１２００のパウチとは異なり、かつそのようなパウチを形成するフィルムの折り畳みによって形成される、概してＵ字形の底端部を有する、パッケージ１０のパウチ１２、１４とは異なり、パッケージ１５００のパウチ１５１２は、パッケージ１５００を形成するフィルム（例えば、フィルム４００）の２つの対向端部１５８６及び１５８８の付着によって形成される。対向端部１５８６及び１５８８は、接着剤１５７４、例えば、ヒートシール、コールドシール、ホットメルト、感圧接着剤などを介して互いに付着されて、パッケージ１５００を封着する。接着剤１５７４は、好ましくは、図４０に示されるように、端部１５８６及び１５８８の互いへの取り外し不可能な付着（通常の使用で）をもたらすように選択される。
【０１６７】
図４０のパッケージ１５００はまた、脆弱線１５７２に沿って前面パネル１５２４に取り外し可能に接合される閉鎖フラップ１５７０が、外壁１５２６の内側表面１２４０に直接付着されないが、外壁１５２６と一緒にＵ字形折り畳み部又はプリーツに接合され、かつそれを形成するという点で、図２６のパッケージ１２００とは異なる。加えて、パッケージ１２００の閉鎖フラップ１２７０が、接着剤１２７４によって外壁１２２６の内部表面１２４０に取り外し可能に付着される一方で、パッケージ１５００の閉鎖フラップ１５７０は、例えば、コールドシール又は感圧接着剤であってもよい接着範囲１５７６によって、前面パネル１５２４の外側表面１５４２に取り外し可能に、かつ任意に、再閉鎖可能に付着される。
【０１６８】
消費者によるパッケージ１５００の開放中、パッケージ１５００の外側壁１５２６は、前面パネル１５２４から離れて、消費者によって適用されている開放力及び張力が、図３８に示されるように、脆弱線１５７２における引裂を開始し、閉鎖フラップ１５７０を脆弱線１５７２に沿って前面パネル１５２４から引き裂くことによって分離する位置まで移動して、パッケージ１５００が、閉鎖フラップ１５７０がもはやパッケージ１５００を付着、又はパウチ１５１２の開口部１５１８へのアクセスを遮断せず、消費者が開口部１５１８を通じて食品９０の部分を取り出すことを可能にする、図３９に示される開放位置まで移動することを可能にする。
【０１６９】
図３９の開放位置から図３６の閉鎖位置にパッケージ１５００を再閉鎖したいと思う消費者は、接着範囲１５７６が前面パネル１５２４の外側表面１５４２と接触し、かつ取り外し可能に付着されて、パッケージ１５００の複数の再閉鎖及び開放を可能にするように、外壁１５２６を、ヒンジ１５１６を中心にして前面パネル１５２４に向かって引き戻す。
【０１７０】
パッケージ１５００が作られ得る可撓性材料１７００のウェブの例示的な単一のシート又はセグメントが、図４１に示される。ウェブは、ウェブが図４１中の矢印によって示される機械方向に移動すると、中心線１７０４を中心にした鏡像であるパウチ１５１２になるようにサイズ決定される幅を有する。可撓性材料４００は、１つ以上のポリマー、ラミネート、金属化ポリマー、紙などから作製されるフィルムであってもよい。図４１を参照すると、フィルム１７００の長手方向縁部１７０２とクリース線１７１４との間の可撓性フィルム１７００の範囲１７０６は、折り畳まれたパッケージ１５００の背面パネル１５２２に対応する。クリース線１７１４とクリース線１７１６との間の可撓性フィルム１７００の範囲１７０８は、折り畳まれたパッケージ１５００の外部フラップ又は外部壁１５２６に対応する。クリース線１７１６と脆弱線１７１８（脆弱線１５７２に対応する）との間の可撓性フィルム１７００の範囲１７１０は、折り畳まれたパッケージ１５００の閉鎖フラップ１５７０に対応する。最後に、フィルム１７００の中心線でもあるクリース線１７０４と脆弱線１７１８との間の可撓性フィルム１７００の範囲１７１２は、折り畳まれたパッケージ１５００の前面パネル１５２４に対応する。可撓性フィルム１７００の範囲１７２０は、中心線１７０４の右側の上記の範囲、縁部、及びクリース線の鏡像であり、フィルム１７００が矢印によって示される機械方向に沿って移動すると、パッケージ１５００と同一の第２のパッケージを形成するために使用されてもよい。
【０１７１】
可撓性フィルム１７００が機械方向に移動すると、食品９０は、可撓性フィルム１７００の範囲１７０６の上向き表面上に配置され、フィルム１７００の範囲１７０６、１７０８、及び１７１０は、クリース線１７１４及び１７１６を中心にして、かつ脆弱線１７１８を中心にして折り畳まれて、図４０に示されるように、食品９０を包み、かつ互いに向かって可撓性フィルムの縁部１７０２及び１７０４を引き寄せ、接着剤１５７４を介して縁部１７０２及び１７０４を互いに取り外し不可能に付着させる。折り畳まれたパッケージ１５００において、閉鎖フラップ１５７０は、図４０に示されるように、プリーツ状の構成で折り畳まれる。クリース線として記載されるが、線は代わりに、予め形成されたクリース線とは対照的に最終的な折り目線を表し得る。
【０１７２】
別の形態に従ったパッケージ１６００は、図４２に示される。参照しやすくするために、上記のパッケージの態様と同様であるパッケージ１６００の態様は、同様の参照番号で示されており、「１６」が前置きされている。パッケージ１６００は、それが可撓性フィルムの単一のシートから形成されるという点で、上記のパッケージと同様の一般構造を有し、いくつかの違いは、以下で強調される。
【０１７３】
図４２のパッケージ１６００は、それが１つのパウチ１６１２と、背面パネル１６２２と、前面パネル１６２４と、実質的にカバー又は外部フラップとして機能する外壁１６２６とを含むという点で、図４０のパッケージ１５００と同様である。パッケージ１５００を形成するフィルムの２つの対向端部１５８６及び１５８８の付着によって形成されるパッケージ１５００のパウチ１５１２とは異なり、パウチ１６１２は、パッケージ１６００を形成するフィルムの折り畳みによって形成される、概してＵ字形の底端部を有する。
【０１７４】
図４２のパッケージ１６００はまた、図４０のパッケージ１５００の閉鎖フラップ１５７０と同様の、脆弱線１６７２に沿って前面パネル１６２４に取り外し可能に接合される閉鎖フラップ１６７０が、外壁１６２６と一緒に接合されず、かつ外壁１６２６とＵ字形折り畳み部を形成しないが、両方の接着材料において接着範囲１５７６と同様であり、パッケージ１６００の複数回の再閉鎖及び開放を提供する、接着範囲１６７６によって、前面パネル１６２４の外側表面１６４２に直接付着されるという点で、図４０のパッケージ１５００とは異なる。
【０１７５】
別の形態に従ったパッケージ１８００は、図４３〜４５に示される。パッケージ１８００は、図１〜９のパッケージ１０と同様であり、ある特定の違いが以下で強調される。参照しやすくするために、パッケージ１０の態様と同様であるパッケージ１８００の態様は、同様の参照番号で示されているが、「１８」が前置きされている。
【０１７６】
パッケージ１８００は、パッケージ１０の脆弱線７２が直線であり、パウチ１２、１４の側縁部５４、６０に平行である一方で、パッケージ１８００の脆弱線１８７２がパウチ１８１２、１８１４の側縁部１８５４、１８６０に平行ではないという点で、パッケージ１０とは異なる。具体的には、パッケージ１８００の脆弱線１８７２は、図４３に示されるように、側縁部１８５４及び１８６０に対して傾斜している。
【０１７７】
図４３〜４５に示されるように配向される脆弱線１８７２を含むパッケージ１８００では、パッケージ１８００が閉鎖位置から、図４４中の方向矢印によって示される方向に、図４５の開放位置に向かって移動するとき、パウチ１８１２、１８１４は、互いから離れて、図４４に示されるように、消費者によって適用される開放力及び張力が、パウチ１８１２の底縁部１８５２において、脆弱線１８７２における引裂を開始し、閉鎖フラップ７０をパウチ１８１２の内部パネル１８２４から脆弱線１８７２に沿って引き裂くことによって分離させる位置まで移動する。したがって、脆弱線７２を通る引裂がパッケージ１０の縁部５０及び５２のうちの一方又は同時に両方のいずれかにおいて開始する可能性が同程度にある、パッケージ１０とは異なり、脆弱線１８７２の傾斜した配向は、パッケージ１８００の所定の縁部１８５２においてパッケージの優先的な開放を提供し、それにより、パッケージ１０を開放するために必要とされる力に対して、パッケージ１８００を開放するために必要とされる力を低減することによって、消費者によるパッケージ１８００の開放を容易にする。
【０１７８】
パッケージ１８００が閉鎖位置から図４５の開放位置に向かって移動するときに、消費者によって適用されている開放力が、パウチ１８１２の底縁部１８５２においてではなく、パウチ１８１２の頂縁部１８５０において、脆弱線１８７２における引裂を優先的に開始するように、脆弱線１８７２が図４３に示される配向とは逆の配向に配向され得ることが理解されるものとする。更に、パッケージ１８００が傾斜した脆弱線１８７２を含む１つのパウチ１８１２のみを備えて示されているが、消費者によるパッケージ１８００の優先的な開放を好適に容易にし、パッケージ１８００を開放するために必要とされる力を低減するために、傾斜した脆弱線１８７２が、あるいは、パウチ１８１２の代わりにパウチ１８１４内に、又はパウチ１８１２及び１８１４の両方の中に形成されてもよいことが理解されるものとする。一方の端部が他方の端部と比較してパッケージのヒンジ又は底部により近い、本実施形態の脆弱線１８７２は、脆弱線を有する本明細書に記載される実施形態のいずれかに組み込まれ得る。
【０１７９】
別の形態に従ったパッケージ１９００は、図４６〜４７に示される。パッケージ１９００は、図１６〜１７のパッケージ４００と同様であり、ある特定の違いが以下で強調される。参照しやすくするために、パッケージ４００の態様と同様であるパッケージ１９００の態様は、同様の参照番号で示されているが、「１９」が前置きされている。
【０１８０】
パッケージ１９００は、パッケージ４００と同様の構造及び特徴を有するが、それとは異なる形状を有する。具体的には、パッケージ４００が概して正方形である一方で、パッケージ１９００は概して矩形であり、パッケージ１９００の長い側面は任意に、パッケージ４００の側面よりも長く、パッケージ１９００の短い側面は、パッケージ４００の側面よりも短い。加えて、パッケージ１９００は、食品９０に対して異なる容量を有するようにサイズ決定され、かつ他の実施形態に関して考察される食品９０の分類とは異なる全体的な形状を有する食品９０の分類を含むように形状決定される。具体的には、図１６〜１７のパッケージ４００がパウチ４１２及び４１４のそれぞれの中で並んで位置付けられる２つのガムスティックを含む一方で、図４６〜４７のパッケージ１９００は、パウチ１９１２及び１９１４のそれぞれの中で３つのガムスティックの積み重ねを含む。
【０１８１】
パッケージ１９００は、図４７に示されるように、閉鎖フラップ１９７０が脆弱線に沿ってパウチ１９１２から取り外され、他方のパウチ１９１４に付着されたままであるという点で、図１６〜１７のパッケージ４００と他の部分は同様であり、かつ図１６〜１７のパッケージ４００と同様に開放される。パッケージ１９００はまた、パウチ１９１２がパッケージ４００の接着範囲４７６と同様の接着範囲１９７６を含むという点で、再閉鎖特徴が提供される。
【０１８２】
パッケージ１９００は、図６〜１０に示される方法と実質的に同様である方法を介して形成され得る。パッケージ１９００は、図４６及び４７に示される寸法及び／又は特徴とは異なる寸法及び／又は特徴を有して形成され得る。例えば、パッケージ１９００は、パウチ１９１２及び１９１４のそれぞれが４枚、５枚、６枚、又はそれ以上のガムスティックを含むか、又はガムスティックの２つ以上の積み重ねを含むように、任意にサイズ決定されてもよい。加えて、パッケージ１９００は、任意に、図１１〜１４のパッケージ２００と同様の２つの閉鎖フラップを有してもよい。
【０１８３】
別の形態に従ったパッケージ２０００は、図４８〜５４に示される。パッケージ２０００は、図１１〜１４のパッケージ２００と同様であり、ある特定の違いが以下で強調される。参照しやすくするために、パッケージ２００の態様と同様であるパッケージ２０００の態様は、同様の参照番号で示されているが、「２０」が前置きされている。パッケージ２０００は、それが可撓性フィルムの単一のシートから形成されるという点で、上記のパッケージのうちのいくつかと同様の一般構造を有する。
【０１８４】
パッケージ２０００は、それが閉鎖した底端部２０５４及び２０６０を有する２つのパウチ２０１２及び２０１４から形成されるという点で、図１１〜１４のパッケージ２０と同様である。パッケージ２０００のパウチ２０１２及び２０１４は、図５１〜５３に示されるように、端部シール２０６２、２０６４、２０６６、及び２０６８を有する。パッケージ２００と同様に、パッケージ２０００は、２つの閉鎖フラップ２０７０及び２０７１を含む。具体的に、第１のパウチ２０１２は、第１の閉鎖フラップ２０７０を含む。第１のパウチ２０１２の第１の閉鎖フラップ２０７０は、第１の脆弱線２０７２に沿って第１のパウチ２０１２の内部パネル２０２４に付着される。同様に、第２のパウチ２０１４は、図４８及び５０に示されるように、第２の脆弱線２０７３に沿って第２のパウチ２０１４の内部パネル２０２８に付着される、第２の閉鎖フラップ２０７１を含む。
【０１８５】
パッケージ２０００が閉鎖位置にあるとき、図４８に示されるように、フラップ２０７０及び２０７１は、互いに対して概して分岐した配向に配向され、閉鎖フラップ２０７０が内部パネル２０２４からパウチ２０１２の外側壁２０２２に向かって延在し、かつ接着剤２０７４を介して外側壁２０２２の内側表面２０３６に付着される一方で、閉鎖フラップ２０７１が、内部パネル２０２８からパウチ２０１４の外側壁２０２６に向かって延在し、かつ接着剤２０７４を介して外側壁２０２６の内側表面２０４０に付着されるようにする。パッケージ２０００が閉鎖位置にあるときに、閉鎖フラップ２０７０、２０７１が外側壁２０２２、２０２６のそれらのそれぞれの内側表面２０３６、２０４０に付着されている場合、第１及び第２のパウチ２０１２、２０１４の開口部２０１８、２０２０へのアクセスは、図４８からわかるように、閉鎖フラップ２０７０、２０７１によって遮断される。
【０１８６】
パッケージ２００と同様に、パッケージ２０００の閉鎖フラップ２０７０及び２０７１は、接着材料２０７４と同一でも、又は異なってもよく、かつ閉鎖フラップ２０７０及び２０７１の互いへの取り外し不可能な付着をもたらすように選択される、接着材料２０９６を介して、互いに付着される。接着材料２０９６が単一の細長いストリップの形態で示されている一方で、接着材料２０９６は、任意の好適な形状（例えば、正方形、円形、三角形など）の２つ以上のストリップ又は範囲の形態であってもよいことが理解されるであろう。
【０１８７】
パッケージ２０００が閉鎖位置にあるときに閉鎖フラップ２０７０及び２０７１が互いに付着されている場合、パウチ２０１２、２０１４の開口部２０１８、２０２０へのアクセスは、閉鎖フラップ２０７０、２０７１によって遮断される。接着材料２０７４及び２０９６がホットメルトグルー又は任意の他の接着剤であってもよいこと、並びに閉鎖フラップ２０７０及び２０７１が、他の好適な手段、例えば、ヒートシーリング、溶接、紫外線硬化、ラミネート加工などを介して、外側壁２０２２及び２０２６のそれらのそれぞれの内側表面２０３６及び２０４０に、かつ互いに付着されてもよいことが理解されるであろう。
【０１８８】
パッケージ２０００を開放するために、パッケージ２０００は、ユーザによって把持され（図５２に示される親指の例示的な位置）、パウチ２０１２、２０１４を図５１の閉鎖位置から、図５２中の矢印によって示される方向に、図５３〜５４の開放位置に向かって移動させるように操作されてもよい。閉鎖位置から開放位置に移動するとき、パウチ２０１２、２０１４は、外側ヒンジ２０１６を中心にして互いから離れて移動して、本のような様式でパッケージ２０００を開放し、それは、消費者にとって視覚的に魅力であり得る。
【０１８９】
図５２中、パッケージ２０００は、閉鎖フラップ２０７０、２０７１をそれらのそれぞれの脆弱線２０７２、２０７３に沿ってそれらのそれぞれのパウチ２０１２、２０１４から分離させるほど十分には開放していない（又は十分な開放力が適用されていない）位置で示される。図５２に示される方向へのユーザによるパッケージ２０００の開放中、パッケージ２０００のパウチ２０１２、２０１４が互いから離れて移動すると、消費者によって適用される開放力又は張力が脆弱線２０７２、２０７３のうちの一方又は両方における１つ以上の引裂を開始する位置に到達する。これは、一緒に接合され、かつ閉鎖フラップ２０７０、２０７１のそれらのそれぞれのパウチ２０１２、２０１４からの分離なしで、完全に開放されたパッケージを有するために必要とされる長さよりも短いフラップ２０７０、２０７１と組み合わせて、パッケージ２０００が閉鎖フラップ２０７０、２０７１の部分の長さによって部分的に開放、制御されると、閉鎖フラップ２０７０、２０７１において増加した張力を有することによって達成され得る。
【０１９０】
図５９〜６１は、別の実施形態に従ったパッケージ２２００を示す。パッケージ２２００は、２つの点：パッケージ２２００の脆弱線２２７２、２２７３がパッケージ２０００の脆弱線２０７２、２０７２とは異なって形状決定される点、及びパッケージ２２００の閉鎖フラップ２２７０、２２７１がパッケージ２０００の閉鎖フラップ２０７０、２０７１とは異なって形状決定される点で、図４８〜５４のパッケージ２０００とは異なる。具体的に、パッケージ２０００の脆弱線２０７２、２０７３が図４９〜５０並びに５３〜５４に示されるように弓状である一方で、パッケージ２２００の脆弱線２２７２、２２７３は、図５９〜６１に示されるように、部分的に直線かつ部分的に曲線であり、概してＶ字形を形成する。同様に、パッケージ２０００の閉鎖フラップ２０７０、２０７１が図４９〜５０並びに５３〜５４に示されるように、脆弱線２０７２、２０７３の形状と一致するように弓状輪郭を有する一方で、パッケージ２２００の閉鎖フラップ２２７０、２２７１は、図５９〜６１に示されるように、部分的に直線かつ部分的に曲線の輪郭を含み、概してＶ字形を形成する。
【０１９１】
脆弱線２２７２、２２７３が、完全に直線であり、いかなる曲線部分も含まなくてもよいことが理解されるものとする。同様に、閉鎖フラップ２２７０、２２７１の輪郭は、それに応じて完全に直線であり、いかなる曲線部分も含まなくてもよい。本明細書に記載されるパッケージのうちのいくつか（例えば、１０、２００、４００、及び５００）が矩形である閉鎖フラップを有し、閉鎖パッケージのうちの一方（１８００）が台形の閉鎖フラップを有する一方で、閉鎖フラップ及び閉鎖フラップと関連する脆弱線が、任意の所望の幾何学的形状又は不規則形状を有し得ることが理解されるものとする。一例として、図５０は、概して長円形又は楕円形の閉鎖フラップ２０７０及びその関連した曲線の脆弱線２０７２を示す。別の実施例では、図６０は、概して郵便封筒のフラップのような形状の不規則な形状の閉鎖フラップ２２７０と、その関連した不規則な形状の脆弱線２２７２とを示す。
【０１９２】
図５９〜６１のパッケージ２２００がパッケージ２０００とは異なって形状決定された閉鎖フラップと脆弱線とを含む一方で、図５９〜６１に示されているパッケージ２２００の開口部配列は、以下に記載されるように、パッケージ２０００に同様に適用できる。具体的に、パッケージ２２００が、パッケージ２０００が図５２中で位置付けられるのと同じ方法で位置付けられた場合、パッケージ２２００は、同様に、閉鎖フラップ２２７０、２２７１をそれらのそれぞれの脆弱線２２７２、２２７３に沿ってそれらのそれぞれのパウチ２２１２、２２１４から分離させるほど十分には開放していない（又は十分な張力に供されていない）。図５２及び５９に示される方向へのユーザによるパッケージ２２００の開放中、パッケージ２２００のパウチ２２１２、２２１４が互いから離れて移動すると、消費者によって適用される開放力が脆弱線２２７２、２２７３のうちの一方又は両方における１つ以上の引裂を開始する位置に到達する。上記の通り、これは、消費者によって適用されている開放力に応じて、脆弱線２２７２、２２７３における張力の所定の増加の結果であり得る。
【０１９３】
開放位置に向かう方向（図５９中の矢印によって示される）への消費者によって適用されている力は、脆弱線２２７２、２２７３における引裂のうちの１つ以上をパッケージ２２００にわたって伝搬させ、閉鎖フラップ２２７０、２２７１がそれらのそれぞれの内部パネル２２２４、２２２８から完全に取り外されて、パウチ２２１２、２２１４を完全に開放して、消費者にパウチ２２１２、２２１４内の食品９０（又は非食品）への完全なアクセスを提供する。
【０１９４】
図６０の例示的なパッケージ２２００は、閉鎖フラップ２２７０が脆弱線２２７２に沿って第１のパウチ２２１２の内部パネル２２２４から完全に分離している一方で、閉鎖フラップ２２７１が脆弱線２２７３に沿って第２のパウチ２２１４内部パネル２２２８にまだ完全に付着されている状態で示される。一形態では、ユーザがパウチ２２１２、２２１４を図５９中の矢印によって示される方向に、図６１の部分的開放位置に向かって移動させることによって、パッケージ２２００を操作すると、閉鎖フラップ２２７０は、内部パネル２２２４から脆弱線２２７２全体に沿って同時に完全に分離し得る。別の形態では、ユーザがパッケージ２２００のパウチ２２１２、２２１４を開放位置に向かって移動させると、１つ以上の小さい引裂が脆弱線２２７２の１つ以上の部分に形成され、閉鎖フラップ２２７０が内部パネル２２２４から完全に分離するまで、脆弱線２２７２全体に沿って順次伝搬し得る。
【０１９５】
パッケージ２２００が図５９に示される位置にあるとき、第１のパウチ２２１２の端部シール２２６４、ヒンジ領域２２１６、及び第２のパウチ２２１４の端部シール２２６８は組み合わせて、概してＶ字形を形成する。パッケージ２０００の開放中、消費者によって適用される開放力は、図５９に示されるように、第１のパウチ２２１２の一部分を、第２のヒンジ２２１５を中心にして折り畳むか、又は屈曲させ、第２のパウチ２２１４の一部分を、第３のヒンジ２２１７を中心にして折り畳むか、又は屈曲させ得る。閉鎖フラップ２２７０が、第１のパウチ２２１２内の食品９０が消費者に完全にアクセス可能になるように、第１のパウチ２２１２の内部パネル２２２４から脆弱線２２７２全体に沿って完全に分離されると、図６０に示されるように、第１のパウチ２２１２の端部シール２２６４、ヒンジ領域２２１６、及び第２のパウチ２２１４の端部シール２２６８は組み合わせて、概してジグザグ（Ｚ字）形を形成する。
【０１９６】
より具体的には、図６０に示されるように、ジグザグ形状の一部は、外側又は第１のヒンジ２２１６によって提供され、このジグザグ形状の別の部分は、少なくとも第１のパウチ２２１２の端部シール２２６２、２２６４にわたって延在する第２のヒンジ２２１５を形成するように折り畳まれる第１のパウチ２２１２の部分によって提供され、ジグザグ形状の別の部分は、少なくとも第２のパウチ２２１４の端部シール２２６６、２２６８にわたって延在する第３のヒンジ２２１７を形成するように折り畳まれる第２のパウチ２２１４の部分によって提供される。パッケージ２２００の開放中のパウチ２２１２、２２１４の構成は、パッケージ２０００のヒンジ２０１５、２０１６、２０１７を参照して、第１のパウチ２２１２が第２のヒンジ２２１５を含み、第２のパウチ２２１４が第３のヒンジ２２１７を含み、パッケージ２２００が、パッケージ２２００が図６１に示されるようにより完全に開放した位置にあるとき、及びパッケージ２２００が図５９に示されるように完全開放位置にあるとき、パウチ２２１２、２２１４の間に第１のヒンジ２２１６を含むようなものである。
【０１９７】
図６０からわかるように、パッケージ２２００は、第１のパウチ２２１２の内部パネル２２２４が、第２のパウチ２２１２の内部パネル２２２８と同一面内にはないが、第２のパウチ２２１２の内部パネル２２２８の上に少なくとも部分的に位置付けられるように位置付けられる。より具体的には、第１のパウチ２２１２の端部シール２２６４の一部分によって形成される第２のヒンジ２２１５は、第２のパウチ２２１２の端部シール２２６８の一部分を覆い、図６０中の陰影線によって示されるように、第２のヒンジ２２１５と端部シール２２６８のその部分との間に間隙を作る。パッケージ２２００が図６０の部分的開放位置にあると、第１のパウチ２２１２の外側パネル２２２２は、第２のヒンジ２２１５が外側ヒンジ２２１６よりも第２のパウチ２２１４の底端部２２６０により近くなるように位置付けられる。
【０１９８】
第１のパウチ２２１２が開放され、第１のパウチ２２１２内の食品９０がアクセス可能である一方で、第２のパウチ２２１４に対する第１のパウチ２２１２の位置決め、すなわち、第２のパウチ２２１４に対する第１のパウチ２２１２の部分的上昇は、特に、閉鎖フラップがパウチ２２１２、２２１４に対して概して垂直であるか、又は別様に角度が付けられているときなど、パウチ２２１２、２２１４の両方が開放されているとき、第１のパウチ２２１２内の食品９０の保持を促進し、かつ第１のパウチ２２１２から不注意に滑り出ることから食品９０を制限し得る。パッケージ２０００及び２２００は、以下に記載されるように、パウチから不注意に滑り出ることから食品９０を制限する、追加の構造特徴を含んでもよい。
【０１９９】
具体的に、上記の通り、パッケージ２０００の閉鎖フラップ２０７０、２０７１並びにパッケージ２２００の閉鎖フラップ２２７０、２２７１は、閉鎖フラップの互いへの取り外し不可能な付着をもたらすように選択される接着材料を介して、互いに付着される。パッケージ２０００の閉鎖フラップ２０７０、２０７１の互いへの付着、並びにパッケージ２２００の閉鎖フラップ２２７０、２２７１の互いへの付着は、閉鎖位置から部分的開放位置（例えば、図６０）又は完全開放位置（例えば、図５４）へのパッケージ２０００及び２２００の移動中に維持される。閉鎖フラップ２２７０、２２７１の付着された部分は、パッケージ２０００のヒンジ２０１６から離間した閉鎖フラップ２０７０、２０７１の付着された部分と同様に配向され、例えば、図５４からわかるように、閉鎖フラップ２０７０、２０７１の付着されていない部分とパッケージ２０００のヒンジ２０１６との間に開放範囲を形成する。以下で考察されるように、この開放範囲は、次の段落で考察されるような概してダイヤモンド形状であってもよく、例えば、図５１に示され、かつ以下で考察されるように、ストラップの通路を提供してもよい。
【０２００】
図５４を更に参照すると、第１の閉鎖フラップ２０７０の足部分２０９２が、第１のパウチ２０１２の外側壁２０２２の内側表面２０３６に取り外し不可能に付着される一方で、第２の閉鎖フラップ２０７１の足部分２０９４は、第２のパウチ２０１４の外側壁２０２６の内側表面２０４０に取り外し不可能に付着される。それらのそれぞれの足部分２０９２、２０９４から離れて延在する第１及び第２の閉鎖フラップ２０７０、２０７１の部分は、互いに付着されず、それらが、第１及び第２の閉鎖フラップ２０７０、２０７１の上記の付着されていない部分、第１のヒンジ２０１６と第２のヒンジ２０１５との間の第１のパウチ２０１２の外側壁２０２２の一部分、並びに第１のヒンジ２０１６と第３のヒンジ２０１７との間の第２のパウチ２０１４の外側壁２０２６の一部分によって画定される、概してダイヤモンド形状の開口部の頂点２０６９において交差するまで、互いに向かって集合する。頂点２０６９の上の第１及び第２の閉鎖フラップ２０７０、２０７１の部分は、図５４に示されるように、かつ上記のように、互いに取り外し不可能に付着される。頂点２０６９が、第１及び第２の閉鎖フラップ２０７０、２０７１（並びに第１及び第２のパウチ２０１２、２０１４）の部分が、閉鎖位置から開放位置に向かうパッケージ２０００の移動中に移動する、第４のヒンジを提供することが理解されるものとする。第１及び第２の閉鎖フラップ２０７０、２０７１の付着された部分はまた、パッケージ２０００の開放中、ヒンジ２０６９に対して枢動してもよい。特に、パッケージ２２００のパウチ２２１２、２２１４の部分は、閉鎖位置から開放位置に向かって移動するとき、図６１にあるように、第１のヒンジ２２１６と、第２のヒンジ２２１５と、第３のヒンジ２２１７と、第４のヒンジ２２６９との間で、パウチ２２１２、２２１４の部分によって画定される、同様の概してダイヤモンド形状の開口部を形成してもよい。
【０２０１】
閉鎖フラップ２０７０、２０７１は、互いに付着されているため、パウチ２２１２、２２１４の隣接した部分よりも硬い支持表面を提供する。したがって、パッケージ２２００が、閉鎖フラップ２２７０の一部分（付着された閉鎖フラップ２２７１によって支持される）が図６１に示されるように、第１のパウチ２２１２のアクセス開口部２０１８の一部分を妨げるように位置付けられると、ガムスティック９０（又は他の食品若しくは非食品）は、有利に、第１のパウチ２２１２から不注意に取り除かれることから制限される。例えば、ヒンジ２２１６を中心にした、互いから最大で１８０度離れた、パウチ２２１２、２２１４がそれらのそれぞれの閉鎖フラップ２２７０、２２７１によって閉鎖される閉鎖位置（例えば、図５１に示される位置）から、閉鎖フラップ２２７０、２２７１のうちの１つ以上が脆弱線２２７２、２２７３に沿って取り外されて、パウチ２２１２、２２１４のうちの一方又は両方の中の食品９０へのアクセスを提供する開放位置に向かった、パッケージ２２００の第１及び第２のパウチ２２１２、２２１４の移動中、閉鎖フラップ２２７０、２２７１は、ヒンジ２２１６に対して移動し、かつパウチ２２１２、２２１４から取り除かれることから製品９０を制限する障壁を形成し得る。
【０２０２】
図５９及び６０は、閉鎖フラップ２２７０が脆弱線２２７２に沿って内部パネル２２２４から完全に分離する一方で、閉鎖フラップ２２７１が脆弱線２２７３に沿って内部パネル２２２８に完全に付着されたままであることを示す。パッケージ２２００の配向及びユーザによって適用されている開放力又は張力に応じて、パッケージ２２００は、閉鎖フラップ２２７０が脆弱線２２７２に沿って内部パネル２２２４に完全に付着されたままである一方で、閉鎖フラップ２２７１が脆弱線２２７３に沿って内部パネル２２２８から完全に取り外されるように、ユーザによって開放位置に向かって位置付けられ、かつ操作されてもよい。したがって、パッケージ２０００に関連した図５２に示される完全に閉鎖位置から、図５９に示される部分的開放位置にパッケージ２２００を移動させることは、第２のパウチ２２１４の脆弱線２２７３に沿って、第２のパウチ２２１４の内側パネル２２２８に付着される第２のパウチ２２１４の内側閉鎖フラップ２０７１を分離することなく、第１のパウチ２２１２の脆弱線２２７２に沿って、第１のパウチ２２１２の内側パネル２２２４から第１のパウチ２２１２の内側閉鎖フラップ２２７０を分離することを含む。これが、第１のパウチ２２１２を開放させて、第１のパウチ２２１２内の製品９０へのアクセスを提供する一方で、第２のパウチ２２１４は、封着されたままであり、第２のパウチ２２１４内の製品９０へのアクセスを制限する。
【０２０３】
あるいは、パッケージ２２００は、閉鎖フラップ２２７０、２２７１のうちの１つのみがその個々の内部パネル２２２４、２２２８から最初に完全に取り外される代わりに、ユーザによって適用される開放力が、閉鎖フラップ２２７０、２２７１の両方がそれらのそれぞれの脆弱線２２７２、２２７３に沿って、それらのそれぞれの内部パネル２２２４、２２２８から実質的に同時に分離するような、脆弱線２２７２、２２７３における張力を引き起こし得るように、開放位置に向かってユーザによって位置付けられ、かつ移動させられてもよい。「実質的に同時に」は、閉鎖位置（図５１）から完全開放位置（図５４）への第１及び第２のパウチ２２１２、２２１４の移動中、閉鎖フラップの両方が、それらのそれぞれの脆弱線２２７２、２２７３に沿ってそれらのそれぞれの内部パネル２２２４、２２２８から分離し、かつそれらのそれぞれのパウチ２２１２、２２１４を開放して、消費者にパウチ２２１２、２２１４内の製品９０へのアクセスを提供することを意味すると理解される。
【０２０４】
閉鎖フラップ２２７０、２２７１が、パッケージ２２００の位置決め及びユーザの各手によって適用される相対的な開放力に基づき、順次に、又は概して同時にそれらのそれぞれの内部パネル２１２４、２１２８から分離し得る一方で、パッケージ２２００は、脆弱線２２７２又は２２７３のうちの一方が、脆弱線２２７２、２２７３のうちの他方の前に引き裂かれて、パウチ２２１２、２２１４のうちの所定の一方へのアクセスを最初に提供するように構成され得る。例えば、脆弱線２２７３のうちの一方によって形成されるＶ字形はそれぞれ、パウチ２０１２、２２１４の底端部２０５４、２０６０のうちの一方により近く下向きに延在して、最初の開放のために選択されたパウチの底端部により近く位置付けられる、選択されたＶ字形の優先的な主要な開放を容易にしてもよい。あるいは、脆弱線２２７２、２２７３のうちの一方は、それが脆弱線２２７２、２２７３のうちの他方の前に最初に優先的に開放するようにより脆弱であってもよい。別の代替方法では、脆弱線２２７２、２２７３のうちの一方は、開放位置に向かうパッケージ２２００の操作後、ノッチを含む脆弱線が最初に優先的に穿孔するように、引裂ノッチを含んでもよい。
【０２０５】
消費者が、１つ以上の引裂が脆弱線２２７２又は２２７３のうちの一方を伝搬して、パウチ２２１２又は２２１４のうちの一方へのアクセスを提供するようにパッケージ２２００を操作した後、次いで、パッケージ２２００の更なる操作が、パウチ２２１２又は２２１４のうちの一方へのアクセスを提供するために、脆弱線２２７２又は２２７３のうちの他方を通って引き裂かれてもよい。有利に、例えば、図６０に示されるように、これは、パウチのうちの一方がアクセスされることを可能にすることができる一方で、他方のパウチは、例えば、パウチのうちの一方の内容物が取り出されるまで、閉鎖又は封着されたままである。
【０２０６】
パッケージが図６０に示される部分的開放位置にあると、第２のパウチ２２１４を開放し、その内部にアクセスしたいと思う消費者は、第１のパウチ２２１２を把持し、第１のパウチ２２１２を図６１中の矢印によって示される方向に、図５３〜５４に示される完全開放位置に向かって移動してもよい。具体的に、図６１中の矢印によって示される移動は、外側ヒンジ２２１６から離れた方向に第１のパウチ２２１２の底端部２２５４を移動させることと、第２のパウチ２２１４の底端部２２６０から離れた方向に第２のヒンジ２２１５を移動させることと、を含む。第２のパウチ２２１４から離れた図６１に示される方向への第１のパウチ２２１２の移動は、図６１に示されるように、第２のパウチ２２１４の底端部２２６０から離れた方向に、第２のヒンジ２２１５が外側ヒンジ２２１６よりも第２のパウチ２２１４の底端部２２６０から更に離れた位置まで、第２のヒンジ２２１５を移動させることを含む。換言すれば、図６１の第２のヒンジ２２１５から第２のパウチ２２１４の底端部２２６０までの距離は、外側ヒンジ２２１６から第２のパウチ２２１４の底端部２２６０までの距離よりも大きい。５２．同様に、第１のパウチ２２１２を移動させることは、パッケージ２２００の長さを増加させるために、第２のパウチ２２１４の底端部２２６０から離れた方向に、第１のパウチの底端部２２５４を移動させることを含む。「パッケージの長さ」が、外側ヒンジ２２１６及び底端部２０５４、２２６０に垂直な線に沿った、第１のパウチ２２１２の底端部２２５４と第２のパウチ２２１４の底端部２２６０との間の距離を意味すると理解されることが理解される。
【０２０７】
図６１に示されるような第２のパウチ２２１４から離れた第１のパウチ２２１２の移動は、脆弱線２２７３における１つ以上の引裂を介した、内部パネル２２２８から離れた閉鎖フラップ２２７１の取り外しを促進して、第２のパウチ２２１４を開放し、それにより、図６１に示されるように、アクセスのために第２のパウチ２２１４内に保管される食品９０を消費者に露出する。第２のパウチ２２１４を開放するための、脆弱線２２７３における１つ以上の引裂を介した、内部パネル２２２８から離れた閉鎖フラップ２２７１の取り外しが、例えば、開放中の使用される開放力及びパッケージ２２００の配向に応じて、図６１に示されるパッケージ２２００の配置の前又は後に生じてもよいことが理解されるであろう。第１のパウチ２２１２は、パッケージ２２００が図５３〜５４に示され、かつパッケージ２０００を参照して記載されるように、その完全開放位置に到達するまで、図６１の矢印の方向に消費者によって移動させられてもよい。
【０２０８】
図５３〜５４に示されるような、パッケージ２０００の閉鎖フラップ２０７０、２０７１のそれらの完全開放位置における位置は、消費者がパウチ２０１２、２０１４の開口部２０１８、２０２０を通じて食品９０の部分を取り出すことを容易にする。具体的に、脆弱線２０７２が直線であるパッケージ２００とは異なり、脆弱線２０７２及び２０７３は、更にパッケージ２０００のそれらのそれぞれの底端部２０５４及び２０６０に向かって曲線であり、パッケージ２０００は、図５３に示されるように開放し、パッケージ２００（図１３を参照されたい）によって露出されるよりも多くの食品９０を消費者に露出させて、パウチ２０１２及び２０１４のそれぞれからの食品９０の潜在的により容易な取り出しを促進する。
【０２０９】
閉鎖フラップ２０７０及び２０７１が図５３〜５４に示されるように、それらの完全開放位置にあると、消費者は、開口部２０１８及び２０２０を通じてパウチ２０１２及び２０１４から食品９０の部分を取り出すことができる。パッケージ２００の閉鎖フラップ２７０及び２７１と同様に、パッケージ２０００の閉鎖フラップ２０７０及び２０７１は、閉鎖フラップ２０７０、２０７１のうちの一方又は両方の非存在又は部分的取り外しが、パッケージ２０００がすでに開放又は不正開放されていることを消費者に視覚的に指示するように、パッケージ２０００のための新鮮さシール及び／又は不正開封防止特徴を提供する。
【０２１０】
閉鎖フラップ２０７０、２０７１が図５４に示されるようにそれらの完全開放位置にあると、閉鎖フラップ２０７０、２０７１の付着されていない部分は、それらが、それらのそれぞれのパウチ２０１２、２０１４から不注意に滑り出ることから食品９０を制限する構造特徴を提供するように、有利に位置付けられる。
【０２１１】
パッケージ２０００及び２２００は、図６〜１０に示される方法と実質的に同様である方法を介して形成され得、違いのうちのいくつかは、第２の閉鎖フラップ２０７１及び第２の脆弱線２０７３の形成、脆弱線２０７２及び２０７３の位置及び形状、接着剤２０７４及び２０９６が適用される位置、並びに閉鎖フラップ２０７０及び２０７１のどの部分もパウチ２０１２、２０１４のそれらのそれぞれの内部パネル２０２４、２０２８の上で折り畳まれないという事実である。
【０２１２】
パッケージ２０００、２２００はそれぞれ、図５１に示される任意のストラップ２０９９を含んでもよい。ストラップ２０９９は、例えば、図５３〜５４に示される閉鎖フラップ２０７０、２０７１とヒンジ領域２０１６との間に形成される開口部を通過し、かつ巻き付いてもよい。あるいは、ストラップ２０９９の端部は、ストラップ２０９９がパッケージ２０００の内部を通過しなくてもよいように、パッケージ２０００の端部シール２０６２、２０６４のそれぞれに付着されてもよい。ストラップ２０９９は、パッケージ２０００、２２００を手で保持するために使用されてもよく、又は例えば、店内でのディスプレーのフック上にパッケージ２０００、２２００をかけるために使用されてもよい。一形態では、ストラップ２０９９は、パッケージ２０００、２２００を半分に引き裂くために、第１及び第２のパウチ２０１２、２０１４又は２２１２、２２１４を互いから分離するために使用されてもよい。パッケージ２０００の第１及び第２のパウチ２０１２及び２０１４、並びにパッケージ２２００の第１及び第２のパウチ２２１２及び２２１４、並びに本明細書に記載される２つのパウチ及び３つのパウチの実施形態のうちのいずれかの第１及び第２のパウチが、例えば、ユーザがパウチのうちの一方の中の食品９０の全てを消費し、空のパウチを捨てたいと思った後に、パウチを互いから引き裂くために、脆弱線に沿って互いから分離されてもよいことが理解されるであろう。
【０２１３】
例えば、パッケージ２０００を半分に引き裂きたいと思う消費者は、ストラップ２０９９を第１及び第２のパウチ２０１２、２０１４の底端部２０５４、２０６０から離れた方向に引き、消費者によって適用されている開放力が、ストラップ２０９９にパッケージ２０００を形成する可撓性材料における引裂を引き起こさせるようにする。ヒンジ領域２０１６が、ストラップ２０９９が最初に位置付けられてもよいクリースと、ストラップ２０９９がパッケージ２０００を形成する可撓性材料を通って引き裂かれるための任意の脆弱線とを提供するため、引裂は、ヒンジ領域２０１６を通ってもよい。一形態では、第１及び第２のパウチ２０１２、２０１４が上記の通り、消費者によって適用されている力に応じて互いから離れて、ストラップ２０９９へと引き裂かれ得る、優先的な引裂点（複数可）を促進するために、引裂ノッチは、ヒンジ領域２０１６において、又はその近くに作製されてもよい。一形態では、パウチ２０１２、２０１４の間の引裂を促進するパッケージ２０００を形成するフィルムの部分は、単軸フィルムであってもよい。
【０２１４】
別の形態に従ったパッケージ２１００は、図５５〜５８に示される。パッケージ２１００は、図４８〜５４のパッケージ２０００と同様であり、ある特定の違いが以下で強調される。参照しやすくするために、パッケージ２０００の態様と同様であるパッケージ２１００の態様は、同様の参照番号で示されているが、「２１」が前置きされている。上記のパッケージのほとんどとは異なり、パッケージ２１００は、可撓性フィルムの単一のシートから形成されない。
【０２１５】
パッケージ２１００は、それが閉鎖した底端部２１５４及び２１６０を有する２つのパウチ２１１２及び２１１４から形成されるという点で、図４８〜５４のパッケージ２０００と同様である。パッケージ２１００のパウチ２１１２及び２１１４は、図５７〜５８に示されるように、端部シール２１６２、２１６４、２１６６、及び２１６８を有する。パッケージ２０００と同様に、パッケージ２１００は、２つの閉鎖フラップ２１７０及び２１７１を含む。図５５に示されるように、第１の閉鎖フラップ２１７０は、第１の脆弱線２１７２に沿って第１のパウチ２１１２の内部パネル２１２４に付着され、第２の閉鎖フラップ２１７１は、第２の脆弱線２１７３に沿って第２のパウチ２１１４の内部パネル２１２８に付着される。
【０２１６】
パッケージ２０００とは異なり、２つのパウチ２１１２及び２１１４は両方、フィルムの単一のシートから形成されないが、それぞれ、フィルム、ホイル、紙、又は他の材料の別個のシートから形成される。更に、パッケージ２０００とは異なり、パッケージ２１００は、図５５に示されるように、パウチ２１１２及び２１１４が接着剤又は任意の他の好適な方法を介して別個に付着される、外部カバー２１０２を含む。カバー２１０２は、板紙、ボール紙、プラスチック、又はこれらの組み合わせなどの硬質材料から形成されてもよい。図５５に示される形態では、カバー２１０２は、パウチ２１１２、２１１４の間に位置する中央部分２１０４を含む。カバー２０１２の中央部分２１０４は、例えば、図５８に示されるように、フラップ２１７０及び２１７１の部分が取り外し不可能に付着される、接着材料２１９８を含む。カバー２１０２及びパウチ２１１２、２１１４は、任意の好適な接着剤、コールドシールなどを介して付着されてもよい。
【０２１７】
パッケージ２０００と同様に、パッケージ２１００のフラップ２１７０及び２１７１の部分は、閉鎖フラップ２１７０及び２１７１の取り外し不可能な付着をもたらすように選択される接着剤２０７４を介して、互いに取り外し不可能に付着される。パッケージ２０００が図５６に示される閉鎖位置にある場合、閉鎖フラップ２０７０及び２０７１が１つの接着ストリップ２０９６を介して互いに付着される、パッケージ２０００とは異なり、閉鎖フラップ２１７０及び２１７１は、複数の離間した接着剤ドット２１７４を介して、互いに付着される。図５５の接着ストリップ２１９８及び接着剤ドット２１７４の数及び位置が、例示目的のみで示されていること、並びに単一の接着ストリップ２１９８が、２つ以上の接着ストリップ若しくは２つ以上の接着剤ドット、又は他の形状の１つ以上の接着範囲に置き換えられてもよい一方で、接着剤ドット２１７４が、ストリップ又はドット以外の形状の単一の接着ストリップ、２つ以上の接着ストリップ、又は１つ以上の接着範囲に置き換えられてもよいことが理解されるであろう。更に、接着剤２１７４及び２１９８は、ホットメルトグルー、任意の他の接着剤、又は別の好適な手段、例えば、ヒートシーリング、溶接、紫外線硬化、ラミネート加工などの形態であってもよい。
【０２１８】
パッケージ２０００が図５６の閉鎖位置から、図５７中の方向矢印によって示される方向に、図５８の開放位置に向かって移動するとき、パウチ２１１２、２１１４は、本のような様式でパッケージ２１００を開放するように、互いから離れてヒンジ２１１６を中心にして移動し、それは、消費者にとって視覚的に魅力であり得る。パッケージ２１００の開放中、パウチ２１１２、２１１４は、図５７に示されるように、消費者によって適用されている開放力が脆弱線２１７２及び２１７３のうちの一方又は両方において引裂を開始する位置まで、互いから離れて移動する。
【０２１９】
図５７中、パッケージ２１００は、閉鎖フラップ２１７０が脆弱線２０７２に沿って第１のパウチ２１１２の内部パネル２１２４から部分的に分離し、閉鎖フラップ２０７１が脆弱線２０７３に沿って第２のパウチ２０１４内部パネル２０２８から部分的に分離している状態で示されている。閉鎖フラップ２１７０及び２１７１の両方が、パッケージ２１００のその開放位置への移動と概して同時に、それらのそれぞれの内部パネル２１２４及び２１２８から分離し得る一方で、パッケージ２１００は、脆弱線２１７２又は２１７３のうちの一方が、パウチ２１１２又は２１１４のうちの一方にアクセスするように最初に引き裂かれるように構成され得る。例えば、脆弱線２１７２、２１７３のうちの一方は、それが最初に優先的に開放するように、より脆弱であってもよい。あるいは、脆弱線２１７２、２１７３のうちの一方は、開放位置に向かうパッケージ２１００の操作後、ノッチを含む脆弱線が最初に優先的に穿孔するように、引裂ノッチを含んでもよい。引裂が脆弱線２０７２、２０７３のうちの一方に伝搬した後、次いで、パッケージ２１００の更なる操作が、パウチのうちの他方に後にアクセスするために、脆弱線２１７２又は２１７３のうちの他方を通って引き裂かれてもよい。有利に、パッケージ２２００に関連した上記のように、これは、パウチのうちの一方がアクセスされることを可能にすることができる一方で、他方のパウチは、例えば、パウチのうちの一方の内容物が取り出されるまで、閉鎖又は封着されたままである。
【０２２０】
パッケージ２０００及び２２００の閉鎖フラップ２０７０、２０７１及び２２７０、２２７１と同様に、パッケージ２１００の閉鎖フラップ２１７０、２１７１は、閉鎖フラップ２１７０、２１７１のうちの一方又は両方の非存在又は部分的取り外しが、パッケージ２１００がすでに開放又は不正開放されていることを消費者に視覚的に指示するように、パッケージ２１００のための新鮮さシール及び／又は不正開封防止特徴を提供する。
【０２２１】
カバー２１０２などのカバーを有さない、図５４のパッケージ２０００とは異なり、パッケージ２１００が図５８に示される開放位置にあるとき、図５８に示されるように、ヒンジ線２１１６に近接した第１の閉鎖フラップ２１７０の一部分２１９２は、パウチ２１１２の外側壁２１２２の内側表面２１３６にではなく、カバー２０１２の中央範囲２１０４に付着されたままであり、ヒンジ線２１１６に近接した第２の閉鎖フラップ２１７１の一部分２１９４は、パウチ２１１４の外側壁２１２６の内側表面２１４０にではなく、カバー２０１２の中央範囲２１０４に付着されたままである。
【０２２２】
パッケージ２１００が開放位置にある場合、図５８に示されるように、閉鎖フラップ２１７０及び２１７１が、それらのそれぞれの内部パネル２１２４及び２１２８からのそれらの分離によって開放すると、閉鎖フラップ２１７０及び２１７１の部分は、接着剤ドット２１７４を介して互いに付着されたままである。脆弱線２０７２及び２０７３と同様に、脆弱線２１７２及び２１７３は、それらのそれぞれの側縁部２１５４及び２１６０に向かって曲線であり、パッケージ２１００が図５８に示されるように開放していると、より多くの食品９０が消費者に露出されて、パウチ２１１２、２１１４のそれぞれからの食品の容易な取り出しを促進する。互いに付着されず、かつ足部分２０９２、２０９４に実質的に垂直ではない部分を含む、図５４のパッケージ２０００の閉鎖フラップ２０７０、２０７１とは異なり、図５８に示されるそれらの開放位置の閉鎖フラップ２１７０、２１７１は、互いに完全に付着され、かつ足部分２１９２、２１９４に対して実質的に垂直に位置付けられて、消費者が開口部２１１８及び２１２０を通じてパウチ２１１２及び２１１４から食品９０の部分を取り出すことを促進する。
【０２２３】
パッケージ２１００は、図６〜１０に示される方法と実質的に同様である方法を介して形成され得、違いのうちのいくつかは、互いとは別々の第１及び第２のパウチ２１１２及び２１１４の形成、好適な材料の単一のシートからのカバー２１０２の形成、第１及び第２のパウチ２１１２及び２１１４のカバー２１０２への付着、接着剤２１７４及び２１９８の位置及び数、並びに閉鎖フラップ２１７０及び２１７１のどの部分もそれらのそれぞれの内部パネル２１２４及び２１２８の上で折り畳まれないという事実である。
【０２２４】
別の形態に従ったパッケージ２３００は、図６２〜６３に示される。参照しやすくするために、上記のパッケージの態様と同様であるパッケージ２３００の態様は、同様の参照番号で示されており、「２３」が前置きされている。パッケージ２３００は、それが可撓性フィルムの単一のシートから形成されるという点で、上記のパッケージと同様の一般構造を有し、いくつかの違いは、以下で強調される。
【０２２５】
パッケージ２３００は、２つのパウチ２３１２、２３１４を含む。例えば、パッケージ２０００、２１００、及び２２００とは異なり、パッケージ２３００のパウチ２３１２、２３１４は、閉鎖フラップを含まない。代わりに、第１のパウチ２３１２の内部パネル２３２４は、図６２に示されるように、第１の脆弱線２３７２に沿って第２のパウチ２３１４の内部パネル２３２８に付着される。パッケージ２３００が可撓性フィルムの１つのシートから形成されるため、パウチ２３１２及び２３１４の外側壁２３２２及び２３２６はそれぞれ、一緒に引き寄せられて、パッケージ２３００のヒンジ部分２３１６に近接してフィンシール２３２１を形成する。フィンシール２３２１を形成する外側壁２３２２、２３２６のそれぞれは、接着剤２３７４、例えば、ヒートシール、コールドシール、ホットメルト、感圧接着剤などを介して互いに付着されて、パッケージ２３００を封着する。接着剤２３７４は、好ましくは、図６２に示されるように、端部の互いへの取り外し不可能又は永久的な付着（通常の使用で）をもたらすように選択される。パッケージ２３００が図６２の閉鎖位置から図６３の開放位置に向かって移動するとき、パウチ２３１２及び２３１４は、本のような様式でパッケージ２３００を開放するように、互いから離れてヒンジ２３１６を中心にして移動し、それは、消費者にとって視覚的に魅力であり得る。
【０２２６】
パッケージ２３００の開放中、パウチ２３１２、２３１４は、ヒンジ２３１６を中心にして、かつ脆弱線２３７２に対して、互いから離れて、消費者によって適用されている開放力又は張力が脆弱線２３７２において１つ以上の引裂を開始して、内部パネル２３２４及び２３２８の互いからの分離を可能にする位置まで移動する。パッケージ２３００が消費者によって完全開放位置に移動させられると、内部パネル２３２４及び２３２８は、脆弱線２３７２に沿って互いから完全に分離し、パウチ２３１２、２３１４のそれぞれの中の食品９０は、消費者にアクセス可能である。
【０２２７】
上記に記載され、かつ図６２に示される脆弱線２３７２の代替方法として、パッケージ２３００は任意に、図６２に示される位置において、又はその近くで、内部パネル２３２４及び２３２８のそれぞれの上に脆弱線２３７３を含んでもよい。この任意の実施形態では、パッケージ２３００の開放中、パウチ２３１２、２３１４は、ヒンジ２３１６を中心にして互いから離れて、消費者によって適用されている開放力又は張力が脆弱線２３７３のうちの一方又は両方において１つ以上の引裂を開始して、脆弱線２３７３のうちの一方又は両方に沿った内部パネル２３２４及び２３２８のうちの一方又は両方の一部分の分離を可能にして、パウチ２３１２、２３１４のうちの一方又は両方の中の食品９０へのアクセスを可能にする位置まで移動する。内部パネル２３２４のうちの一方のみの一部分がそのそれぞれの脆弱線２３７３に沿って分離して、第１のパウチ２３１２のみの中の食品９０へのアクセスを提供する場合、消費者は、内部パネル２３２８の一部分をそのそれぞれの脆弱線２３７３に沿って分離して、第２のパウチ２３１４内の食品９０へのアクセスを提供するように、パッケージ２３００を操作してもよい。
【０２２８】
パッケージ２３００の脆弱線２３７２、並びにパッケージ２３００の代替の実施形態の脆弱線２３７３のそれぞれが、例えば、図６３（脆弱線２３７２に沿って伝搬される引裂を示す）に示されるように、直線（かつパウチ２３１２、２３１４の底端部２３５４、２３６０に実質的に平行）であってもよい一方で、脆弱線２３７２（及び代替の脆弱線２３７３）が図４３にあるように傾斜（パウチ２３１２、２３１４の底端部２３５４、２３６０に非平行）してもよいか、又は図４９にあるように弓状であってもよいか、又は図６１にあるように不規則形状であってもよいことが理解されるものとする。
【０２２９】
任意に、脆弱線２３７３の上の（例えば、図４８中の接着材料２０９６の位置と同様の位置における）内部パネル２３２４及び２３２８の部分は、接着材料を介して互いに付着されてもよい。接着材料は、接着材料２０９６と同様又は同一であってもよく、閉鎖フラップ２３７０及び２３７１の内部パネル２３２４及び２３２８の互いへの取り外し不可能又は永久的な付着をもたらすように選択される。
【０２３０】
そのような接着材料が存在し、内部パネル２３２４及び２３２８の部分を互いに付着させる形態では、代替のパッケージ２３００の開放中、パウチ２３１２、２３１４は、ヒンジ２３１６を中心にして互いから離れて、消費者によって適用されている開放力又は張力が脆弱線２３７３のうちの一方又は両方において１つ以上の引裂を開始して、脆弱線２３７３のうちの一方又は両方に沿った内部パネル２３２４及び２３２８のうちの一方又は両方の一部分の分離を可能にして、パウチ２３１２、２３１４のうちの一方又は両方の中の食品９０へのアクセスを可能にする位置まで移動する。パッケージ２３００が消費者によって完全開放位置に移動させられると、内部パネル２３２４及び２３２８の部分は、脆弱線２３７３に沿ってそれらのそれぞれのパネル２３２４、２３２８から順次又は同時に完全に分離して、図５９〜６１に示される方法と概して同様の方法で、パウチ２３１２、２３１４内の食品９０へのアクセスを提供してもよい。
【０２３１】
図６３の開放位置から図６２の閉鎖位置にパッケージ２３００を再閉鎖したいと思う消費者は、パウチ２３１２の内部パネル２３２４上の接着範囲２３７６がパウチ２３１４の内部パネル２３２８の外側表面２３４６と接触し、かつ取り外し可能に付着されて、パッケージ２３００の複数の再閉鎖及び開放を可能にするように、パウチ２３１２及び２３１４を、ヒンジ２３１６を中心にして互いに向かって移動させて戻すことができる。
【０２３２】
別の形態に従ったパッケージ２４００は、図６４〜７０に示される。パッケージ２４００は、図４８〜５４のパッケージ２０００と同様であり、ある特定の違いが以下で強調される。参照しやすくするために、パッケージ２０００の態様と同様であるパッケージ２４００の態様は、同様の参照番号で示されているが、「２４」が前置きされている。パッケージ２４００は、それが可撓性フィルムのウェブの単一のシート又は部分から形成され得るという点で、上記のパッケージのうちのいくつかと同様の一般構造を有する。パッケージ２４００の特徴が明確にするために誇張されており、正確な縮尺率で描かれることを意図していないことが理解されるであろう。
【０２３３】
パッケージ２４００は、２つのパウチ２０１２及び２０１４から形成されるパッケージ２０００とは異なり、パッケージ２０００のパウチ２０１２、２０１４と同様の第１及び第２のパウチ２４１２及び２４１４に加えて、パッケージ２４００が、ヒンジ２４４３を中心にして第２のパウチ２４１４に対して移動可能に付着される第３のパウチ２４３５を含むという点で、図４８〜５４のパッケージ２０００とは異なる。図６４〜７０に示される実施形態において、第３のパウチ２４３５は、有利に、同様の幅を有する２つのパウチのパッケージ２０００と比較して、食品９０のための追加の保存容量を有する３つのパウチのパッケージ２４００を提供する。第３のパウチ２４３５は、任意に、以下でより詳細に記載されるように、使用後に第１及び第２のパウチ２４１２及び２４１４から分離され、かつ廃棄され得る。
【０２３４】
３つのパウチのパッケージ２４００は、それが閉鎖した底端部２４５４及び２４６０を有する底端部２４１２及び２４１４を含むという点で、図４８〜５４の２つのパウチのパッケージ２０００と同様である。図６８に示される形態では、３つのパウチのパッケージ２４００は、第１のパウチ２４１２の底端部２４５４が折り畳みによってではなく、気密シールを形成するために接着剤２４７４ａを介して、外側壁２４２２の内側表面２４３６の一部分を内部パネル２４２４の内側表面２４４４の一部分に封着することによって形成されるという点で、２つのパウチのパッケージ２０００とは異なる。３つのパウチのパッケージ２４００はまた、２つのパウチのパッケージ２０００のパウチ２０１４の底端部２０６０とは異なり、３つのパウチのパッケージ２４００の第２のパウチ２４１４の底端部２４６０が折り畳みによってではなく、任意に、気密シールを形成するために接着剤２４７４ｂを介して、外側壁２４２６の内側表面２４４０の一部分を内部パネル２４２８の内部表面２４４８の一部分に封着することによって形成されるという点で、２つのパウチのパッケージ２０００とは異なる。３つのパウチのパッケージ２４００のパウチ２４１２及び２４１４は、図７０に示されるように、端部シール２４６２、２４６４、２４６６、及び２４６８を有する。端部シール２４６２、２４６４、２４６６、及び２４６８のうちの１つ以上が理解されるであろう。
【０２３５】
パッケージ２０００と同様に、パッケージ２４００は、第１の閉鎖フラップ２４７０を有する第１のパウチ２４１２と、第２の閉鎖フラップ２４７１を有する第２のパウチ２４１４とを含む。第１のパウチ２４１２の第１の閉鎖フラップ２４７０は、第１の脆弱線２４７２に沿って第１のパウチ２４１２の内部パネル２４２４から分離可能である。同様に、第２の閉鎖フラップ２４７１は、図６８及び７０に示されるように、第２の脆弱線２４７３に沿って第２のパウチ２４１４の内部パネル２４２８に取り外し可能に付着される。
【０２３６】
パッケージ２４００が図６４及び６８に示される閉鎖位置にあるとき、第１及び第２のパウチ２４１２及び２４１４の第１及び第２の閉鎖フラップ２４７０及び２４７１の部分はそれぞれ、図６８に示されるように、閉鎖フラップ２４７０の一部分が、パウチ２４１２の内部パネル２４２４から第１のパウチ２４１２の外側壁２４２２に向かって延在し、かつ接着剤２４７４ｃを介して、第１のパウチ２４１２の外側壁２４２２の内側表面２４３６に付着されるように、配向される。同様に、閉鎖フラップ２４７１は、図６８に示されるように、第２のパウチ２４１４の内部パネル２４２８から第２のパウチ２４１４の外側壁２４２６に向かって延在し、また接着剤２４７４ｃを介して、第２のパウチ２４１４の外側壁２４２６の内側表面２４４０に付着される。
【０２３７】
図６８に示される形態では、接着材料２４７４ｃは、閉鎖フラップ２４７０及び２４７１をそれらのそれぞれの外側壁２４２２及び２４２６に封着し、かつ第１及び第２のパウチ２４１２及び２４１４の間で、ヒンジ範囲２４１６に沿って、第１のパウチ２４１２の頂端部２４５０から第２のパウチ２４１４の頂端部２４５２まで延在する。したがって、パッケージ２４００が閉鎖位置にあるときに、閉鎖フラップ２４７０及び２４７１が接着剤２４７４ｃを介して、外側壁２４２２、２４２６のそれらのそれぞれの内側表面２４３６、２４４０に付着されるとき、第１及び第２のパウチ２４１２、２４１４内の食品９０へのアクセスは、図６８からわかるように、閉鎖フラップ２４７０、２４７１によって遮断される。
【０２３８】
接着材料２４７４ｃが、第１のパウチ２４１２の頂端部２４５０から第２のパウチ２４１４の頂端部２４５２まで連続して延在する、単一の接着層として、図６８に示されているが、代替のアプローチにおいて、２つの別々の接着剤が、閉鎖フラップ２４７０及び２４７１をそれらのそれぞれの外側壁２４２２及び２４２６に封着するために使用されてもよいことが理解されるであろう。このアプローチにおいて、ヒンジ範囲２４１６は、図６８にあるような接着剤２４７４ｃによって互いに封着されるフィルムの２つの層を含まないが、図４８のヒンジ範囲２０１６によって示されるものと同様の可撓性フィルムの折り畳みを含む。
【０２３９】
２つのパウチのパッケージ２０００の閉鎖フラップ２０７０及び２０７１と同様に、３つのパウチのパッケージ２４００の閉鎖フラップ２４７０及び２４７１は、接着材料２４９６を介して互いに付着される。接着材料２４９６は、接着材料２４７４ａ、２４７４ｂ、２４７４ｃと同一であっても、又は異なってもよく、閉鎖フラップ２４７０及び２４７１を互いに付着させるように選択される。接着材料２４７４ａ、２４７４ｂ、２４７４ｃは、パウチ２４１２及び２４１４の閉鎖した頂端部及び底端部を形成するために、第１及び第２のパウチ２４１２及び２４１４の外側壁及び内部パネルを付着させるように選択される。接着材料２４７４ａ、２４７４ｂ、２４７４ｃ、及び２４９６は、ホットメルトグルー、ヒートシール、溶接、紫外線硬化、ラミネート加工などの形態であってもよい。
【０２４０】
３つのパウチのパッケージ２４００の第３のパウチ２４３５は、第１及び第２のパウチ２４１２及び２４１４と実質的に同様の構造を有する。第３のパウチ２４３５は、外側表面２４４７と内側表面２４４９とを有する外側壁２４４５、外側壁２４４５の反対側にあり、かつ外側表面２４５３と内側表面２４５５とを含む、内部パネル２４５１を含む。第２のパウチ２４１４の底端部２４６０と同様に、第３のパウチ２４３５の底端部２４５７は、図６８に示されるように、気密シールを形成するために、接着剤２４７４ｄを介して、外側壁２４４５の内側表面２４４９の一部分を内部パネル２４５１の内側表面２４５５の一部分に封着することによって形成される。３つのパウチのパッケージ２４００の第３のパウチ２４３５は、例えば、図７０に示されるように、第１及び第２のパウチ２４１２及び２４１４の２４６２、２４６４、２４６６、及び２４６８の端部シールと同様の端部シール２４６７及び２４６９を有する。
【０２４１】
第１のパウチ２４１２の閉鎖した底端部２４５４と同様に、第３のパウチ２４３５の閉鎖した頂端部２４５９は、図６８に示されるように、任意に、気密シールを形成するために、接着剤２４７４ｄを介して、パウチ２４３５の外側壁２４４５の内側表面２４４９の一部分を、パウチ２４３５の内部パネル２４５３の内側表面２４５５の一部分に封着することによって形成される。図６８に示される実施形態では、単一の接着剤２４７４ａは、第２のパウチ２４１４の閉鎖した底端部２４６０及び第３のパウチ２４３５の閉鎖した頂端部２４５９を封着するために使用される。第１のパウチ２４１２の閉鎖した底端部２４６０から第３のパウチ２４３５の閉鎖した頂端部２４５９まで連続して延在する、単一の接着剤２４７４の代わりに、２つの別々の接着剤が、第２のパウチ２４１４の底端部２４６０及び第３のパウチ２４３５の閉鎖した頂端部を封着するために使用されてもよいことが理解されるであろう。このアプローチにおいて、第３のパウチ２４３５が中心にして開放するヒンジ範囲２４４３は、図６８にあるような接着剤２４７４ａによって互いに封着されるフィルムの２つの層を含まないが、図４８のヒンジ範囲２０１６によって示されるものと同様の可撓性フィルムの折り畳みを含む。
【０２４２】
第３のパウチ２４３５は、第３の脆弱線２４３９に沿って第３のパウチ２４３５の内部パネル２４５１から分離可能な第３の閉鎖フラップ２４３７を含む。第３の閉鎖フラップ２４３７の一部分は、図６８に示されるように、第２のパウチ２４１４の外側壁２４２２に付着される。具体的には、第３のパウチ２４３５の内部パネル２４５１の外部表面２４５３の一部分は、接着剤２４９６によって、第１のパウチ２４１２の外側壁２４２２の外部表面２４３４の反対部分に付着される。接着剤２４９６は、第３の脆弱線２４３９に沿って閉鎖フラップ２４３７を分離するために必要とされる強度が、接着剤２４９６を介した閉鎖フラップ２４３７の外側パネル２４２２への付着を破断するために必要とされる強度よりも小さいように、第１のパウチ２４１２の外側パネル２４２２に第３のパウチ２４３５の閉鎖フラップ２４３７を付着させるように選択される。閉鎖フラップ２４３７の一部分はまた、図６８に示されるように、第３のパウチ２４３５の頂端部２４５９において第３のパウチ２４３５を封着するために、接着剤２４７４ａを介して外側壁２４４５の内側表面２４４９に付着される。したがって、３つのパウチのパッケージ２４００が閉鎖位置にあるとき、第３のパウチ２４３５内の食品９０へのアクセスは、図６８からわかるように、閉鎖フラップ２４３７によって遮断される。
【０２４３】
３つのパウチのパッケージ２４００を開放するために、パッケージ２４００は、ユーザによって把持され（図６９に示される親指の例示的な位置）、第３のパウチ２４３５を図６４の閉鎖位置から、図６９中の矢印によって示される方向に、図６９〜７０の開放位置に向かって移動させるように操作されてもよい。図６４の閉鎖位置から図６９の開放位置に移動するとき、第３のパウチ２４３５は、ヒンジ２４４３を中心にして第１のパウチ２４１２から離れて枢動して、本のような様式で３つのパウチのパッケージ２４００を部分的に開放し、かつパウチ２４３５内の食品９０へのアクセスを提供し、それは、消費者にとって視覚的に魅力であり得る。３つのパウチのパッケージ２４００が図６９に示されるように部分的に開放していると、第１及び第２のパウチ２４１２、２４１４は、封着されたままであることができ、有利に、第１及び第２のパウチ２４１２、２４１４内の食品９０の新鮮さを保持する一方で、ユーザは、３つのパウチのパッケージ２４００の第３のパウチ２４３５内の食品９０を消費してもよい。
【０２４４】
図６４の閉鎖位置から図６９に示される方向へのユーザによる３つのパウチのパッケージ２４００の開放中、３つのパウチのパッケージ２４００の第３のパウチ２４３５及び第２のパウチ２０１２が互いから離れて移動すると、消費者によって適用される開放力又は張力が第３のパウチ２４３５の内部パネル２４５１において、脆弱線２４３９における１つ以上の引裂を開始する位置に到達する。これは、第３のパウチ２４３５の内部パネル２４５１からの閉鎖フラップ２４３７の分離なしで、図６９にあるような部分的に開放された３つのパウチのパッケージ２４００を有するために必要とされる長さよりも短い、閉鎖フラップ２４３７の長さによって、３つのパウチのパッケージ２４００が部分的に開放、制御されると、閉鎖フラップ２４３７において増加した張力を有することによって達成され得る。
【０２４５】
図６９中、３つのパウチのパッケージ２４００は、閉鎖フラップ２４３７を脆弱線２４３９に沿って第３のパウチ２４３５の内部パネル２４５１から分離させるために、十分な開放力が適用されている、部分的開放位置において示される。３つのパウチのパッケージ２４００が図６９に示される部分的開放位置にあると、ユーザは、３つのパウチのパッケージ２４００を図７０の完全開放位置まで開放する必要なく、第３のパウチ２４３５内の食品９０にアクセスできる。換言すれば、第３のパウチ２４３５の食品９０が消費され得る一方で、第１及び第２のパウチ２４１２及び２４１４は、封着されたままであり、第１及び第２のパウチ２４１２及び２４１４内の食品９０の新鮮さを保持する。
【０２４６】
３つのパウチのパッケージ２４００が、図６９に示される部分的開放位置まで最初に開放された後に再閉鎖されることを可能にするために、パウチ２４３５の内部パネル２４５１の外側表面２４５３は、図６８及び７０に示されるように、任意の接着範囲２４７６ａを含む。図６９の開放位置から図６４の閉鎖位置に３つのパウチのパッケージ２４００を再閉鎖したいと思う消費者は、接着範囲２４７６ａが第１のパウチ２４１２の外側壁２４２２の外側表面２４３４と接触し、かつ付着するように、第１のパウチ２４１２及び第３のパウチ２４３５を、ヒンジ２４４３を中心にして互いに向かって引き寄せる。パッケージ２４００がそのように再閉鎖されるとき、食品９０は、第３のパウチ２４３５内に含まれ、３つのパウチのパッケージ２４００から落ちることから制限される。３つのパウチのパッケージ２４００は、第３のパウチ２４３５がもはや食品９０を残していない後に、消費者が第１及び第２のパウチ２４１２及び２４１４を開放することなく、第２のパウチ２４１４から第３のパウチ２４３５を取り外し、かつ第３のパウチ２４３５を廃棄することを可能にする、図６８に示されるような、第２のパウチ２４１４の底端部２４６０と第３のパウチ２４３５の頂端部２４５９との間の任意の脆弱線２４６１を含んでもよい。
【０２４７】
３つのパウチのパッケージ２４００を図６９の部分的開放位置から図７０の完全開放位置に開放するために、３つのパウチのパッケージ２４００は、ユーザによって把持され（図７０に示される親指の例示的な位置）、第１のパウチ２４１２を、図６９のその位置から図７０の開放位置に向かって移動させるように操作されてもよい。閉鎖位置から開放位置に向かって移動するとき、第１のパウチ２４１２は、図７０に示されるように、ヒンジ２４１６を中心にして、消費者によって適用される開放力又は張力が脆弱線２４７２、２４７３のうちの一方又は両方において１つ以上の引裂を開始する位置に到達するまで、第２のパウチ２４１４から離れて移動して、第１及び第２の閉鎖フラップ２４７０及び２４７１をそれらのそれぞれのパウチ２４１２及び２４１４から分離し、かつ本のような様式でパッケージ２４００を完全に開放し、３つ全てのパウチ２４１２、２４１４、及び２４３５内の食品へのアクセスを提供し、それは、消費者にとって視覚的に魅力であり得る。
【０２４８】
３つのパウチのパッケージ２４００の第１及び第２のパウチ２４１２及び２４１４が、図７０に示される完全開放位置まで最初に開放された後に再閉鎖されることを可能にするために、第２のパウチ２４１４の内部パネル２４２８の外側表面２４４６は、図６８及び７０に示されるように、任意の接着範囲２４７６ｂを含む。図７０の開放位置から図６９の部分的開放位置に３つのパウチのパッケージ２４００を再閉鎖したいと思う消費者は、接着範囲２４７６ｂがパウチ２４１２の外側壁２４２４の外側表面２４４２と接触し、かつ付着するように、第１及び第２のパウチ２４１２及び２４１４を、ヒンジ２４１６を中心にして互いに向かって引き寄せる。３つのパウチのパッケージ２４００がそのように再閉鎖されるとき、食品９０は、第１及び第２のパウチ２４１２及び２４１４内に含まれ、３つのパウチのパッケージ２４００から落ちることから制限される。１つのアプローチでは、３つのパウチのパッケージ２４００は、第１又は第２のパウチ２４１２、２４１４のうちの一方がもはやその中に食品９０を残していない後に、消費者が空のパウチ２４１２又は２４１４を取り外し、かつ廃棄することを可能にする一方で、まだ食品９０を中に含む他方のパウチ２４１２又は２４１４を保持する、図６８に示されるような、第１のパウチ２４１２の頂端部２４５０と第２のパウチ２４１４の頂端部２４５２との間の任意の脆弱線２４６３を含んでもよい。
【０２４９】
パッケージ２４００は、可撓性材料２５００の単一のシート又はウェブから製造され得る。可撓性材料２５００は、１つ以上のポリマー、ラミネート、金属化ポリマー、紙などから作製されるフィルムであってもよい。方法の例示を明確にするために、単一のパッケージ２４００が製造され得る可撓性フィルム２５００の一部分が、図６５〜６７に示される。図６５に示される可撓性フィルム２５００の例示的な単一のシートは、前縁部２５０８と、後縁部２５０６と、第１の長手方向の側縁部２５０２と、第２の長手方向の側縁部２５０４と、上向き表面２５１０とを有する。前縁部２５０８及び後縁部２５０６が、前縁部２５０８が後縁部になってもよく、後縁部２５０６が前縁部になってもよいように、かつ図６５〜６７に示されるシートがより長いフィルムのウェブの一部であってもよいように製造する方法において、機械方向の配向に応じて逆であってもよいことが理解されるであろう。
【０２５０】
可撓性フィルム２５００が機械方向に移動すると、食品９０は、図６５に示されるように、可撓性フィルム２５００の上向き表面２５１０上に配置される。具体的には、食品９０は、第１、第２、及び第３のパウチ、２４１２、２４１４、及び２４３５の外側壁２４２２、２４２６、及び２４４５をそれぞれ形成する、フィルム２５２２、２５２６、及び２５４５の範囲上に位置付けられる。可撓性フィルム２５００は、フィルム２５００が食品９０を包むために、図６５に示される開放シート構成から図６６に示される折り畳まれた構成に、中央折り目線２５１２を中心にして約半分に折り畳まれるとき、第１の折り目線２５１２が可撓性フィルム２５００内に形成される、中央折畳み領域を有する。
【０２５１】
具体的には、可撓性フィルム２５００の前縁部２５０８は、前縁部２５０８が後縁部２５０６を覆うように、折畳み領域２５１２を中心にして折り畳まれ、かつ後縁部２５０６に向かって引き寄せられる。前縁部２５０８は、２つの縁部２５０６及び２５０８が同一線上にあるように、図６５に示されるように、後縁部２５０６を直接覆ってもよい。代替のアプローチでは、前縁部２５０８は、後縁部２５０６からいずれかの方向にオフセットされてもよい。
【０２５２】
可撓性フィルム２５００が図６６に示されるように一旦折り畳まれると、第１、第２、及び第３のパウチ２４１２、２４１４、及び２４３５の内部パネル２４２４、２４２８、及び２４５１をそれぞれ形成するフィルム２５２４、２５２８、及び２５５１の範囲は、フィルム２５２２、２５２６、及び２５４５の範囲を覆い、食品９０を包む。次いで、フィルム２５００は、図６６に示されるように、中央折り目線２５１２の一側面上に第２の折畳み領域又は折り目線２５１６を、かつ中央折畳み領域２５１２の反対側面上に第３の折畳み領域又は折り目線２５４３を形成するように、更に折り畳まれてもよい。中央折り目線２５１２並びに第２及び第３の折り目線２５１６及び２５４３が、直線として図６５〜６６に示されている一方で、第１、第２、及び第３の折り目線２５１２、２５１６、及び２５４３のうちの１つ以上が、非線形又は単一の代わりに可撓性フィルム１００の一範囲の形態であってもよいことが理解されるであろう。
【０２５３】
可撓性フィルム２５００の部分が図６６及び６７に示されるように折り畳まれるとき、折り目線２５１２、２５１６、及び２５４３が可撓性フィルム２５００において作製されてもよいか、又は可撓性フィルム２５００が機械方向にフィードロールからほどかれる前若しくは後に、可撓性フィルム２５００において予め作製されてもよいことが理解されるであろう。折り目線２５１２、２５１６、及び２５４３が、可撓性フィルム２５００の折り畳み前に可撓性フィルム２５００において作られるアプローチにおいて、そのような折り目線は、例えば、好適なローラ、レーザなどによって作製され得る。例えば、任意に、折り目線２５１２、２５１６、及び２５４３は、可撓性フィルム２５００において作製されなくてもよく、可撓性フィルム２５００は、折り目線２５１２、２５１６、及び２５４３なしで折り畳まれてもよい。可撓性フィルム２５００が図６６に示されるように折り畳まれて、第１の折り目線２５１２を形成すると、第２の折り目線２５１６は、形成されたパッケージ２４００の第１及び第２のパウチ２４１２及び２４１４の間のヒンジ２４１６に対応し、第３の折り目線２５４３は、形成されたパッケージ２４００の第３のパウチ２４３５と第２のパウチ２４１４との間のヒンジ２４４３に対応する。
【０２５４】
可撓性フィルム２５００上に食品９０を配置する前又は後、かつ可撓性フィルム２５００において第１、第２、及び第３の折り目線２５１２、２５１６、及び２５４３を作製する前又は後に、脆弱線２５３７、２５７０、及び２５７１が、図６５に示されるように、可撓性フィルム２５００において作製される。脆弱線２５３７、２５７０、及び２５７１は、例えば、レーザアブレーション、打抜き、マイクロアブレーション、又は他の好適な手段を使用して、可撓性フィルム２５００内に形成され得る。可撓性フィルム１００内の脆弱線２５３７、２５７０、及び２５７１は、第１、第２、及び第３のパウチ２４１２、２４１４、及び２４３５の脆弱線２４３７、２４７０、及び２４７１にそれぞれ対応する。
【０２５５】
フィルム２５００が図６６に示されるように折り畳まれると、端部シール２４６２、２４６６、及び２４６７は、例えば、上記のような接着剤、又は別の好適な封着技術（例えば、ヒートシーリング）を使用して、縁部２５０８に近接して形成されてもよい。例えば、端部シール２４６２、２４６４、２４６６、２４６８、２４６７、及び２４６９が図６６中で形成される、図６５に示される封着縁２４８０ａ、２４８０ｂ、２４８０ｃ、２４８０ｄ、２４８０ｅ、２４８０ｆ、２４８０ｇ、２４８０ｈは、パッケージ２５００の端部シール２４６２、２４６４、２４６６、２４６８、２４６７、及び２４６９を形成するために封着縁のヒートシーリングを促進するために、金属化範囲を含んでもよい。金属化範囲が可撓性フィルム２５００の下面（図６５中、上向き表面２５１０として示される）にあるため、端部シール２４６２、２４６４、２４６６、２４６８、２４６７、及び２４６９の封着縁の縁部と一致する、封着縁２４８０ａ、２４８０ｂ、２４８０ｃ、２４８０ｄ、２４８０ｅ、２４８０ｆ、２４８０ｇ、２４８０の金属化範囲の範囲は、図６６中点線で示される。金属化範囲は、例えば、ホイル又は別の反射材料を含むことができる。金属化範囲が任意であり、可撓性フィルム２５００が金属化範囲を有さなくてもよく、その場合、そのような範囲が封着領域に対応し得ることが理解されるであろう。
【０２５６】
図６６を参照すると、第１の脆弱線２５７２と折り目線２５１６及び／又は折り目線２５１６に隣接した封着縁との間の可撓性フィルム２５００の範囲２５７０は、第１のパウチ２４１２の閉鎖フラップ２４７０に対応する。第２の脆弱線２５７３と、折り目線２５１６及び／又は折り目線２５１６に隣接した封着縁との間の可撓性フィルム２５００の範囲２５７１は、第２のパウチ２４１４の閉鎖フラップ２４７１に対応する。第３の脆弱線２５３９と折り目線２５４３及び／又は折り目線２５４３に隣接した封着縁との間の可撓性フィルム２５００の範囲２５３７は、第３のパウチ２４３５の閉鎖フラップ２４３７に対応する。
【０２５７】
可撓性フィルム２５００が図６６に示されるように位置付けられると、接着剤２５９６、例えば、示されるような単一の細長いストリップ、又は離間した複数のストリップ若しくはドットは、範囲２５７０に適用され、それは、可撓性フィルム２５００が図６７に示される構成に折り畳まれるとき、範囲２５７０及び２５７１が互いに少なくとも部分的に取り外し不可能に付着されることを可能にする。加えて、任意に、接着剤２５７６ｂ、例えば、グルードットが、可撓性フィルム２５００の範囲２５２４に適用されてもよい。接着剤２５７６ｂは、パッケージ２４００の接着範囲２４７６ｂに対応し、それは、パッケージ２４００が最初に開放された後に、第１及び第２のパウチ２４１２、２４１４の再閉鎖を可能にする。
【０２５８】
次いで、可撓性フィルムは、図６６に示される構成から図６７に示される構成に折り畳まれる。具体的には、可撓性フィルム２５００の長手方向縁部２５０２は、折り目線２５１６が折り目線２５４３を覆うように、折り目線２５１６を中心にして折り畳まれ、かつ折り目線２５４３に向かって引き寄せられる。クリース線２５１６は、２つの折り目線２５１６及び２５４３が同一線上にあるか、又は折り目線２５１６が任意にいずれかの方向に折り目線２５４３からオフセットされてもよいように、図６７に示されるように、折り目線２５４３を直接覆ってもよい。
【０２５９】
可撓性フィルム２５００が図６７に示されるように位置付けられると、接着剤２５９６、例えば、示されるような単一の細長いストリップ、又は離間した複数のストリップ若しくはドットが、範囲２５２２の一部分に適用される（図６６中で範囲２５２４の下にある）。可撓性フィルム２５００が図６８に示される最終形成及び閉鎖構成に折り畳まれるとき、接着剤２５９６は、可撓性フィルム２５００の範囲２５３７が範囲２５２２の一部分に少なくとも部分的に取り外し不可能に付着されることを可能にする。加えて、任意に、接着剤２５７６ａ、例えば、グルードットが、可撓性フィルム２５００の範囲２５５１に適用されてもよい。接着剤２５７６ａは、パッケージ２４００の接着範囲２４７６ａに対応し、パッケージ２４００が最初に開放された後に、第３のパウチ２４３５の第１のパウチ２４１２への再閉鎖を可能にする。
【０２６０】
３つのパウチのパッケージ２４００が上記の他のパッケージのうちの１つ以上の特徴を交換できるように組み込んでもよいことが理解されるであろう。例えば、３つのパウチのパッケージ２４００は、図２７に示されるカバー１３００と同様の外部カバーと共に使用されてもよい。閉鎖フラップ２４７０、２４７１、及び２４３７がそれらのそれぞれのパウチ２４１２、２４１４、及び２４３５から分離され得る、脆弱線２４７２、２４７３、及び２４３９は、図５０及び６６に示されるように弓状であってもよく、脆弱線２４７２、２４７３、及び２４３９のうちの１つ以上は、直線であり、かつパッケージ２４００が作製される可撓性フィルムの長手方向縁部に平行であるか（例えば、図１５にあるように）、又は直線であり、かつ可撓性フィルムの長手方向縁部に非平行であってもよい（例えば、図４３にあるように）。更に、閉鎖フラップ２４７０、２４７１、及び２４３７の形状は、図７及び１０にあるように矩形であってもよく、又は図５９〜６１に示されるように、概して郵便封筒のフラップのような形状の不規則形状の閉鎖フラップ２２７０を有してもよい。加えて、図６８に示されるように、それらのそれぞれの内側パネル２４２４、２４２８、及び２４５１の一部として形成される代わりに、閉鎖フラップ２４７０、２４７１、及び２４３７は、それらのそれぞれの内側パネル２４２４、２４２８、及び２４５１の上に折り畳まれ、かつ図５に示されるようなパウチの反対側の壁に、又は図１４に示されるような別の閉鎖フラップに付着されてもよい。また、３つのパウチのパッケージ２４００が例示されている一方で、パウチの数は単に一例として示されており、４つ、５つ、６つ、又はそれ以上のパウチを有するパッケージが上記の原理に従って製造され得ることが理解されるであろう。
【０２６１】
別の形態に従ったパッケージ３０００は、図７１〜７８に示される。パッケージ３０００は、図４８〜５４のパッケージと同様であるが、パウチのうちの一方を２つのパウチのうちの他方の前に優先的に開放するように構成されている。これは、他方のパウチの反対側の内部パネルに取り外し可能に付着されるプルタブを、２つの閉鎖フラップのうちの一方に提供することによって達成される。プルタブは、有利に、開放力が消費者によって適用されるとき、閉鎖フラップのうちの一方及び関連部分の優先的な開放を提供する。換言すれば、消費者がパッケージ３０００を開放するとき、パウチのうちの一方の閉鎖フラップのうちの一方の上のプルタブの存在は、このパウチが最初に開放する可能性をより高くする。加えて、いったんプルタブを含むパッケージ３０００のパウチが開放されると、プルタブは、消費者が続いてパッケージ３０００の第２のパウチを開放するために引っ張ることができる箇所に関して、消費者への視覚的指示を提供する。
【０２６２】
パッケージ３０００は、図７２に示されるように、閉鎖した底端部３０５４及び３０６０をそれぞれ有し、かつヒンジ３０１６においてそれぞれに付着されている、第１のパウチ３０１２と第２のパウチ３０１４とを含む。パッケージ３０００が閉鎖位置にあるとき、第７１及び第２のパウチ３０１２、３０１４は、図１に示されるように、互いに当接している。ヒンジ３０１６は、パッケージ３０００の第１及び第２のパウチ３０１２、３０１４が、図７１及び７２閉鎖位置から、互いから離れた方向に（図７５及び７６の方向矢印によって示される）、第１及び第２のパウチ３０１２、３０１４が図７７に示されるように互いから離間した部分的開放位置に向かって、ヒンジ３０１６を中心にして移動することを可能にする。
【０２６３】
同様に、パッケージ３０００が図７７に示される部分的開放位置にあるとき、第１及び第２のパウチ３０１２、３０１４は、第１及び第２のパウチ３０１２、３０１４が、図７１に示されるように互いに当接する閉鎖位置に向かって、ヒンジ３０１６を中心にして移動することが可能である。パッケージ３０００が閉鎖位置（図７１）と部分的開放位置（図７７）との間で移動するとき、パッケージ１０の第１及び第２のパウチ３０１２及び３０１４の移動は、本の開閉に似ている。
【０２６４】
パッケージ３０００の第１及び第２のパウチ３０１２、３０１４は、図７６に示されるように、食品９０、例えば、ガムスティックを含むように構成されている内部を有する。第１及び第２のパウチ３０１２、３０１４のそれぞれの中のガムスティックの数（すなわち、５枚）がほんの一例として示されており、第１及び第２のパウチ３０１２、３０１４のそれぞれは、５枚未満（例えば、４枚以下）の、又は５枚を超える（例えば、６枚以上）ガムスティックを含んでもよく、それは、個々に包装され得るか、又は個々の包み紙を有しなくてもよい。
【０２６５】
ガムスティックは、例示的な消費者製品として示されており、他の消費者製品、例えば、チョコレート、キャンディ、又は非食品が第１及び第２のパウチ３０１２、３０１４内に含まれてもよい。加えて、第１及び第２のパウチ３０１２、３０１４がそれぞれ、食品９０を含むものとして示される一方で、食品９０を含む第１及び第２のパウチ３０１２、３０１４の両方の代わりに、パッケージ３０００が、１つ以上の食品（例えば、ガムスティック）を含む第１のパウチ３０１２と、１つ以上の非食品、例えば、宝くじ記入及びスクラッチ券、ステッカー、タトゥーシール、又は様々な他の景品を含む第２のパウチ３０１４とを含んでもよいことが理解されるであろう。あるいは、第１及び第２のパウチ３０１２又は３０１４のうちの一方は、空であってもよい。
【０２６６】
パッケージ３０００の第１及び第２のパウチ３０１２及び３０１４はそれぞれ、図７２及び７６に示されるように、消費者製品へのアクセスを提供するために、以下でより詳細に考察されるように、重なっているそれぞれの閉鎖フラップ３０７０及び３０７１が取り外されるときにそれぞれ露出され得る、開口部３０１８及び３０２０を有する。パッケージ３０００が図７８に示される開放位置にあるとき、第１及び第２のパウチ３０１２、３０１４の開口部３０１８、３０２０は、ヒンジ３０１６に対向する。
【０２６７】
第１のパウチ３０１２は、図７２に示されるように、外壁３０２２と内部パネル３０２４とを含む。同様に、第２のパウチ３０１４は、図７２に示されるように、外壁３０２６と内部パネル３０２８とを含む。第１のパウチ３０１２の外壁３０２２は、ヒンジ３０１６においてパウチ３０１４の外壁３０２６に付着され、第１及び第２のパウチ３０１２、３０１４の外壁３０２２、３０２６が、開放位置（図７７）と閉鎖位置（図７１）との間でヒンジ３０１６を中心にして互いに対して移動することを可能にする。
【０２６８】
図７２に示されるように、パウチ３０１２の外壁３０２２は、外側表面３０３４と内側表面３０３６とを有し、第２のパウチ３０１４の外壁３０２６は、外側表面３０３８と内側表面３０４０とを有する。同様に、図７２に示されるように、パウチ３０１２の内部パネル３０２４は、外側表面３０４２と内側表面３０４４とを有し、第２のパウチ３０１４の内部パネル３０２８は、外側表面３０４６と内側表面３０４８とを有する。第１及び第２のパウチ３０１２、３０１４は、内部パネル３０２４、３０２８の内側表面３０４４、３０４８が外壁３０２２、３０２６の内側表面３０３６、３０４０にそれぞれ対向するように構成されている。パッケージ３０００が図７２に示される閉鎖位置にあるとき、食品９０は、内部パネル３０２４、３０２８の内側表面３０４４、３０４８と、外壁３０２２、３０２６の内側表面３０３６、３０４０の間で、第１及び第２のパウチ３０１２、３０１４内に含まれる。
【０２６９】
図７７を参照すると、第１のパウチ３０１２が第１の側縁部３０５０と、第２の反対側の側縁部３０５２と、底縁部３０５４とを有する一方で、第２のパウチ３０１４は、第１の側縁部３０５６と、第２の反対側の側縁部３０５８と、底端部３０６０とを有する。第１のパウチ３０１２の外壁３０２２及び内部パネル３０２４は、第１のパウチ３０１２の底端部３０５４において交差し、かつ接合される。第２のパウチ３０１４の内部パネル３０２８の外壁３０２６は、第２のパウチ３０１４の底端部３０６０において交差し、かつ接合される。第１のパウチ３０１２の内部パネル３０２４は、第１及び第２の端部シール３０６２、３０６４のそれぞれにおいて、第１及び第２の側縁部３０５０及び３０５２に近接して、第１のパウチ３０１２の外壁３０２２に封着して付着される。同様に、第２のパウチ３０１４の内部パネル３０２８は、端部シール３０６６、３０６８のそれぞれにおいて、第１及び第２の側縁部３０５６、３０５８に近接して、外壁３０２６に封着して付着される。
【０２７０】
パッケージ３０００の頂縁部、底縁部、及び側縁部への言及は、特定の例示的な図面に示されるようなパッケージ３０００の配向に特有であり得ること、並びに他の配向において、頂縁部、底縁部、及び側縁部が必要に応じて側縁部、頂縁部、又は底縁部と言及され得ることが理解されるであろう。ほんの一例として、パッケージ３０００が図７７に示されるように配向されると、参照番号３０５４及び３０６０は、パッケージ３０００の側縁部と称されてもよいが、パッケージ３０００が図７２に示されるように配向されるとき、参照番号３０５４及び３０６０は、第１及び第２のパウチ３０１２及び３０１４の底部においてそれぞれ配向され、パッケージ３０００の第１及び第２のパウチ３０１２及び３０１４の底端部と称されてもよい。
【０２７１】
例示された形態では、パッケージ３０００は、それらのそれぞれの第１及び第２のパウチ３０１２、３０１４の閉鎖及び開放を促進する、２つの閉鎖フラップ３０７０及び３０７１を含む。具体的に、第１のパウチ３０１２の内部パネル３０２４は、図７２に示されるように、封着、及び好ましくは気密封止されているパッケージ３０００の第１のパウチ３０１２に寄与する、第１の内側接続壁部分又は閉鎖フラップ３０７０を含む。第１の閉鎖フラップ３０７０は、図７２及び７６に示される第１の脆弱線３０７２に沿って、第１のパウチ３０１２の内部パネル３０２４に付着される。同様に、第２のパウチ３０１４の内部パネル３０２８は、図７２に示されるように、封着、及び好ましくは気密封止されているパッケージ３０００の第２のパウチ３０１４に寄与する、第２の内側接続壁部分又は閉鎖フラップ３０７１を含む。第２の閉鎖フラップ３０７１は、図７２及び７６に示される第２の脆弱線３０７３に沿って、第２のパウチ３０１４の内部パネル３０２８に付着される。
【０２７２】
図７２に示される例示的な形態では、第１の閉鎖フラップ３０７０が、第１の脆弱線３０７２によって線引きされる、第１のパウチ３０１２の内部パネル３０２４の延長部及び一体部分である一方で、第２の閉鎖フラップ３０７１は、第２の脆弱線３０７３によって線引きされる、第２のパウチ３０１４の内部パネル３０２８の延長部及び一体部分である。しかしながら、閉鎖フラップ３０７０、３０７１は、それが一部であり得る内部パネルから区別可能でなくてもよく、又は線引きされなくてもよい。したがって、大まかに、閉鎖フラップ３０７２、３０７３は、単純に、そのパッケージ３０００の別の部分への付着によって識別可能なパッケージ３０００の一部分であってもよい。
【０２７３】
脆弱線３０７２、３０７３は、折り線であってもよく、レーザアブレーション、打抜き、マイクロアブレーションなどによって形成され得る。脆弱線３０７２、３０７３が図７３及び７４に示されるように、概して弓状であるものとして示されているが、脆弱線３０７２、３０７３は、完全に直線、部分的に直線、部分的に曲線であってもよく、かつ概して封筒状のＶ字形をとってもよい。脆弱線３０７２、３０７３及び閉鎖フラップ３０７０、３０７１が、端部シール３０６２、３０６６から端部シール３０６４、３０６８に、すなわち、それぞれのパウチ３０１２、３０１４の頂縁部３０５０、３０５６から底縁部３０５２、３０５８までの距離未満延在するものとして、図７３及び７６に示されるが、脆弱線３０７２、３０７３及び閉鎖フラップ３０７０、３０７１は、端部シール３０６２、３０６４、３０６６、３０６８を通して、かつ第１及び第２のパウチ３０１２、３０１４の全長にわたって、すなわち、それぞれのパウチ３０１２、３０１４の頂縁部３０５０、３０５６から底縁部３０５２、３０５８まで延在してもよい。
【０２７４】
パッケージ３０００が閉鎖位置にあるとき、ガムスティック９０が互いに当接していないものとして図７２に示されるが、パッケージ３０００が全ての図面中、必ずしも正確な縮尺率で描かれておらず、ガムスティック９０が、当接してもよく、又は図７２に示されるものよりも互いに近くてもよいことが理解されるものとする。加えて、ガムスティック９０は、明確にするために、断面で図７２に示されない。更に、パッケージ３０００が２つのパウチ３０１２、３０１４のみを有して図７２に示されているが、パッケージ３０００は、第２のパウチ３０１４に枢動可能に付着される第３のパウチと、任意の同様に付着される他のパウチを含んでもよい。
【０２７５】
パッケージ３０００が閉鎖位置にあるとき、図７２に示されるように、閉鎖フラップ３０７０及び３０７１は、互いに対して概して分岐した配向に少なくとも部分的に配向され、閉鎖フラップ３０７０が内部パネル３０２４から第１のパウチ３０１２の外側壁３０２２に向かって延在し、かつ接着剤３０７４を介して外側壁３０２２の内側表面３０３６に付着される一方で、閉鎖フラップ３０７１が、内部パネル３０２８から第２のパウチ３０１４の外側壁３０２６に向かって延在し、かつ接着剤３０７４を介して外側壁３０２６の内側表面３０４０に付着されるようにする。パッケージ３０００が閉鎖位置にあるときに、閉鎖フラップ３０７０、３０７１が外側壁３０２２、３０２６のそれらのそれぞれの内側表面３０３６、３０４０に付着されている場合、第１及び第２のパウチ３０１２、３０１４の開口部３０１８、３０２０へのアクセスは、図７２からわかるように、閉鎖フラップ３０７０、３０７１によって遮断される。
【０２７６】
接着剤３０７４は、閉鎖フラップ３０７０、３０７１のそれらのそれぞれのパウチ３０１２、３０１４の外側壁３０２２、３０２６の内側表面３０３６、３０４０への取り外し不可能な付着をもたらすように選択される。パッケージ３０００が作製される可撓性フィルム上の接着剤３０７４の例示的な位置は、図７３に示され、以下でより詳細に考察される。本開示の目的で、「取り外し不可能な」は、通常の使用中など、取り外さることを意図しない付着を意味する。閉鎖フラップ３０７０、３０７１がホットメルトグルー又は任意の他の好適な接着剤などの接着剤３０７４を介して、内部パネル３０２２、３０２６に付着されているものとして示されているが、閉鎖フラップ３０７０及び３０７１が、他の好適な手段、例えば、ヒートシーリング、溶接、紫外線硬化、ラミネート加工などを介して、外側壁２０２２、２０２６のそれらのそれぞれの内側表面３０３６、３０４０に付着されてもよいことが理解されるであろう。
【０２７７】
パッケージ３０００が図７２に示されるように閉鎖位置にあると、パッケージ３０００の閉鎖フラップ３０７０及び３０７１は、接着材料３０７４と同一でも、又は異なってもよく、かつ閉鎖フラップ３０７０及び３０７１の互いへの取り外し不可能な付着をもたらすように選択される、接着材料３０９６を介して、互いに付着される。接着材料３０９６が単一の細長いストリップの形態で示されている一方で、接着材料３０９６は、任意の好適な形状（例えば、正方形、円形、三角形など）の２つ以上のストリップ又は範囲の形態であってもよいことが理解されるであろう。接着剤３０７４と同様に、接着材料３０９６は、ホットメルトグルー若しくは任意の他の好適な接着剤であっても、又はヒートシーリング、溶接、紫外線硬化、ラミネート加工などによって形成されてもよい。
【０２７８】
第１のパウチ３０１２の閉鎖フラップ３０７０の外側表面３０４２が、明確にするために、第２のパウチ３０１４の閉鎖フラップ３０７１の外側表面３０４６から離間したものとして図７２に示されているが、閉鎖フラップ３０７０の外側表面３０４２が、パッケージ３０００が閉鎖位置にあるとき、閉鎖フラップ３０７１の外側表面３０４６に当接してもよいことが理解されるであろう。同様に、第１及び第２のパウチ３０１２、３０１４の内部パネル３０２４、３０２８の外側表面３０４２、３０４６が、明確にするために、図７２中で互いから離間して示されるが、第１及び第２のパウチ３０１２、３０１４の内部パネル３０２４、３０２８の外側表面３０４２、３０４６は、例えば、図７１に示されるように、パッケージ３０００が閉鎖位置にあるとき、互いに少なくとも部分的に当接する。換言すれば、図７２は、接着剤３０７６ａ、３０７６ｂ、及び３０９６を介した対向関係及び当接関係で、第１及び第２のパウチ３０１２、３０１４の内部パネル３０２４、３０２８を示すが、第１及び第２のパウチ３０１２、３０１４の内部パネル３０２４、３０２８の表面３０４２、３０４６はまた、互いに直接接触していてもよい。
【０２７９】
第２のパウチ３０１４の閉鎖フラップ３０７１は、閉鎖フラップ３０７０と実質的に同様であるが、閉鎖フラップ３０７１が図７３〜７７に示されるようにプルタブ３０４１を含むという点で、第１のパウチ３０１２の閉鎖フラップ３０７０とは異なる。第２のパウチ３０１４の優先的な開口に寄与することに加えて、プルタブ３０４１は、以下でより詳細に記載されるように、第１のパウチ３０１２の食品９０へのアクセスを得るために、第１のパウチ３０１２の開放を促進する。プルタブ３０４１は、閉鎖フラップ３０７１の隣接した部分から、ヒンジ３０１６から離れた方向に外向きに延在し、プルタブ３０４１の外周に沿って延在する脆弱線３０７３が、図７３〜７７に示されるように、プルタブ３０４１に隣接した閉鎖フラップ３０７１の部分に沿って延在する脆弱線３０７３の部分よりも、第２のパウチ３０１４の底端部３０６０により近く位置付けられるようにする。
【０２８０】
閉鎖フラップ３０７１の残りの部分と同様に、プルタブ３０４１は、図７３及び７４に示される第２の脆弱線３０７３に沿って、第２のパウチ３０１４の内部パネル３０２８に付着される。プルタブ３０４１が同じフィルム材料から、かつ第２の閉鎖フラップ３０７１と一体に形成されるものとして図７３及び７４に示されているが、プルタブ３０４１は、任意に、接着剤、ヒートシーリングなどを介して閉鎖フラップ３０７１に付着される閉鎖フラップ３０７１とは別個の構造であってもよい。プルタブ３０４１が概してドーム形状であるものとして図７３及び７４に示されているが、プルタブ３０４１が三角形、矩形、又は任意の他の好適な形状であってもよいことが理解されるであろう。１つの概して中心にあるプルタブ３０４１のみが図７３及び７４中でパッケージ３０００の１つのパウチ３０１４上に示されているが、プルタブ３０４１が中心から外れてもよいこと、及びパウチ３０１４が別のタブ３０４１を含んでもよいことが理解されるであろう。
【０２８１】
閉鎖フラップ３０７１のプルタブ３０４１の外側表面３０４６は、図７２及び７６〜７７に示され、かつ以下でより詳細に記載されるように、プルタブ３０４１が第１のパウチ３０１２の内部パネル３０２４の外側表面３０４２に取り外し可能に付着されることを可能にする、接着範囲３０７６ａを含む。簡潔に、第１のパウチ３０１２の内部パネル３０２４の外側表面３０４２へのプルタブ３０４１の付着は、少なくとも２つの利点：（１）パッケージ３０００を開放するとき、プルタブ３０４１を有する第２のパウチ３０１４が第１のパウチ３０１２に対して最初に優先的に開放する可能性がより高いこと、及び（２）いったんパッケージ３０００が開放されると、プルタブ３０４１は、ユーザが続いて第１のパウチ３０１２を開放するために引っ張ることができる箇所に関して、消費者への視覚的指示を提供することを提供する。
【０２８２】
接着範囲３０７６ａが図７６及び７７中で単一の円形範囲として示されているが、接着範囲３０７６ａは、任意の他の形状又はサイズであってもよく、かつ第１のパウチ３０１２の内部パネル３０２４の外側表面３０４２へのプルタブ３０４１の繰り返される取り外し可能な付着を可能にする、複数の接着範囲を含んでもよい。接着範囲３０７６ａは、パッケージ３０００の複数回の開放及び再閉鎖を可能にする、１つ以上のグルードット、感圧接着剤、粘着テープ又はストリップ、ベルクロ（登録商標）、ジッパーなどの形態であってもよい。したがって、プルタブ３０４１の接着範囲３０７６ａは、第１のパウチ３０１２内の食品９０の一部を取り出すために第１のパウチ３０１２を開放した消費者が、続いて、第１のパウチ３０１２を再閉鎖するために、第１のパウチ３０１２の内部パネル３０２４の外側表面３０４２にプルタブ３０４１を再び付着させることを可能にする。
【０２８３】
プルタブ３０４１の付着のための接着剤及び／又は他の手段は、好ましくは、接着範囲３０７６ａを介したプルタブ３０４１と第１のパウチ３０１２の内部パネル３０２４の外側表面３０４２との間のシール強度が、脆弱線３０７３を破断するために必要とされる強度よりも大きいように選択される。換言すれば、接着範囲３０７６ａにおいて、第１のパウチ３０１２の内部パネル３０２４の外側表面３０４２からプルタブ３０４１を取り外すために必要とされるよりも小さい強度が、第２のパウチ３０１４の内部パネル３０２８から閉鎖フラップ３０７１を分離するために、脆弱線３０７３を引き裂くために必要とされる。以下でより詳細に記載されるように、閉鎖フラップ３０７１上のプルタブ３０４１の位置及び接着範囲３０７６ａにおける内部パネル３０２４へのプルタブ３０４１の付着と、脆弱線３０７３に沿った第２のパウチ３０１４の内部パネル３０２８への閉鎖フラップ３０７１の付着との相対的強度は、第２のパウチ３０１４が第１のパウチ３０１２よりも前に開放するようなパッケージ３０００の優先的な開放を提供する。
【０２８４】
パッケージ３０００が図７１の閉鎖位置から図７７の部分的開放位置に向かって、図７５及び７６中の方向矢印によって示される方向に移動するとき、第１及び第２のパウチ３０１２及び３０１４は、本のような様式でパッケージ３０００を開放するように、互いから離れてヒンジ３０１６を中心にして移動し、それは、消費者にとって視覚的に魅力であり得る。パッケージ３０００の開放中、消費者は、図７５に示されるように第１及び第２のパウチ３０１２及び３０１４を把持し、かつ図７６に示されるように、第１及び第２のパウチ３０１２、３０１４を方向矢印によって示されるように互いから離れて、消費者によって適用されている開放力及び張力が脆弱線３０７３における引裂を優先的に開始し、かつ閉鎖フラップ３０７１を脆弱線３０７３に沿って第２のパウチ３０１４の内部パネル３０２８から分離させる位置まで移動させてもよい。
【０２８５】
上記の通り、開放力は、図７５に示されるように、第１及び第２のパウチ３０１２、３０１４に、それらの底端部３０５４、３０６０において適用されている。第１のパウチ３０１２の脆弱線３０７２の部分が第１のパウチ３０１２の底端部３０５４に対するよりも、プルタブ３０４１に沿った第２のパウチ３０１４の脆弱線３０７３の部分が第２のパウチ３０１４の底端部３０６０により近いため、第１及び第２のパウチ３０１２、３０１４が開放位置に向かった、及び互いから離れた方向に移動しているとき、消費者の開放力によって提供される張力は、開放力が適用されているその個々の底端部３０５４から更に離れた脆弱線３０７２の一部分と比較して、開放力が適用されている底端部３０６０により近い脆弱線３０７３の一部分を通じて優先的に引裂を引き起こす可能性が高い。
【０２８６】
加えて、接着範囲３０７６ａにおけるプルタブ３０４１と第１のパウチ３０１２の内部パネル３０２４の外側表面３０４２との間のシール強度は、第２のパウチ３０１４の内部パネル３０２８に付着される閉鎖フラップ３０７２を保持する脆弱線３０７３の強度よりも大きい。その特徴はまた、図７６及び７７に示されるように、閉鎖フラップ３０７１が、第２のパウチ３０１４を最初に開放するために、第２のパウチ３０１４の脆弱線３０７３に沿って内部パネル３０２８から最初に優先的に分離する一方で、閉鎖フラップ３０７０が、第１のパウチ３０１２が閉鎖されたままであるように、第１のパウチ３０１２の脆弱線３０７２に沿って内部パネル３０２４に付着されたままであるように、パッケージ３０００の開放を提供する。
【０２８７】
第１のパウチ３０１２の前の第２のパウチ３０１４の優先的な開放のためのこの構成は、有利に、パッケージの操作及び消費者によって適用されている開放力の量のみに依存する代わりに、パッケージ３０００のどのパウチが最初に開放するかに関する予測可能性及び制御を提供する。図７５中、パッケージ３０００は、閉鎖フラップ３０７１を脆弱線３０７３に沿って第２のパウチ３０１４の内部パネル３０２８から分離させるほど十分に開放していない（又は十分な開放力が適用されていない）位置において示される。代わりに、図７５に示されるように、消費者によって適用される開放力は、プルタブ３０４１が第２のパウチ３０１４の内部パネル３０２８の隣接した部分から脆弱線３０７３の部分に沿って最初に優先的に取り外される一方で、閉鎖フラップ３０７１の残りの部分がまだ、脆弱線３０７３の他の部分に沿って第２のパウチ３０１４の内部パネル３０２８に付着されたままであることを示すのにちょうどである。
【０２８８】
したがって、閉鎖フラップ３０７０及び３０７１は、消費者にパッケージ３０００の開放の程度の視覚的指示を提供する。加えて、消費者が閉鎖フラップ３０７０、３０７１のそれらのそれぞれの脆弱線３０７２、３０７３に沿った取り外し中、ある程度の抵抗を感じるため、閉鎖フラップ３０７０及び３０７１は、パッケージ３０００の初期の開放中に消費者に触覚的及び／又は聴覚的な応答を提供することができる。パッケージ３０００の閉鎖フラップ３０７０及び３０７１はまた、閉鎖フラップ３０７０、３０７１のうちの一方又は両方の非存在又は部分的取り外しが、パッケージ３０００がすでに開放又は不正開放されていることを消費者に視覚的に指示するように、パッケージ３０００のための新鮮さシール及び／又は不正開封防止特徴を提供する。
【０２８９】
例示的なパッケージ３０００は、閉鎖フラップ３０７１が第２のパウチ３０１４の内部の中の食品９０へのアクセスを消費者に提供するために、脆弱線３２７３に沿って第２のパウチ３０１４の内部パネル２２２８から完全に分離する一方で、閉鎖フラップ３０７０が、脆弱線３０７２に沿って第１のパウチ３０１２の内部パネル３２２４にまだ完全に付着され、第１のパウチ３０１２内の食品９０へのアクセスを制限する状態で、図７６〜７７に示される。パッケージ３０００が図７６に示される部分的開放位置にあるとき、第１のパウチ３０１２の端部シール３０６４、ヒンジ領域３０１６、及び第２のパウチ３０１４の端部シール３０６８は組み合わせて、概してＶ字形を形成する。
【０２９０】
パッケージ３０００の開放中、ユーザによって適用される開放力は、図７７に示されるように、第１のパウチ３０１２の一部分を、第２のヒンジ３０１５を中心にして折り畳むか、又は屈曲させ、第２のパウチ３０１４の一部分を、第３のヒンジ３０１７を中心にして折り畳むか、又は屈曲させ得る。閉鎖フラップ３０７１が、第２のパウチ３０１４内の食品９０が消費者に完全にアクセス可能になるように、第２のパウチ３０１４の内部パネル３０２８から脆弱線３０７２全体に沿って完全に分離されると、図７７に示されるように、第１のパウチ３０１２の端部シール３０６４、ヒンジ領域３０１６、及び第２のパウチ３０１４の端部シール３０６８は組み合わせて、概してジグザグ（Ｚ字）形を形成する。
【０２９１】
より具体的には、図７７に示されるように、ジグザグ形状の一部は、外側又は第１のヒンジ３０１６によって提供され、このジグザグ形状の別の部分は、少なくとも第１のパウチ３０１２の端部シール３０６２、３０６４にわたって延在する第２のヒンジ３０１５を形成するように折り畳まれる第１のパウチ３０１２の部分によって提供され、ジグザグ形状の別の部分は、少なくとも第２のパウチ３０１４の端部シール３０６６、３０６８にわたって延在する第３のヒンジ３０１７を形成するように折り畳まれる第２のパウチ３０１４の部分によって提供される。パッケージ３０００の開放中の第１及び第２のパウチ３０１２、３０１４の構成は、第１のパウチ３０１２が第２のヒンジ３０１５を含み、第２のパウチ３０１４が第３のヒンジ３０１７を含み、パッケージ３０００が、パッケージ３０００が図７６に示されるように部分的開放位置にあるとき、及びパッケージ３０００が図７８に示されるようにより開放した位置にあるとき、第１及び第２のパウチ３０１２、３０１４の間に外側又は第１のヒンジ３０１６を含むようなものである。
【０２９２】
図７７からわかるように、パッケージ３０００は、第２のパウチ３０１４の内部パネル３０２８が、第１のパウチ３０１２の内部パネル３０２４と同一面内にはないが、第１のパウチ３０１２の内部パネル３０２４の上に少なくとも部分的に位置付けられるように位置付けられる。より具体的には、第２のパウチ３０１４の端部シール３０６８の一部分によって形成される第３のヒンジ３０１７は、第１のパウチ３０１２の端部シール３０６４の一部分を覆い、図７７中の陰影線によって示されるように、第２のヒンジ３０１５と端部シール３０６８のその部分との間に間隙を作る。パッケージ３０００が図７７の部分的開放位置にあると、第２のパウチ３０１４の外側パネル３０２６は、第３のヒンジ３０１７が外側ヒンジ３０１６よりも第１のパウチ３０１２の底端部３０５４により近くなるように位置付けられる。
【０２９３】
第２のパウチ３０１４が開放され、第２のパウチ３０１４内の食品９０がアクセス可能である一方で、第１のパウチ３０１２に対する第２のパウチ３０１４の位置決め、すなわち、第１のパウチ３０１２に対する第２のパウチ３０１４の部分的上昇は、第２のパウチ３０１４内の食品９０の保持を促進し、かつ第２のパウチ３０１４から不注意に滑り出ることから食品９０を制限し得る。パッケージ３０００は、第１及び第２のパウチ３０１２及び３０１４から不注意に滑り出ることから食品９０を制限する、追加の構造特徴を含んでもよい。
【０２９４】
パッケージ３０００が図７７に示される部分的開放位置にあると、例えば、第２のパウチ３０１４内の食品９０の全てを消費した後に、第１のパウチ３０１２を開放し、かつその内部にアクセスしたいと思う消費者は、一方の手で第１のパウチ３０１２を把持し、他方の手でプルタブ３０４１を把持し、プルタブ３０４１をヒンジ３０１６及び第２のパウチ３０１４に向かって、図７８中の矢印によって示される方向に移動させてもよい。例えば、図７６及び７７示されるように、プルタブ３０４１は、消費者が続いてパッケージ３０００の第１のパウチ３０１２を開放するために引っ張ることができる箇所に関して、消費者に容易に認識可能な視覚的指示を提供する。
【０２９５】
消費者がパッケージ３０００及びプルタブ３０４１を把持し、タブ３０４１を図７８中の矢印によって示される方向に引っ張るとき、消費者によって適用される開放力は、プルタブ３０４１を第１のパウチ３０１２の内部パネル３０２４の外側表面３０４２に付着させる接着剤３０７６ａの強度、及び閉鎖フラップ３０７０が第１のパウチ３０１２の内部パネル３０２４に付着される脆弱線３０７１の強度の両方に勝つのに十分である。
【０２９６】
具体的に、消費者によって適用される開放力は、接着剤３０７６ａの強度に勝つこと、及び第１のパウチ３０１２の内部パネル３０２４の側表面３０４２からプルタブ３０４１を取り外し、かつ脆弱線３０７２に沿って内部パネル３０２４から閉鎖フラップ３０７０を取り外す事の両方を行う。より具体的には、図７８に示されるようなプルタブ３０４１の移動及び任意に、第２のパウチ３０１４の底端部３０６０から離れた第１のパウチ３０１２の底端部３０５４の移動は、脆弱線３０７２における１つ以上の引裂を介した、内部パネル３０２４から離れた閉鎖フラップ３０７０の取り外しを促進して、第１のパウチ３０１２を開放し、それにより、アクセスのために第１のパウチ３０１２内に保管される食品９０を消費者に露出する。
【０２９７】
任意に、パッケージ３０００の第１のパウチ３０１２は、最初に開放された後に個々に再閉鎖されてもよい。具体的に、プルタブ３０４１は、プルタブ３０４１が接着範囲３０７６ａを介して第１のパウチの内部パネル３０２４の外側表面３０４２に付着され、それにより第１のパウチ３０１２を再閉鎖するように、第１のパウチ３０１２の内部パネル３０２４の外側表面３０４２の一部分に対して押されてもよい。全体としてのパッケージ３０００はまた、以下でより詳細に記載されるように、接着範囲３０７６ｂを介して再閉鎖可能である。
【０２９８】
第１のパウチ３０１２を開放するための、脆弱線３０７２における１つ以上の引裂を介した、内部パネル３０２４から離れた閉鎖フラップ３０７０の取り外しは、例えば、開放中の使用される開放力及びパッケージ３０００の配向に応じて、図７８に示されるパッケージ３０００の配置の前又は後に生じてもよい。プルタブ３０４１及び任意に、第１のパウチ３０１２の底端部３０５４は、パッケージ３０００が、例えば、図５３〜５４に示され、かつパッケージ２０００を参照して上記に記載されるように、第１のパウチ３０１２が完全に開放する、その完全開放位置に到達するまで、図７８の矢印の方向に消費者によって移動させられてもよい。
【０２９９】
図７８に示される方向へのプルタブ３０４１の移動を介した第１のパウチ３０１２の開放は、プルタブ３０４１の移動方向から反対の方向に第１のパウチ３０１２の底端部３０５４を移動させることを含んでもよい。図７８の第３のヒンジ３０１７から第１のパウチ３０１２の底端部３０５４までの距離は、外側ヒンジ３０１６から第１のパウチ３０１２の底端部３０５４までの距離よりも大きくてもよい。同様に、図７８中の矢印によって示されるような第１のパウチ３０１２の移動は、パッケージ３０００の長さを増加させるために、第２のパウチ３０１４の底端部３０６０から離れた方向に、第１のパウチ３０１２の底端部３０５４を移動させることを含む。「パッケージの長さ」が、外側ヒンジ３０１６に、かつ第１及び第２のパウチ３０１２、３０１４の底端部３０５４、３０６０に垂直な線に沿った、第１のパウチ３０１２の底端部３０５４と第２のパウチ３０１４の底端部３０６０との間の距離を意味すると理解される。
【０３００】
パッケージ２０００に関連して図５３〜５４に示されるような、パッケージ３０００の閉鎖フラップ３０７０、３０７１のそれらの完全開放位置における位置は、消費者が第１及び第２のパウチ３０１２、３０１４の開口部３０１８、３０２０を通じて食品９０の部分を取り出すことを容易にする。具体的に、図７３に示されるように、パッケージ３０００が実質的に開放していると、脆弱線２７２が線形であるパッケージ２００とは異なり、脆弱線３０７２及び３０７３は、それらのそれぞれのパウチ３０１２及び３０１４の底端部３０５４及び３０６０に向かって更に曲線である。加えて、閉鎖フラップ３０７０、３０７１は、閉鎖フラップ３０７０、３０７１の部分が、その個々のパウチ３０１２、３０１４から不注意に滑り出ることから食品９０を制限する構造特徴を提供し得るように、実質的に図７３〜７４に示されるようなそれらの開放位置にあるとき、有利に位置付けられてもよい。
【０３０１】
パッケージ３０００が最初に開放された後に再閉鎖されることを可能にするために、第２のパウチ３０１４の内部パネル３０２８の外側表面３０４６は、図７２及び７６〜７８に示されるように、任意の接着範囲３０７６ｂを含む。図７６〜７８のいずれかに示される位置から図７１の閉鎖位置にパッケージ３０００を再閉鎖したいと思う消費者は、第２のパウチ３０１４の内部パネル３０２８の外側表面３０４６上の接着範囲３０７６ｂが、第１のパウチ３０１２の内部パネル３０２４の外側表面３０４２と接触し、かつ付着するように、第１及び第２のパウチ３０１２、３０１４を、ヒンジ３０１６を中心にして互いに向かって引き寄せる。消費者は、例えば、外壁３０２２及び３０２６をつまむことによって、ある程度の力を適用して、内部パネル３０２４の外側表面３０４２への接着範囲３０７６ｂのしっかりした付着を確実にしてもよい。
【０３０２】
パッケージ３０００が再閉鎖されるとき、食品９０は、第１及び第２のパウチ３０１２、３０１４内に含まれ、パッケージ３０００から落ちることから制限される。接着範囲３０７６ｂが図７６〜７８中で単一の円形範囲として示されているが、接着範囲３０７６ｂは、任意の他の形状又はサイズであってもよく、かつ第１及び第２のパウチ３０１２、３０１４の内部パネル３０２４、３０２８の互いに対する繰り返される取り外し可能な付着を可能にする、複数の接着範囲を含んでもよい。接着範囲３０７６ｂは、接着範囲３０７６ａと同様に、パッケージ３０００の複数回の開放及び再閉鎖を可能にする、１つ以上のグルードット、感圧接着剤、粘着テープ又はストリップ、ベルクロ（登録商標）、ジッパーなどの形態であってもよい。任意に、パッケージ３０００は、接着範囲３０７６ｂ又は任意の他の形態の再閉鎖部を含まなくてもよい。
【０３０３】
パッケージ３０００を製造する例示的な方法が、図７３及び７４を参照して記載される。製造方法は概して、付随する組み立てライン機械を示すことなく、パッケージ３０００が作製され得る可撓性材料の配向及び操作を示すことによって、図１０に示される。パッケージ３０００が作製され得る可撓性材料は、フィードロール１０１からほどかれ、図１０に示されるように、方向矢印によって示される機械方向にウェブとして供給され得る。可撓性フィルム及びガムが固定板、移動コンベヤなどの頂部で供給され得ることが理解されるであろう。
【０３０４】
パッケージ３０００は、可撓性材料の単一のシート又はウェブから製造され得る。可撓性材料は、１つ以上のポリマー、ラミネート、金属化ポリマー、紙などから作製されるフィルムであってもよい。本方法の例示を明確にするために、単一のパッケージ３０００が作製され得る図１０の可撓性フィルムの一部分は、図７３及び７４に示され、可撓性フィルムの部分は、完成したパッケージ３０００のある特定の特徴に対応する参照番号で識別される。図７３に示される可撓性フィルムの例示的な単一のシートは、前縁部３００８と、後縁部３００６と、第１の長手方向の側縁部３００２と、第２の長手方向の側縁部３００４と、食品９０が配置され得る上向き表面とを有する。
【０３０５】
可撓性フィルムが図１０中の方向矢印によって示される機械方向に移動すると、可撓性フィルムは、クリース線又は折り目線が可撓性フィルム３０００内に形成され得る、中央折畳み領域３０１６を有する。図７３に示されるように、次いで、第２のクリース線又は折り目線３０５４が、中央折畳み領域３０１６の一側面上に形成され得、次いで、第３のクリース線又は折り目線３０６０が、中央折畳み領域３０１６の反対側面上に形成され得る。中央折畳み領域３０１６、並びに第２及び第３のクリース線３０５４及び３０６０が、直線として図７３に示されているが、中央折畳み領域３０１６、第２のクリース線３０５４、及び第３のクリース線３０６０のうちの１つ以上が、非線形、又は単一の線の代わりに、可撓性フィルムの一範囲の形態であってもよいことが理解されるであろう。
【０３０６】
クリース線３０１６、３０５４、及び３０６０は、可撓性フィルム３０００が機械方向にフィードロールからほどかれる前又は後に、可撓性フィルム３０００において作製され得る。クリース線３０１６、３０５４、及び３０６０が、可撓性フィルム３０００の折り畳み前に可撓性フィルム３０００において作られるアプローチにおいて、そのようなクリース線は、例えば、好適なローラ、レーザなどによって作製され得る。例えば、任意に、クリース線３０１６、３０５４、及び３０６０は、可撓性フィルム３０００において作製されなくてもよく、可撓性フィルム３０００は、クリース線３０１６、３０５４、及び３０６０なしで折り畳まれてもよい。例えば、図７２及び７４からわかるように、可撓性フィルム３０００の第１のクリース線又は中央折畳み領域３０１６は、パッケージ３０００のヒンジ３０１６に対応し、可撓性フィルム３０００の第２のクリース線３０５４は、パッケージ３０００の第１のパウチ３０１２の底端部３０５４に対応し、可撓性フィルム３０００の第３のクリース線３０６０は、パッケージ３０００の第２のパウチ３０１４の底端部３０６０に対応する。
【０３０７】
可撓性フィルム３０００において第１、第２、及び第３のクリース線３０１６、３０５４、及び３０６０を作製する前又は後に、２つの脆弱線３０７２及び３０７３が、図７３に示されるように可撓性フィルム３０００に形成されてもよい。脆弱線３０７２、３０７３は、例えば、レーザアブレーション、打抜き、マイクロアブレーション、又は他の好適な手段を使用して、可撓性フィルム３０００内に形成され得る。可撓性フィルム３０００内の３０７２、３０７３は、パッケージ３０００の脆弱線３０７２、３０７３に対応する。
【０３０８】
後縁部３００６に近接して、可撓性フィルム３０００は、パッケージ３０００の端部シール３０６２及び３０６６が形成され得る封着縁３０１９を含み、前縁部３００８に近接して、可撓性フィルム３０００は、パッケージ３０００の端部シール３０６４及び３０６８が形成され得る封着縁３０２０を含む。封着縁３０１９は、可撓性フィルム３０００がクリース線３０５４及び３０６０を中心にして折り畳まれるとき、可撓性フィルム３０００の部分の互いへの付着を促進するために、図７３に示されるように接着材料３０７４を含んでもよい。可撓性フィルムの上向き表面の反対側の可撓性フィルム３０００の下側で、かつ封着縁３０１９、３０２０の下で、可撓性フィルム３０００は、パッケージ３０００の端部シール３０６２、３０６４、３０６６、及び３０６８を形成するために、封着縁３０１９、３０２０のヒートシーリングを促進することができる金属化範囲を含んでもよい。金属化範囲の縁部３０２３、３０２５は、金属化範囲が、ガムスティックなどの食品９０が配置される上向き表面と反対側の可撓性フィルム３０００の下側にあるため、封着縁３０１９、３０２０の縁部と一致し、図７３中に点線で示される。金属化範囲は、例えば、ホイル又は別の反射材料を含むことができる。任意に、可撓性フィルム３０００は、金属化範囲がなくてもよく、その場合、そのような範囲は、封着領域に対応し得る。
【０３０９】
図７３を参照すると、第１の脆弱線３０７２と第１の長手方向縁部３００２との間の可撓性フィルム３０００の範囲３０７０は、パッケージ３０００の閉鎖フラップ３０７０に対応する。可撓性フィルム３０００の第１の脆弱線３０７２と第２のクリース線３０５４との間の範囲３０２４は、パッケージ３０００の第１のパウチ３０１２の内部パネル３０２４に対応する。可撓性フィルム３０００の第２のクリース線３０５４と中央折畳み領域又は第１のクリース線３０１６との間の範囲３０２２は、パッケージ３０００の第１のパウチ３０１２の外壁３０２２に対応する。
【０３１０】
可撓性フィルム３０００の中央折畳み領域又は第１のクリース線３０１６と第３のクリース線３０６０との間の範囲３０２６は、パッケージ３０００の第２のパウチ３０１４の外壁３０２６に対応する。第３のクリース線３０６０と第２の脆弱線３０７３との間の範囲３０２８は、パッケージ３０００の第２のパウチ３０１４の内部パネル３０２８に対応する。最後に、可撓性フィルム３０００の第２の脆弱線３０７３と第２の長手方向縁部３００４との間の可撓性フィルム３０００の範囲３０７１は、パッケージ３０００の第２の閉鎖フラップ３０７１に対応する。図７３からわかるように、脆弱線３０７３は、第２の閉鎖フラップ３０７１がパッケージ３０００の開放中に第２のパウチ３０１４の内部パネル３０２８から取り外されるとき、プルタブ３０４１の形成を提供する概してドーム形状の突起部を含む。
【０３１１】
可撓性フィルム３０００が機械方向に移動すると、食品９０は、例えば、パッケージ１０を製造するために使用される可撓性フィルム１００に関連した図７及び１０に示されるものと同様に、可撓性フィルム３０００の上向き表面上に配置される。図７３に示されるクリース線３０１６、３０５４、及び３０６０、並びに脆弱線３０７２及び３０７３は、食品９０が可撓性フィルム３０００上に配置される前又は後に、可撓性フィルム３０００において作製されてもよい。
【０３１２】
食品９０がガムスティックの形態で示されるが、ガムスティック以外の食品、例えば、キャンディ、チョコレートなどが、ガムスティックの代わりに可撓性フィルム３０００と組み合わせて使用されてもよい。１つのアプローチでは、パッケージ３０００内に包装される非食品は、可撓性フィルム３０００と組み合わせて使用されてもよい。任意に、食品９０は、例えば、接着材料、粘着テープなどを介して、可撓性フィルム３０００の上向き表面に取り外し可能に付着されてもよい。可撓性フィルム３０００の上向き表面への食品９０の除去可能な付着は、食品９０が望ましくなくパッケージ３０００から落ちるか、又はその内側で移動することを防止し得る。
【０３１３】
食品９０が可撓性フィルム３０００の上向き表面上に位置付けられる場合、可撓性フィルム３０００の反対側の長手方向縁部３００２、３００４は、図７４、及びより大まかには１０に示されるように、食品９０の部分及び可撓性フィルム３０００の部分に重なるように内向きに折り畳まれ、かつ互い及び中央折畳み領域３０１６に向かって引き寄せられる。図７４に示されるように、可撓性フィルム３０００の第１及び第２の長手方向縁部３００２、３００４は、可撓性フィルム３０００の部分が食品９０を被覆するように、第１及び第２の長手方向縁部３００２及び３００４が中央折畳み領域３０１６に重なるように位置付けられる。
【０３１４】
可撓性フィルム３０００が図７４に示されるように折り畳まれるとき、可撓性フィルム３０００の第１の長手方向縁部３００２は、第１のクリース線３０１６を直接覆う必要はない。加えて、図７３〜７４中の寸法は、単に例示的であり、必ずしも正確な縮尺率で描かれず、可撓性フィルム３０００は、様々な形状及びサイズの可撓性パッケージを製造するために使用され得る。
【０３１５】
可撓性フィルム３０００の第１及び第２の長手方向縁部３００２及び３００４が、図７４に示されるように内向きに折り畳まれた後、可撓性フィルム３０００の封着縁３０１９、３０２０は、例えば、ヒートシーリングによって一緒に封着されて、第１及び第２のパウチ３０１２及び３０１４を形成する。接着材料、ラミネート加工、接合、溶接、紫外線硬化、又は融合が、ヒートシーリングの代わりに使用されてもよい。
【０３１６】
パッケージ３０００に再閉鎖可能な特徴を提供するために、上記の接着材料が、可撓性フィルム３０００の範囲３０２８に適用されて、接着範囲３０７６ｂを形成することができる。接着範囲３０７６ｂが、パッケージ３０００の第２のパウチ３０１４の一部を形成する可撓性フィルム３０００の範囲３０２８上に適用されるものとして図７４に示されているが、接着範囲３０７６ｂは加えて、又はあるいは、パッケージ３０００の第１のパウチ３０１２の一部を形成する範囲３０２４に適用されてもよい。接着範囲３０７６ｂが図７４中で１つの円形の範囲として示されているが、接着範囲３０７６ｂは、正方形若しくは矩形のストリップの形態であってもよく、又は可撓性フィルム３０００の範囲３０２８及び範囲３０２４が互いに当接させられるとき、範囲３０２８を範囲３０２４に取り外し可能に付着させる、いくつかの離間した接着範囲の形態であってもよい。
【０３１７】
パッケージ３０００の第１のパウチ３０１２の内部パネル３０２４への、パッケージ３０００の第２のパウチ３０１４の閉鎖フラップ３０７１のプルタブ３０４１の取り外し可能な付着を提供するために、上記の接着材料は、接着範囲３０７６ａを形成するために、可撓性フィルム３０００の範囲３０４１に適用され得る。接着範囲３０７６ａが、パッケージ３０００の第２のパウチ３０１４の内部パネル３０２８上にプルタブ３０４１を形成する可撓性フィルム３０００の範囲３０４１上に適用されるものとして図７４に示されているが、接着範囲３０７６ａは加えて、又はあるいは、パッケージ３０００の第１のパウチ３０１２の内部パネル３０２４の一部を形成する範囲３０２４に適用されてもよい。接着範囲３０７６ａが図７４中で１つの円形の範囲として示されているが、接着範囲３０７６ａが、正方形若しくは矩形のストリップの形態であってもよく、又は可撓性フィルム３０００の範囲３０４１及び範囲３０２４が互いに当接させられるとき、範囲３０４１を範囲３０２４に取り外し可能に付着させる、いくつかの離間した接着範囲の形態であってもよいことが理解されるであろう。
【０３１８】
フィルム３０００が図７４に示されるように折り畳まれると、１つ以上の接着材料が、接着範囲３０９６を形成するために、可撓性フィルム３０００の範囲３０７１の上向き表面の全部又は一部に適用される。接着範囲３０９６の接着材料は、接着範囲３０９６を含む可撓性フィルム３０００の範囲３０７１の上向き表面が、可撓性フィルム３０００の範囲３０７０の上向き表面の対向部分に付着されるとき、取り外し不可能な付着がもたらされるように選択される。図７４に示されるように、範囲３０７１の上向き表面上に接着範囲３０９６を作るために接着材料を適用する代わりに、接着材料は、可撓性フィルム３０００が図７１のパッケージ３０００を形成するためにその最終構成に折り畳まれるとき、範囲３０７０及び３０７１の部分の取り外し不可能な付着を提供する接着範囲３０９６を作るために、範囲３０７１の上向き部分に適用されてもよい。
【０３１９】
接着材料３０９６が図７４に示されるように、かつ上記の通り適用された後、可撓性フィルム１００は、第２及び第３のクリース線３０５４及び３０６０が第１のクリース線３０１６及び互いに向かって引き寄せられ、（１）範囲３０７１の上向き表面上の接着材料３０９６が、可撓性フィルム３０００の範囲３０７０の対向部分に取り外し不可能に付着して、可撓性フィルム３０００内に食品９０を密閉するように、（２）範囲３０４１の上向き表面上の接着材料３０７６ａが、可撓性フィルム３０００の範囲３０２４の対向部分に取り外し不可能に付着するように、かつ（３）範囲３０２８の上向き表面上の接着材料３０７６ｂが、可撓性フィルム３０００の範囲３０２４の対向部分に取り外し不可能に付着するように、折り畳まれる。
【０３２０】
接着剤３０９６を範囲３０７２の上向き表面に適用し、次いで、接着剤３０９６を含む範囲３０７１を可撓性フィルム３０００の範囲３０７０に付着させて、接着剤ベースのシールを形成するか、又はその逆の代わりに、範囲３０７１の上向き表面が可撓性フィルム３０００の範囲３０７０の対向部分と接触させられ、熱封着、溶接、接合、融合、紫外線硬化、又はラミネート加工されて、可撓性フィルム３０００内に食品９０を密閉し得ることが理解されるものとする。
【０３２１】
最後に、パッケージ３０００は、実質的に図１０に示されるように可撓性フィルム３０００の残りの部分から単体化される。例えば、カッティングジョーなどの切断装置は、実質的に図１０に示されるように、可撓性フィルム３０００を通じて１つ以上の切り目を入れて、個々のパッケージ３０００を単体化することができる。上記の方法は、有利に、上記のパッケージ３０００が可撓性フィルム３０００の単一のシートから容易に形成されることを可能にする。
【０３２２】
別の形態に従ったパッケージ４０００は、図７８〜７９に示される。パッケージ４０００は、図７１〜７８のパッケージ３０００と同様であり、ある特定の違いが以下で強調される。参照しやすくするために、パッケージ３０００の態様と同様であるパッケージ４０００の態様は、同様の参照番号で示されているが、「４０」が前置きされている。
【０３２３】
パッケージ４０００は、パッケージ３０００と同様の構成及び特徴を有する。例えば、パッケージ４０００の第２のパウチ４０１４の閉鎖フラップ４０７１は、パッケージ３０００のプルタブ３０４１と同様であり、かつヒンジ４０１６から離れた方向に外向きに延在し、プルタブ４０４１の外周に沿って延在する脆弱線４０７３が、図７９に示されるように、プルタブ４０４１に隣接した閉鎖フラップ４０７１の部分に沿って延在する脆弱線４０７３の部分よりも、第２のパウチ４０１４の底端部４０６０により近く位置付けられるようにする、プルタブ４０４１を含む。
【０３２４】
パッケージ４０００の第１のパウチ４０１２の内部パネル４０２４は、パッケージ３０００の第１のパウチ３０１２の内部パネル３０２４とは異なる形状を有し、パッケージ４０００の第１のパウチ４０１２の脆弱線４０７２は、パッケージ３０００の第１のパウチ３０１２の脆弱線３０７２とは異なる形状を有する。
【０３２５】
パッケージ３０００の第１のパウチ３０１２の内部パネル３０２４の一部分が、図７４に示されるように、封着縁３０１９から封着縁３０２０までその関連した脆弱線３０７２に沿って弓状である一方で、パッケージ４０００の第１のパウチ４０１２の内部パネル４０２４は、図７９〜８０に示されるように、ヒンジ４０１６に向かって内側方向に延在する、概してドーム形状の延長部分４０３９を含む。図７４の内部パネル３０２４に対する図７９の内部パネル４０２４の形状の変化は、パッケージ３０００の第１のパウチ３０１２の脆弱線３０７２とは異なる形状を有するパッケージ４０００の第１のパウチ４０１２の脆弱線４０７２、及びパッケージ３０００の第１のパウチ３０１２の閉鎖フラップ３０７０とは異なる形状を有するパッケージ４０００の第１のパウチ４０１２の閉鎖フラップ４０７０をもたらす。
【０３２６】
具体的には、パッケージ３０００の第１のパウチ３０１２の脆弱線３０７２が、図７４に示されるように、封着縁３０１９から封着縁３０１９まで概して弓状である一方で、パッケージ４０００の第１のパウチ４０１２の脆弱線４０７２は、図７９に示されるように、ヒンジ４０１６に向かって内側方向に延在し、かつドーム形状の延長部分４０３９に形状が概して対応する、ドーム形状の窪みを含む。同様に、パッケージ３０００の第１のパウチ３０１２の閉鎖フラップ３０７０の一部分が、図７４に示されるように、封着縁３０１９から封着縁３０２０までその関連した脆弱線３０７２に沿って弓状である一方で、パッケージ４０００の第１のパウチ４０１２の閉鎖フラップ４０７０は、ヒンジ４０１６に向かって内側方向に延在し、延長部分４０３９の外周に沿って延在し、かつ内部パネル４０２４の延長部分４０３９に形状が概して対応する、概してドーム形状の窪みを含む。
【０３２７】
第１のパウチ４０１２の内部パネル４０２４の延長部分４０３９がドームの形状の一部分として示されているが、延長部分４０３９は、任意の他の形状を有してもよく、かつ内部パネル４０２４の２つ以上の延長部分によって置き換えられてもよい。加えて、プルタブ２４４１及び延長部分４０３９は、正確な縮尺率で描かれることを意図せず、第１及び第２のパウチ４０１２、４０１４の他の構成要素と比較して任意の他の好適なサイズを有してもよい。
【０３２８】
パッケージ４０００は、閉鎖フラップ４０７１が脆弱線４０７３に沿って第２のパウチ４０１４から最初に優先的に取り外され、プルタブ４０４１が第１のパウチ４０１２の内部パネル４０２４の一部分に（接着剤４０７６ａを介して）付着されたままであり、第２のパウチ４０１４内の食品９０へのアクセスが可能になる一方で、第１のパウチ４０１２内の食品９０へのアクセスが少なくとも閉鎖フラップ４０７０によって制限されるようにするという点で、図７１〜７８のパッケージ３０００と他の部分は同様であり、かつパッケージ３０００と同様に開放される。
【０３２９】
パッケージ３０００が図７５に示されるように開放される方法と同様に、パッケージ４０００が開放されているとき、開放力は、第１及び第２のパウチ４０１２、４０１４に、それらの底端部４０５４、４０６０において、消費者によって適用されている。第１のパウチ４０１２の脆弱線４０７２の部分が第１のパウチ４０１２の底端部４０５４に対するよりも、プルタブ４０４１に沿った第２のパウチ４０１４の脆弱線４０７３の部分が第２のパウチ４０１４の底端部４０６０により近いため、第１及び第２のパウチ４０１２、４０１４が開放位置に向かった、及び互いから離れた方向に移動しているとき、消費者の開放力によって提供される張力は、ヒンジ４０１６により近く、かつ開放力が適用されているその個々の底端部４０５４から更に離れた第１のパウチ４０１２の脆弱線４０７２の一部分と比較して、プルタブ４０４１に沿って延在し、かつ開放力が適用されている第２のパウチ４０１４の底端部４０６０により近い脆弱線４０７３の一部分を通じて優先的に引裂を引き起こす。
【０３３０】
内部パネル４０２４の延長部分４０３９の外周に沿って延在する脆弱線４０７２の一部分の偏位は、図７９に示されるように、ヒンジ４０１６に向かって内向き、かつ第１のパウチ４０１２の底端部４０５４から離れた方向である。したがって、脆弱線４０７２のこの偏位部分は、延長部分４０３９に隣接し、かつその両側にある脆弱線４０７２の部分と比較して、第１のパウチ４０１２の底端部４０５４から更に離れて位置付けられる。
【０３３１】
開放力が第１及び第２のパウチ４０１２、４０１４に、それらのそれぞれの底端部４０５４、４０６０において、消費者によって適用されているため、内部パネル４０２４の部分４０３９に沿って延在する脆弱線４０７２の偏位部分は、図７１〜７８のパッケージ３０００の第１のパウチ３０１２の弓状の脆弱線３０７２を通じた引裂開始に対する抵抗と比較して、パッケージ４０００の開放中、第１のパウチ４０１２の脆弱線４０７２を通じた引裂開始に対して更なる抵抗を提供する。したがって、ヒンジ４０１６に向かって内向きの第１のパウチ４０１２の脆弱線４０７２の偏位は、パッケージ３０００の第１のパウチ３０１２の閉鎖フラップ３０７２の開放と比較して、第２のパウチ４０１４の閉鎖フラップ４０７１のより優先的な開放を提供する。
【０３３２】
更に、接着範囲４０７６ａにおけるプルタブ４０４１と第１のパウチ４０１２の内部パネル４０２４との間のシール強度は、第２のパウチ４０１４の内部パネル４０２８に付着される閉鎖フラップ４０７２を保持する脆弱線４０７３の強度よりも大きい。この特徴はまた、閉鎖フラップ４０７１が、第２のパウチ４０１４を最初に開放するために、第２のパウチ４０１４の脆弱線４０７３に沿って内部パネル４０２８から最初に優先的に分離する一方で、閉鎖フラップ４０７０が、第１のパウチ４０１２が閉鎖されたままであるように、第１のパウチ４０１２の脆弱線４０７２に沿って内部パネル４０２４に付着されたままであるように、パッケージ４０００の開放を提供する。
【０３３３】
この場合もやはり、パッケージ３０００と同様に、パッケージ４０００が、第２のパウチ４０１４のみが開放している部分的開放位置にあると、第２のパウチ４０１４内の食品９０の全てを消費した後に、第１のパウチ４０１２を開放し、かつその内部にアクセスしたいと思う消費者は、図８０に示されるように、一方の手で第１のパウチ４０１２を把持し、他方の手でプルタブ４０４１を把持し、プルタブ４０４１をヒンジ４０１６及び第２のパウチ４０１４に向かって内側方向に移動させて、それにより、第１のパウチ４０１２を開放するために、脆弱線４０７２における１つ以上の引裂を介して、第１のパウチ４０１２の内部パネル４０２４から離れた閉鎖フラップ４０７０の取り外しを促進し、それにより、アクセスのために第１のパウチ４０１２内に保管される食品９０を消費者に露出してもよい。
【０３３４】
パッケージ４０００とパッケージ３０００との間の別の任意の違いは、第２のパウチ３０１４の閉鎖フラップ３０７１上の接着範囲３０９６が単一の矩形ストリップの形態である一方で、第２のパウチ４０１４の閉鎖フラップ４０７１は、２つのグルードット４０９６の形態の接着範囲を含むという点である。パッケージ４０００は、図７３及び７４に部分的に示されるパッケージ３０００を作製するために使用される方法と実質的に同様である、図７９に部分的に示される方法を介して形成され得る。
【０３３５】
別の形態に従ったパッケージ５０００は、図８１〜８４を参照して記載される。パッケージ５０００は、図７１〜８０のパッケージ３０００及び４０００と同様であり、ある特定の違いが以下で強調される。参照しやすくするために、パッケージ４０００の態様と同様であるパッケージ５０００の態様は、同様の参照番号で示されているが、「５０」が前置きされている。
【０３３６】
パッケージ５０００は、パッケージ４０００と同様の構成及び特徴を有する。例えば、パッケージ５０００の第２のパウチ５０１４の閉鎖フラップ５０７１は、パッケージ４０００のプルタブ４０４１と同様であり、かつヒンジ５０１６から離れた方向に外向きに延在し、プルタブ５０４１の外周に沿って延在する脆弱線５０７３が、図８２に示されるように、プルタブ５０４１に隣接した閉鎖フラップ５０７１の部分に沿って延在する脆弱線５０７３の部分よりも、第２のパウチ５０１４の底端部５０６０により近く位置付けられるようにする、プルタブ５０４１を含む。また、パッケージ４０００と同様に、パッケージ５０００の第１のパウチ５０１２の内部パネル５０２４は、図５２に示されるように、ヒンジ５０１６に向かって内側方向に延在する、概してドーム形状の延長部分５０３９と、ヒンジ５０１６に向かって内側方向に延在し、かつドーム状の延長部分５０３９に形状が概して対応する、ドーム状の窪みを含む、脆弱線５０７２とを含む。
【０３３７】
パッケージ５０００は、第２のパウチ５０１４の閉鎖フラップ５０７１が、閉鎖フラップ５０７０及び５０７１の取り外し不可能な付着を提供するように選択される２つのグルードット５０９６の形態の接着範囲を含むという点で、パッケージ４０００と同様であるものとして図８２に示される。パッケージ５０００は、図７３及び７４に部分的に示されるパッケージ３０００を作製するために使用される方法と実質的に同様である、図８１に部分的に示される方法を介して、フィルムの単一のシートから形成され得る。
【０３３８】
１つの任意の実施形態では、一連のパッケージ５０００ａ〜５０００ｅは、図９３に部分的に示されるような方法を介して、可撓性材料５５００の単一のシートから製造されてもよい。パッケージ５０００ａ〜５０００ｅが作製され得る可撓性材料５５００の例示的な単一のシートは、矢印によって図９３中に示される機械方向に配向され、可撓性フィルム５５００は、前縁部５５１１と、後縁部５５１３と、第１の長手方向の側縁部５５１５と、第２の長手方向の側縁部５５１７とを有する。図９３に示されるような部分的に組み立てられたパッケージ５０００ａ〜５０００ｅは、図８２のパッケージ５０００の接着剤５０７６及び５０９６の位置が再配置可能であることを示すために、図９３中のパッケージ５０００ａ〜５０００ｅ上の接着剤５５７６及び５５９６の位置を除いて、実質的に図８２に示されるような構成で示される。可撓性フィルム５５００が図９３に示されるように配向されると、可撓性フィルム５５００は、パッケージ５０００ａ〜５０００ｅの組み立てられた構成を形成するために、長手方向の側縁部５５１５及び５５１７をまとめるように折り畳まれてもよく、垂直縁部５５６０ｄを通じて１つ以上の切り目を入れることができるカッティングジョーなどの切断装置が、可撓性フィルム５５００の残りの部分から個々のパッケージ５５００ｅを単体化するために使用されてもよい。パッケージ５０００ａ〜５０００ｄは、同様に単体化されてもよい。図９３の方法は、有利に、パッケージ５０００ａ〜５０００ｅが可撓性フィルム５５００の単一シートから容易に形成されることを可能にする。
【０３３９】
パッケージ４０００とのパッケージ５０００の１つの違いは、図８１に示されるように、パッケージ５０００が、図８３を参照して以下でより詳細に記載されるように、第１及び第２のパウチ５０１２及び５０１４の互いかの分離を可能にする脆弱線５１７１を含むという点である。折り線５０７２及び５０７３と同様の脆弱線５１７１は、折り線であってもよく、レーザアブレーション、打抜き、マイクロアブレーションなどによって形成され得る。脆弱線５１７１が直線であり、パウチ５０１２、５０１４の側縁部５０５４、５０６０に平行であるものとして示されているが、脆弱線５１７１は、側縁部５０５４、５０６０に非平行であってもよく、かつ非線形（例えば、波状若しくは弓状）、又は不連続線であってもよい。脆弱線５１７１が、パッケージ５０００の第１のパウチ５０１２の頂縁部５０５０から底縁部５０５２に延在するものとして図８２に示されるが、脆弱線５１７１は、頂縁部５０５０から底縁部５０５２への距離未満にわたって延在してもよい。
【０３４０】
パッケージ４０００とのパッケージ５０００の別の違いは、パッケージ５０００が図８１〜８２に示されるように、接着剤部分４０７４に近接して、封着縁５０１９及び５０２０内にそれぞれ位置付けられる、２つの追加の脆弱線５１７２及び５１７３を含むという点である。図８１〜８２に示されるように、脆弱線５１７２は、封着縁５０１９の幅にわたって延在し、かつ第２のパウチ５０１４の側縁部５０５０及び脆弱線５０７３の両方と交差することができる。同様に、脆弱線５１７３は、封着縁５０２０の幅にわたって延在し、かつ第２のパウチ５０１４の側縁部５０５２及び脆弱線５０７３の両方と交差することができる。パッケージ５０００が実質的に図８２に示されるように閉鎖位置にあると、脆弱線５１７２及び５１７３は、脆弱線５１７１を覆い、図８３を参照して以下でより詳細に記載されるように、脆弱線５１７１に沿った第１のパウチ５０１２から離れた第２のパウチ５０１４の分離を促進する。
【０３４１】
パッケージ５０００は、図８３に示されるように、閉鎖フラップ５０７１が脆弱線５０７３に沿って第２のパウチ５０１４から最初に優先的に取り外され、プルタブ５０４１が第１のパウチ５０１２の内部パネル５０２４の一部分に（接着剤５０７６ａを介して）付着されたままであり、第２のパウチ５０１４内の食品９０へのアクセスが可能になる一方で、第１のパウチ５０１２内の食品９０へのアクセスが少なくとも閉鎖フラップ５０７０によって制限されるようにするという点で、図７１〜７８のパッケージ３０００及び４０００と他の部分は同様であり、かつパッケージ３０００及び４０００と同様に開放される。
【０３４２】
パッケージ３０００及び４０００が開放される方法と同様に、パッケージ５０００が開放されているとき、開放力は、第１及び第２のパウチ５０１２、５０１４に、それらの底端部５０５４、５０６０において、消費者によって適用されている。第１のパウチ５０１２の脆弱線５０７２の部分が第１のパウチ５０１２の底端部５０５４に対するよりも、プルタブ５０４１に沿った第２のパウチ５０１４の脆弱線５０７３の部分が第２のパウチ５０１４の底端部５０６０により近いため、第１及び第２のパウチ５０１２、５０１４が開放位置に向かった、及び互いから離れた方向に移動しているとき、消費者の開放力によって提供される張力は、ヒンジ５０１６により近く、かつ開放力が適用されているその個々の底端部５０５４から更に離れた第１のパウチ５０１２の脆弱線５０７２の一部分と比較して、プルタブ５０４１に沿って延在し、かつ開放力が適用されている第２のパウチ５０１４の底端部５０６０により近い脆弱線５０７３の一部分を通じて優先的に引裂を引き起こす。
【０３４３】
この特徴は、閉鎖フラップ５０７１が、第２のパウチ５０１４を最初に開放するために、第２のパウチ５０１４の脆弱線５０７３に沿って内部パネル５０２８から最初に優先的に分離する一方で、閉鎖フラップ５０７０が、第１のパウチ５０１２が閉鎖されたままであるように、第１のパウチ５０１２の脆弱線５０７２に沿って内部パネル５０２４に付着されたままであるように、パッケージ５０００の開放を提供する。
【０３４４】
パッケージ５０００が、図８３に示されるように、第２のパウチ５０１４のみが開放している部分的開放位置にあると、第１及び第２のパウチ５０１２及び５０１４を脆弱線５１７１に沿って互いから離れて分離したいと思う消費者は、例えば、図８３に示されるように、第１及び第２のパウチ５０１２及び５０１４を把持し、第１及び第２のパウチ５０１２及び５０１４を互いから離れて、図８３に示される方向に引っ張ってもよい。
【０３４５】
図８３に示される方向へのパウチ５０１２及び５０１４の移動中、消費者によって適用されている開放力又は張力は、パッケージ５０００の第２のパウチ５０１４の脆弱線５１７１及び側縁部５０５６の交点において、又はその近くで第２のパウチ５０１４の外側壁５０２６における引裂を開始し、かつ実質的に同時に、パッケージ５０００の第２のパウチ５０１４の脆弱線５１７２及び側縁部５０５６の交点において、又はその近くで第２のパウチ５０１４の内部パネル５０２８における引裂を開始する。端部シール５０６６及び５０６８並びに内部パネル５０２８の部分にわたる脆弱線５１７２及び５１７３の存在が、端部シール５０６６及び内部パネル５０２８の一部分を通じて引き裂くために、脆弱線５１７２及び５１７３が存在しない場合に必要とされるよりも小さい力を使用することを消費者に要求することによって、第２のパウチ５０１４からの第１のパウチ５０１２の分離を促進することが理解されるものとする。
【０３４６】
消費者によって適用されている開放力又は張力による、図８３に示される方向へのパウチ５０１２及び５０１４の連続的移動は、引裂が第２のパウチ５０１４の脆弱線５１７２及び脆弱線５０７３の交点に到達するまで、端部シール５０６６にわたって、かつ第２のパウチ５０１４の内部パネル５０２８の一部分にわたって、脆弱線５１７２に沿って引裂を伝搬する。消費者によって適用されている開放力又は張力による、図８３に示される方向へのパウチ５０１２及び５０１４の連続的移動はまた、図８３に示されるように、第２のパウチ５０１４の外側壁５０２６を通じて、脆弱線５１７１に沿って引裂を伝搬する。
【０３４７】
脆弱線５１７１に沿った外側壁５０２６における引裂が端部シール５０６８に到達し、パッケージ５０００の第２のパウチ５０１４の側縁部５０５８に向かった方向に、端部シール５０６８にわたって伝搬し始めるとき、消費者によって適用されている力はまた、脆弱線５１７３及び脆弱線５０７３の交点において、又はその近くで内部パネル５０２４における引裂を開始し、それは、パッケージ５０００の第２のパウチ５０１４の側縁部５０５８に向かった方向に、端部シール５０６８にわたって伝搬することができる。脆弱線５１７１及び５１７３に沿って伝搬する引裂が、端部シール５０６８にわたって伝搬し、かつ第２のパウチ５０１４の側縁部５０５８と交差するとき、第１及び第２のパウチ５０１２及び５０１４の互いからの分離が完了する。
【０３４８】
端部シール５０６６及び５０６８及び内部パネル５０２８の部分にわたって提供される脆弱線５１７２及び５１７３が、第２のパウチ５０１４からの第１のパウチ５０１２の分離を促進することが理解されるものとする一方で、脆弱線５１７２及び５１７３が任意であり、ユーザが、脆弱線５１７２及び５１７３を含むパッケージで必要とされるよりもわずかに大きい力を使用することによって、第１及び第２のパウチ５０１２及び５０１４を脆弱線５１７１に沿って、互いから同様に分離し得ることが理解されるものとする。加えて、脆弱線５１７２及び５１７３は、一例として、パッケージの側縁部５０５６、５０５８及び第２のパウチ５０１４の折り線５０７３と交差するものとして示され、パッケージの側縁部５０５６、５０５８又は第２のパウチ５０１４の折り線５０７３のいずれかと直接交差する必要はない。また、図８３が、第２のパウチ５０１４が空になるような、第２のパウチ５０１４内の食品９０が完全に消費された後の第１のパウチ５０１２からの第２のパウチ５０１４の分離を示す一方で、第２のパウチ５０１４が脆弱線５１７１に沿って第１のパウチ５０１２から分離され得る一方で、食品９０の全てが第２のパウチ５０１４内にまだ残っていることが理解されるであろう。
【０３４９】
第２のパウチ５０１４内の食品９０の全てを消費し、かつ第１のパウチ５０１２から第２のパウチ５０１４を取り外した（かつ任意に、第２のパウチ５０１４を廃棄した）後に、第１のパウチ５０１２を開放し、かつその内部にアクセスしたいと思う消費者は、図８４に示されるように、一方の手で第１のパウチ５０１２を把持し、他方の手でプルタブ５０４１を把持し、プルタブ５０４１をヒンジ５０１６に向かって内側方向に移動させて、それにより、第１のパウチ５０１２を開放するために、脆弱線５０７２における１つ以上の引裂を介して、第１のパウチ５０１２の内部パネル５０２４から離れた閉鎖フラップ５０７０の取り外しを促進し、それにより、アクセスのために第１のパウチ５０１２内に保管される食品９０を消費者に露出してもよい。
【０３５０】
２つ又は３つのパウチを含む本願に記載されるパッケージのうちのいずれも、２つのパウチの互いからの分離を可能にするために、脆弱線５１７１と同様の１つ以上の脆弱線を含んでもよいことが理解されるであろう。加えて、パッケージ２０００の第１及び第２のパウチ２０１２及び２０１４の分離が、ストラップ２０９９によって適用される力によるものと記載されていることが理解されるが、ストラップ２０９９が、任意の特徴であること、並びに第１の及び／又は第２のパウチ２０１２、２０１４が、ストラップ２０９９を介して、又は消費者の手によって直接適用される力の結果として、第１及び第２のパウチ２０１２及び２０１４の互いからの分離を可能にする脆弱線を含んでもよいことが理解されるであろう。
【０３５１】
別の形態に従ったパッケージ６０００は、図８７〜８９に示される。パッケージ６０００は、図７１〜８４のパッケージ３０００、４０００、及び５０００と同様である。例えば、パッケージ６０００は、それが第１及び第２のパウチ６０１２、６０１４を含み、パッケージ６０００の第１及び第２のパウチ６０１２、６０１４が分離可能であり、かつコンパートメント脆弱線６１１７に沿って完全に分離され得るという点で、パッケージ５０００と同様の構成を有する。パッケージ５０００と６０００との間のある特定の違いは、以下で強調される。参照しやすくするために、パッケージ５０００の態様と同様であるパッケージ６０００の態様は、同様の参照番号で示されているが、「６」が前置きされている。
【０３５２】
図８７を参照すると、パッケージ５０００とのパッケージ６０００の１つの違いは、１つのプルタブ５０４１を含むパッケージ５０００の第２のパウチ５０１４の閉鎖フラップ５０７１とは異なり、パッケージ６０００の第２のフラップ６０１４の閉鎖フラップ６０７１が２つのプルタブ６０４１ａ、６０４１ｂを含むという点である。２つのプルタブ６０４１ａ、６０４１ｂは、以下に記載されるように、閉鎖フラップ脆弱線６１１９に沿って互いからの分離可能である。
【０３５３】
パッケージ５０００とのパッケージ６０００の別の違いは、パッケージ５０００の第１のパウチ５０１２がパッケージ５０００の端部シール５０６２から端部シール５０６４に延在する単一のコンパートメントである一方で、パッケージ６０００の第１のパウチ６０１２が、図８７及び８８に示されるように、コンパートメント脆弱線６１１７によって２つの別々に密閉されたコンパートメント６０１２ａ、６０１２ｂ、及び／又はシール範囲６１２１、６１２３に分離されてもよいという点である。シール６１２１及び６１２３は、上記のシール６０６２、６０６４、６０６６、６０６８と同様に形成されてもよい。パッケージ６０００とパッケージ５０００との間の違いは、パッケージ５０００が、第１及び第２のパウチ５０１２及び５０１４が、パッケージ５０００の初期の開放後に再び付着されることを可能にする、再閉鎖可能特徴を提供する、１つの接着範囲５０７６ｂを含む一方で、パッケージ６０００が、第１及び第２のコンパートメント６０１２ａ、６０１２ｂのそれぞれが、パッケージ６０００の初期の開放後に第２のパウチ６０１４の対応する部分に再び付着されることを可能にする、再閉鎖可能特徴を提供する、２つの接着範囲６０７６ｃ及び６０７６ｄを含むという点である。
【０３５４】
パッケージ６０００は、消費者によってパッケージ６０００に適用されている開放力によって、プルタブ６０４１ａ、６０４１ｂを含む閉鎖フラップ６０７１が、脆弱線６０７３に沿って第２のパウチ６０１４の内部パネル６０２８から最初に優先的に取り外され、閉鎖フラップ６０７１の部分６０７１ａ、６０７１ｂが接着範囲６０９６ａ、６０９６ｂを介して、閉鎖フラップ６０７０の部分６０７０ａ、６０７０ｂに付着されたままであり、プルタブ６０４１ａ、６０４１ｂが接着範囲６０７６ａ、６０７６ｂを介して、第１のパウチ６０１２の内部パネル６０２４ａ、６０２４ｂの部分６０７０ａ、６０７０ｂに付着されたままであるようにするという点で、パッケージ５０００と他の部分は同様であり、かつパッケージ５０００と同様に開放される。この構成において、図８８に示されるように、第２のパウチ６０１４内の食品９０へのアクセスが可能になる一方で、第１のパウチ６０１２の第１及び第２のコンパートメント６０１２ａ、６０１２ｂ内の食品９０へのアクセスは、制限される。
【０３５５】
パッケージ５０００と同様に、パッケージ６０００が、図８８に示されるように、第２のパウチ６０１４のみが開放している部分的開放位置にあると、第２のパウチ６０１４内の食品９０の全てを消費した後に、第１のパウチ６０１２の第１又は第２のコンパートメント６０１２ａ、６０１２ｂを開放し、かつその内部にアクセスしたいと思う消費者は、図８９に示されるように、一方の手で第１のパウチ６０１２を把持し、他方の手でプルタブ６０４１ａを把持し、プルタブ６０４１ａをヒンジヒンジ６０１６、脆弱線６１７１、及び第２のパウチ６０１４に向かって内側方向に移動させて、それにより、第１のパウチ６０１２の第１のコンパートメント６０１２ａを開放するために、脆弱線６０７２における１つ以上の引裂を介して、第１のパウチ６０１２の内部パネル６０２４から離れた閉鎖フラップ６０７０の第１の部分６０７０ａの取り外しを促進し、それにより、アクセスのために第１のパウチ６０１２の第１のコンパートメント６０１２ａ内に保管される食品９０を消費者に露出してもよい。
【０３５６】
消費者が第１のパウチ６０１２の第１のコンパートメント６０１２ａ内の食品９０の全てを消費した後に、第１のパウチ６０１２の第２のコンパートメント６０１２ｂを開放し、かつその内部にアクセスしたいと思う場合、消費者は、図８９に示され、かつプルタブ６０４１ａに関して上記に記載されるのと実質的に同様に、プルタブ６０４１ｂを把持し、かつ引っ張ることによって、第２のコンパートメント６０１２ｂを開放して、アクセスのために第１のパウチ６０１２の第２のコンパートメント６０１２ｂ内に保管される食品９０を露出してもよい。
【０３５７】
図８９が、第１のコンパートメント６０１２ａが第１のパウチ６０１２及び第２のパウチ６０１４の第２のコンパートメント６０１２ｂに完全に付着されている一方で、第１のパウチ６０１２の第１のコンパートメント６０１２ａを開放するためにタブ６０４１ａを引っ張る消費者を示す一方で、第１のパウチ６０１２の第１及び第２のコンパートメント６０１２ａ、６０１２ｂのうちのいずれかが最初に、図８９に示されるように、まだ封着されている間に脆弱線６１１７、６１１９、及び６１７１に沿ってパッケージ６０００から完全に取り外され、次いで開放され得ることが理解されるであろう。図８８が、閉鎖フラップ６０７１が第１のパウチ６０１２の第１及び第２のコンパートメント６０１２ａ、６０１２ｂの互いからの分離を促進するために、閉鎖フラップ脆弱線６１１９を含むことを示すが、閉鎖フラップ脆弱線６１１９が任意であり、第１のパウチ６０１２の第１及び第２のコンパートメント６０１２ａ、６０１２ｂが、閉鎖フラップ脆弱線６１１９なしでさえ、コンパートメント脆弱線６１１７に沿って互いからの分離され得ることが理解されるであろう。
【０３５８】
別の形態に従ったパッケージ７０００は、図９０〜９２に示される。パッケージ７０００は、図８７〜８９のパッケージ６０００と同様である。例えば、パッケージ７０００は、パッケージ７０００が第１及び第２のパウチ７０１２、７０１４を含無という点で、かつパッケージ７０００の第１及び第２のパウチ７０１２、７０１４が分離可能であり、かつコンパートメント脆弱線７１１７に沿って完全に互いから分離され得るという点で、パッケージ６０００と同様の構成を有する。パッケージ６０００と７０００との間のある特定の違いは、以下で強調される。参照しやすくするために、パッケージ６０００の態様と同様であるパッケージ７０００の態様は、同様の参照番号で示されているが、「７」が前置きされている。
【０３５９】
図９０を参照すると、パッケージ６０００とのパッケージ７０００の１つの違いは、パッケージ６０００の第１及び第２のパウチ６０１２及び６０１４がそれぞれ、第１及び第２の閉鎖フラップ６０７０及び６０７１を個々に含む一方で、パッケージ７０００の第２のパウチ７０１４のみが閉鎖フラップ７０７０を含むが、パッケージ７０００の第１のパウチ７０１２が閉鎖フラップを含まないという点である。図９０に示されるような閉鎖フラップ７０７０が、パッケージ５０００のプルタブ５０４１及びパッケージ６０００のプルタブ６０４１ａ、６０４１ｂと同様のプルタブを含まない一方で、閉鎖フラップ７１７０が、第２のパウチ７０１４の内部パネル７０２８の隣接した部分からの閉鎖フラップ７０７０の分離を促進するために、プルタブを含んでもよいことが理解されるであろう。
【０３６０】
パッケージ７０００はまた、第１のパウチ７０１２の外壁７０２２及び内部パネル７０２４の部分が、脆弱線７１７１及び７１１７に沿って第１及び第２のパウチ７０１２及び７０１４の隣接した部分から分離可能な除去可能部分７１７０を形成するという点で、パッケージ６０００とは異なる。脆弱線７１７１が直線であり、脆弱線７１１７と交差しているものとして示されているが、第１のパウチ７０１２の脆弱線７１７１は、曲線（例えば、凸状、凹状、波状など）であってもよく、かつ脆弱線７１１７との交差するまでに至らなくてもよいことが理解されるであろう。パッケージ７０００はまた、パッケージ５０００の第１及び第２のパウチ５０１２及び５０１４が同一の保存容量を有する一方で、パッケージ７０００の第１のパウチ７０１２が、パッケージ７０００の第２のパウチ７０１４よりも小さい保存容量を有するものとして示されるという点で、パッケージ５０００とは異なる。しかしながら、パッケージ７０００の第１及び第２のパウチ７０１２、７０１４が、あるいは、サイズ及び保存容量が同一であってもよいことが理解されるものとする。
【０３６１】
除去可能部分７１７０は、第１のパウチ７０１２の内部の中の食品へのアクセスを消費者に提供するために、かつ第１のパウチ７０１２から食品を分配するために、第１のパウチ７０１２内のアクセス開口部を提供する。除去可能部分７１７０はまた、除去可能部分７１７０の非存在又は部分的取り外しが、パッケージ７０００の第１のパウチ７０１２がすでに開放又は不正開放されていることを消費者に視覚的に指示するように、新鮮さシール及び／又は不正開封防止特徴を提供してもよい。第１のパウチ７０１２は、第２のパウチ７０１４内に保管される食品と同じ食品（例えば、ガム）を含んでもよく、又は菓子、チーズ、ナッツなどの食料品を含んでもよい。
【０３６２】
パッケージ７０００は、消費者によってパッケージ７０００に適用されている開放力によって、閉鎖フラップ７０７０が脆弱線７０７２に沿って第２のパウチ７０１４の内部パネル７０２８から取り外される一方で、接着範囲７０９６を介して第１のパウチ７０１２の内部パネル７０２４の一部分に付着されたままであるという点で、パッケージ６０００と同様に開放される。この構成において、図９１に示されるように、第２のパウチ７０１４内の食品９０へのアクセスが可能になる一方で、第１のパウチ７０１２内の食品へのアクセスは、制限される。
【０３６３】
パッケージ７０００が、第２のパウチ７０１４のみが開放している図９１の部分的開放位置にあると、第１のパウチ７０１２を開放し、その内部にアクセスしたいと思う消費者は、図９２に示されるように、一方の手で第１のパウチ７０１２を把持し、他方の手で除去可能部分７１７０を把持し、除去可能部分７１７０をヒンジ７０１６、脆弱線７１７１、及び第２のパウチ７０１４に向かって内側方向に移動させて、第１のパウチ７０１２を開放するために、脆弱線７１７１における１つ以上の引裂を介して、第１のパウチ７０１２の外壁７０２２及び内部パネル７０２４から除去可能部分７１７０を分離し、かつ第１のパウチ７０１２内に保管される食品が消費者によってアクセス又は分配され得る開口部を提供してもよい。
【０３６４】
図９４は、矢印によって示される機械方向に移動し、かつ可撓性材料のシート８５００が、図９５に示されるように、５つのパウチの開放されていない構成に封着され、かつ折り畳まれ得るように位置付けられる、脆弱線８５７０及び８５７１、接着剤８５７６及び８５９６、並びにシール範囲を含む、可撓性材料のシート８５００の一実施形態を示す。パッケージ８０００は、パッケージ８０００がコンパクトであり、かつ食品のための高い保管容量を提供することを可能にする、図９５に示されるような蛇腹形状として記載され得る配向を有する。
【０３６５】
パッケージ８０００は、パッケージ８０００が、互いに接合され、かつそれらのそれぞれのヒンジ８０１６ａ〜８０１６ｄを中心にして互いに対して移動し、脆弱線８１７１ａ〜８１７１ｄを介して互いから分離し得る、複数の封着されたパウチ８０１２ａ〜８０１２ｅを含むという点で、上記のパッケージ５０００、６０００、及び７０００と同様である。２つのパウチを含むパッケージ５０００、６０００、及び７０００とは異なり、パッケージ８０００は、図９５に示されるように、５つのパウチ８０１２ａ〜８０１２ｅを含む。パッケージ７０００と同様に、パッケージ８０００のコンパートメント又はパウチ８０１２ａ〜８０１２ｅは、その中に保持される食品９０を取り出すために、それらのそれぞれの脆弱線８０７２ａ〜８０７２ｈに沿った１つ以上の閉鎖フラップ８０７０ａ〜８０７０ｈの分離を介して個々に開放され、それぞれの脆弱線８１７１ａ〜８１７１ｄのうちの１つに沿ってパッケージ８０００から個々に分離されてもよい。
【０３６６】
具体的に、消費者は、脆弱線８１７１ａ及びヒンジ範囲８０１６ａが、外側パウチ８０１２ａがその隣接したパウチ８０１２ｂに対して移動するヒンジを提供するように、外側パウチ８０１２ａの一部分を把持し、外側パウチ８０１２ａをその隣接したパウチ８０１２ｂから引っ張って離すことによって、パッケージ８０００を開放してもよい。消費者がパウチ８０１２ａをその隣接したパウチ８０１２ｂから離して移動すると、消費者によって適用される開放力は、脆弱線８０７２ａにおける１つ以上の引裂を開始して、閉鎖フラップ８０７０ａがパウチ８０１２ａから取り外されて、パウチ８０１２ａ内に保管される食品９０ａへのアクセスを提供することを可能にする。次いで、消費者は、開放された外側パウチ８０１２ａから食品９０ａを取り出してもよく、必要に応じて、外側パウチ８０１２ａを脆弱線８１７１ａに沿ってパッケージ８０００の残りの部分から、すぐに、又は空のとき、完全に取り外し、空のパウチ８０１２ａを廃棄してもよい。次いで、パウチ８０１２ｂ〜８０１２ｅは、パウチ８０１２ａが上記の通り開放される方法と同様に順次に開放されてもよい。食品９０ａ〜９０ｅは、全て同じであっても、又は全て異なっていてもよい。
【０３６７】
図９６は、図９６中で方向矢印によって示される機械方向に移動する連続フローラップ包装プロセスにおいて、図９７に示される２つのパウチ９１１２及び９１１４を含むパッケージ９１００を形成するように折り畳まれ得る、可撓性フィルム材料９０００の例示的な単一のシートを示す。製造中、分離可能な範囲９０７０及び９０７１を包囲する脆弱線９０７２が、可撓性フィルム９０００内に作製されてもよく、１つ以上の接着剤が、接着範囲９０７６及び９０９６を形成するためにフィルム９０００に適用されてもよい。
【０３６８】
図９６中の接着範囲９０９６は、第２の閉鎖フラップ９１７１の対応する部分への第１の閉鎖フラップ９１７０の部分の取り外し不可能な付着を提供する、図９７中の接着範囲９１９６に対応する。図９６中の接着範囲９０７６は、第２のパウチ９０１４の内部パネル９１２８の対向部分へのプルタブ９１４１の取り外し可能な付着を提供する、図９７中の接着範囲９１７６に対応する。図９６に示されるように、脆弱線９０７２は、第２のパウチ９１１４の開放前に第１のパウチ９１１２の優先的な開放を促進する、上記のプルタブと同様のプルタブ９１４１を提供する、範囲９０４１を包囲するドーム形状の偏位を含む。連続フローラッププロセス中、可撓性フィルム９０００の部分は、図９７に示されるように、フィンシール９１２３を形成するために、シール範囲９０１９及び９０２０の部分に沿って接着材料９１７４（ヒートシール、コールドシール、接着剤などであってもよい）によって、折り畳まれ、かつ互いに封着して付着される。
【０３６９】
図９７のパッケージ９１００は、消費者によってパッケージ９１００に適用されている開放力によって、閉鎖フラップ９１７０が、脆弱線９１７２に沿って第１のパウチ９１１２の内部パネル９１２４から取り外され、閉鎖フラップ９１７０の部分が、取り外し不可能な接着剤９１９６を介して第２の閉鎖フラップ９１７１の一部分に付着されたままであり、プルタブ９１４１が、取り外し可能接着剤９１７６を介して第２のパウチ９１１４の内側パネル９１２８の一部分に付着されたままであるようにするという点で、図８２〜８４のパッケージ５０００と同様に開放されてもよい。この構成において、第１のパウチ９１１２内の食品９０ａへのアクセスが可能になる一方で、第２のパウチ９１１４内の食品９０ｂへのアクセスは、制限される。次いで、第２のパウチ９０１４は、例えば、パッケージ５０００及び図８４を参照して上記に記載されるように、脆弱線９１７３に沿って内部パネル９１２８から閉鎖フラップ９１７１を取り外すために、プルタブ９１４１に力を適用することによって開放されてもよい。
【０３７０】
図９８は、図９８中で方向矢印によって示される機械方向に移動する連続フローラップ包装プロセスにおいて、図９９に示される２つのパウチ９３１２及び９３１４を含むパッケージ９３００を形成するように折り畳まれ得る、可撓性フィルム材料９２００の別の例示的な単一のシートを示す。製造中、分離可能な範囲９２７０及び９２７１を包囲する脆弱線９２７２及び９２７３がそれぞれ、可撓性フィルム９２００内に作製されてもよく、１つ以上の接着剤が、接着範囲９２７６及び９２９６を形成するためにフィルム９２００に適用されてもよい。
【０３７１】
図９８中の接着範囲９２９６は、第２の閉鎖フラップ９３７１の対応する部分への第１の閉鎖フラップ９３７０の部分の取り外し不可能な付着を提供する、図９９中の接着範囲９３９６に対応する。図９８に示されるような２つの接着範囲９２９６の代わりに、１つのみの接着範囲９２９６が、範囲９２７０及び９２７１を互いに付着させるために使用され得ることが理解されるであろう。
【０３７２】
図９８中の接着範囲９２７６は、第２のパウチ９３１４の内部パネル９３２８の対向部分へのプルタブ９３４１の取り外し可能な付着を提供する、図９９中の接着範囲９３７６に対応する。図９８に示されるように、脆弱線９２７２は、第２のパウチ９３１４の開放前に第１のパウチ９３１２の優先的な開放を促進する、上記のプルタブと同様の図９９に示されるようなプルタブ９３４１を提供する、範囲９２４１を包囲するドーム形状の偏位を含む。連続フローラッププロセス中、可撓性フィルム９２００の部分は、図９９に示されるように、フィンシール９３２３を形成するために、シール範囲９２１９及び９２２０の部分に沿って接着材料９３７４（ヒートシール、コールドシール、接着剤などであってもよい）によって、折り畳まれ、かつ互いに封着して付着される。
【０３７３】
図９９のパッケージ９３００と図９７のパッケージ９１００との間の１つの違いは、脆弱線及び閉鎖フラップに対するフィンシールの位置にある。具体的には、図９７のパッケージ９１００において、フィンシール９１２３が、第１及び第２のパウチ９１１２及び９１１４の外壁９１２２及び９１２６を接合する一方で、閉鎖フラップ９１７０及び９１７１、並びに脆弱線９１７２及び９１７３は、第１及び第２のパウチ９１１２及び９１１４の内部パネル９１２４及び９１２８内に作製される。結果として、図９７のパッケージ９１００が開放されるとき、フィンシール９１２３は、その位置にとどまる。逆に、図９９のパッケージ９３００において、フィンシール９３２３は、第１及び第２のパウチ９３１２及び９３１４の内部パネル９３２４及び９３２８を接合し、閉鎖フラップ９３７０及び９３７１、並びに脆弱線９３７２及び９３７３は、第１及び第２のパウチ９３１２及び９３１４の内部パネル９３２４及び９３２８内に作製される。結果として、図９９のパッケージ９３００が開放されるとき、フィンシール９３２３は、閉鎖フラップ９０７０に沿ってパッケージ９３００から取り外される。
【０３７４】
図９９のパッケージ９３００は、消費者によってパッケージ９３００に適用されている開放力によって、閉鎖フラップ９３７０が、脆弱線９３７２に沿って第１のパウチ９３１２の内部パネル９３２４から取り外され、閉鎖フラップ９３７０の部分が、取り外し不可能な接着剤９３９６を介して第２の閉鎖フラップ９３７１の一部分に付着されたままであり、プルタブ９３４１が、取り外し可能接着剤９３７６を介して第２のパウチ９３１４の内側パネル９３２８の一部分に付着されたままであるようにするという点で、図９６〜９７のパッケージ９１００と同様に開放されてもよい。この構成において、第１のパウチ９３１２内の食品９０ａへのアクセスが可能になる一方で、第２のパウチ９３１４内の食品９０ｂへのアクセスは、制限される。次いで、第２のパウチ９３１４は、例えば、パッケージ５０００及び図８４を参照して上記に記載されるように、脆弱線９３７３に沿って内部パネル９３２８から閉鎖フラップ９３７１を取り外すために、プルタブ９３４１に力を適用することによって開放されてもよい。
【０３７５】
本明細書に記載されるパッケージは、フィルムの複数のシート、複数のフラップ、及び／又は複数の接着ストリップを必要とするパッケージよりも、製造する費用効率が高くなり得る。しかしながら、フィルムの複数のシートは、所望に応じて、一緒に接合され、かつ利用され得る。パッケージはまた、それらがオーバーラップを必要としないため、より少ない材料を必要とし、より少ない廃棄物をもたらす。加えて、パッケージは、容易かつ直観的な開放機構を有し、本のように開いてもよく、それは、消費者にとって視覚的に魅力であり得る。
【０３７６】
上記のパッケージのいずれにおいても、隣接したパウチへの、又はフラップ間のフラップのシールは、パッケージの幅にわたって連続的である必要はない。例えば、かつ図１〜５の実施形態を参照すると、隣接したパウチ１４の内部パネル２８へのフラップ７０のシールは、パウチ１４の頂縁部５６と底縁部５８との間で連続的である必要はない。シールは連続的であり得るが、シールは、その長さに沿って非連続的であってもよく、頂縁部５６及び底縁部５８のみに近接していてもよく、頂縁部５６と底縁部との間の領域内のみにあってもよく、又は他の好適な変形物であってもよい。
【０３７７】
上記のパッケージのいずれも、金属化又は非金属化ポリマー、ラミネート、プラスチック、紙、板紙、ボール紙など、並びにこれらの組み合わせが挙げられるがこれらに限定されない、様々な材料から作製されてもよい。上記のパッケージのいずれも、任意に、パッケージの初期の開放前に、パッケージ内に含まれる食品又は他の製品の新鮮さを維持するために気密封止され得る。上記のパッケージのいずれも、任意に、台形、円形、楕円形、三角形などの非矩形の形式で構成され得る。本明細書に記載されるパウチのいずれも、隣接した材料へのパウチの追加のシール又は別様に接着中間部分など、複数のパウチに分割され得る。
【０３７８】
図面に示されるヒンジが硬質又はフィルム材料のいずれかを折り畳むことによって形成されるが、ヒンジは、ラップ若しくは他のシール又は接合部によって一緒に接合される２つの材料などの他の形態をとることができ、かつヒンジの位置を予め設定するためのミシン目又は他の脆弱線（複数可）を有することができる。用語「シール」が本明細書で使用されるが、そのような使用は、完全な気密シールを暗示せず、冷却又は加熱活性化、剥離可能シール、スキップシールなどであるかどうかにかかわらず、グルー及び他の接着剤などの気密シールを作らない接着の他の形態も含むことができる。ある特定の構造が互いに接合される、封着される、又は付着されるものとして記載されるが、これは、例えば、中間構造との直接的及び間接的の両方、又は相対的接合、封着、及び付着を含むことが理解されるであろう。
【０３７９】
好ましい実施形態が詳述されているが、本明細書に記載される構成内で変更及び修正がもたらされ得る。上記のパッケージの記載された特徴の多くが、代替のパッケージを作るために互いと置き換えられ得ることが理解されるであろう。例えば、折り畳まれた、折り畳まれない様々な閉鎖フラップ構成、例えば、脆弱線、剥離可能、又は別様に断裂可能なシール（複数可）、及びパウチの数は、代替の実施形態を作るために例示的な実施形態の間で置き換えられ得る。同様に、３つのパウチ、２つのパウチ、又は１つのパウチ、及びカバーの使用は、様々な例示的な実施形態上で置き換え可能である。
【図１】
0006404452.tif 000002
【図２】
0006404452.tif 000003
【図３】
0006404452.tif 000004
【図４】
0006404452.tif 000005
【図５】
0006404452.tif 000006
【図６】
0006404452.tif 000007
【図７】
0006404452.tif 000008
【図８】
0006404452.tif 000009
【図９】
0006404452.tif 000010
【図１０】
0006404452.tif 000011
【図１１】
0006404452.tif 000012
【図１２】
0006404452.tif 000013
【図１３】
0006404452.tif 000014
【図１４】
0006404452.tif 000015
【図１５】
0006404452.tif 000016
【図１６】
0006404452.tif 000017
【図１７】
0006404452.tif 000018
【図１８】
0006404452.tif 000019
【図１９】
0006404452.tif 000020
【図２０】
0006404452.tif 000021
【図２１】
0006404452.tif 000022
【図２２】
0006404452.tif 000023
【図２３】
0006404452.tif 000024
【図２４】
0006404452.tif 000025
【図２５】
0006404452.tif 000026
【図２６】
0006404452.tif 000027
【図２７】
0006404452.tif 000028
【図２８】
0006404452.tif 000029
【図２９】
0006404452.tif 000030
【図３０】
0006404452.tif 000031
【図３１】
0006404452.tif 000032
【図３２】
0006404452.tif 000033
【図３３】
0006404452.tif 000034
【図３４】
0006404452.tif 000035
【図３５】
0006404452.tif 000036
【図３６】
0006404452.tif 000037
【図３７】
0006404452.tif 000038
【図３８】
0006404452.tif 000039
【図３９】
0006404452.tif 000040
【図４０】
0006404452.tif 000041
【図４１】
0006404452.tif 000042
【図４２】
0006404452.tif 000043
【図４３】
0006404452.tif 000044
【図４４】
0006404452.tif 000045
【図４５】
0006404452.tif 000046
【図４６】
0006404452.tif 000047
【図４７】
0006404452.tif 000048
【図４８】
0006404452.tif 000049
【図４９】
0006404452.tif 000050
【図５０】
0006404452.tif 000051
【図５１】
0006404452.tif 000052
【図５２】
0006404452.tif 000053
【図５３】
0006404452.tif 000054
【図５４】
0006404452.tif 000055
【図５５】
0006404452.tif 000056
【図５６】
0006404452.tif 000057
【図５７】
0006404452.tif 000058
【図５８】
0006404452.tif 000059
【図５９】
0006404452.tif 000060
【図６０】
0006404452.tif 000061
【図６１】
0006404452.tif 000062
【図６２】
0006404452.tif 000063
【図６３】
0006404452.tif 000064
【図６４】
0006404452.tif 000065
【図６５】
0006404452.tif 000066
【図６６】
0006404452.tif 000067
【図６７】
0006404452.tif 000068
【図６８】
0006404452.tif 000069
【図６９】
0006404452.tif 000070
【図７０】
0006404452.tif 000071
【図７１】
0006404452.tif 000072
【図７２】
0006404452.tif 000073
【図７３】
0006404452.tif 000074
【図７４】
0006404452.tif 000075
【図７５】
0006404452.tif 000076
【図７６】
0006404452.tif 000077
【図７７】
0006404452.tif 000078
【図７８】
0006404452.tif 000079
【図７９】
0006404452.tif 000080
【図８０】
0006404452.tif 000081
【図８１】
0006404452.tif 000082
【図８２】
0006404452.tif 000083
【図８３】
0006404452.tif 000084
【図８４】
0006404452.tif 000085
【図８５】
0006404452.tif 000086
【図８６】
0006404452.tif 000087
【図８７】
0006404452.tif 000088
【図８８】
0006404452.tif 000089
【図８９】
0006404452.tif 000090
【図９０】
0006404452.tif 000091
【図９１】
0006404452.tif 000092
【図９２】
0006404452.tif 000093
【図９３】
0006404452.tif 000094
【図９４】
0006404452.tif 000095
【図９５】
0006404452.tif 000096
【図９６】
0006404452.tif 000097
【図９７】
0006404452.tif 000098
【図９８】
0006404452.tif 000099
【図９９】
0006404452.tif 000100